(57)【要約】      （修正有）【課題】エンハンスト物理ダウンリンク制御チャネルＥ−ＰＤＣＣＨ伝送方法及び装置を提供する。【解決手段】各物理リソース・ブロック対の第１のリソース・グループを別個に配列する。第１のリソース・グループは、リソース要素グループｅＲＥＧ又はＲＥＧであり、物理リソース・ブロック・セットが、物理リソース・ブロック対のうちの少なくとも１つを含む。物理リソース・ブロック・セットの第１のリソース・グループと第２のリソース・グループとの間の対応に従って第２のリソース・グループに番号付けする第２のリソース・グループは、制御チャネル要素又は制御チャネル候補である。Ｅ−ＰＤＣＣＨを伝送するための第２のリソース・グループの番号を決定し決定した番号に従って、伝送のためにＥ−ＰＤＣＣＨを対応する第１のリソース・グループにマッピングする。【選択図】図４Ａ
2019068444.tif 000002
【特許請求の範囲】
【請求項１】
エンハンスト物理ダウンリンク制御チャネルＥ−ＰＤＣＣＨ伝送方法であって、
物理リソース・ブロック・セットにおいて、各物理リソース・ブロック対（ＰＲＢ対）の第１のリソース・グループを別個に配列するステップであり、前記第１のリソース・グループが、リソース要素グループｅＲＥＧ又はＲＥＧであり、前記物理リソース・ブロック・セットが、前記物理リソース・ブロック対のうちの少なくとも１つを含み、前記物理リソース・ブロック対がそれぞれＮ個の第３のリソース・グループを含み、Ｎが正の整数であり、前記第３のリソース・グループがそれぞれＭ個の第１のリソース・グループを含み、前記物理リソース・ブロック・セットにおいて、物理リソース・ブロック対の各第３のリソース・グループに含まれる第１のリソース・グループの番号セットが、その他の物理リソース・ブロック対のそれぞれの第３のリソース・グループに含まれる第１のリソース・グループの番号セットと同じである、ステップと、
前記物理リソース・ブロック・セットの第１のリソース・グループと第２のリソース・グループとの間の対応に従って第２のリソース・グループに番号付けするステップであり、前記第２のリソース・グループが、制御チャネル要素ｅＣＣＥ又は制御チャネル候補であり、前記第２のリソース・グループがそれぞれＭ個の第１のリソース・グループを含む、ステップと、
Ｅ−ＰＤＣＣＨを伝送するための第２のリソース・グループの番号を決定するステップと、
前記決定した番号に従って、伝送のために前記Ｅ−ＰＤＣＣＨを対応する第１のリソース・グループにマッピングするステップとを含む、
方法。
【請求項２】
前記物理リソース・ブロック・セットの第１のリソース・グループと第２のリソース・グループとの間の対応に従って第２のリソース・グループに番号付けする前記ステップが、前記第３のリソース・グループのそれぞれが第１のタイプの第２のリソース・グループのうちの１つに対応し、第１のタイプの第２のリソース・グループがそれぞれ局在モードでＥ−ＰＤＣＣＨを送信する第２のリソース・グループであり、各物理リソース・ブロック対の第１のタイプの第２のリソース・グループが、前記物理リソース・ブロック対の番号の昇順又は降順で順番に番号を付けられ、第１のタイプの第２のリソース・グループの番号と前記第１のタイプの第２のリソース・グループに対応する第１のリソース・グループの番号との間の対応が、各物理リソース・ブロック対に存在する、請求項１に記載の方法。
【請求項３】
第１のタイプの第２のリソース・グループの番号と前記第１のタイプの第２のリソース・グループに対応する第１のリソース・グループの番号との間の対応が、各物理リソース・ブロック対に存在し、
各物理リソース・ブロック対において、前記第１のタイプの第２のリソース・グループの番号が連続的であり、前記第１のタイプの第２のリソース・グループの番号の順序が、前記第１のタイプの第２のリソース・グループに対応する前記第１のリソース・グループの最大番号又は最小番号の順序と同じである、請求項２に記載の方法。
【請求項４】
前記物理リソース・ブロック・セットの第１のリソース・グループと第２のリソース・グループとの間の対応に従って第２のリソース・グループに番号付けするステップが、数式：
ｊ＝Ｋ＊ｍ＋（ｉ  ｍｏｄ  Ｋ）
に従って第１のタイプの第２のリソース・グループの番号を決定するステップを含み、
ｉが、第１のリソース・グループの番号であり、ｉが、０からＬ−１の整数であり、Ｌが、前記物理リソース・ブロック対のうちの１つにおける第１のリソース・グループの量であり、ｊが、前記第１のタイプの第２のリソース・グループの番号であり、ｍが、物理リソース・ブロック対の番号であり、Ｋが、前記物理リソース・ブロック対のそれぞれの第１のタイプの第２のリソース・グループの量であり、ｍｏｄが、モジュロ演算を示し、前記第１のタイプの各第２のリソース・グループが、同じ物理リソース・ブロック対に属するＭ個の第１のリソース・グループに対応し、Ｍが、正の整数である、請求項１から３のいずれか一項に記載の方法。
【請求項５】
前記物理リソース・ブロック対がそれぞれＮ個の第３のリソース・グループを含み、Ｎが、正の整数であり、前記第３のリソース・グループがそれぞれＭ個の第１のリソース・グループを含み、前記物理リソース・ブロック・セットにおいて、物理リソース・ブロック対の各第３のリソース・グループに含まれる第１のリソース・グループの番号セットが、その他の物理リソース・ブロック対のそれぞれの第３のリソース・グループに含まれる第１のリソース・グループの番号セットと同じであり、各物理リソース・ブロック対において、前記第３のリソース・グループの番号の順序が、前記第３のリソース・グループの前記第１のリソース・グループの最大番号又は最小番号の順序と同じであり、
物理リソース・ブロック・セットの第１のリソース・グループと第２のリソース・グループとの間の対応に従って第２のリソース・グループに番号付けする前記ステップが、前記第３のリソース・グループのそれぞれが第１のタイプの第２のリソース・グループのうちの１つに対応し、同じ番号を有する第３のリソース・グループに対応する第１のタイプの第２のリソース・グループが、前記第３のリソース・グループの番号の昇順又は降順で順番に番号を付けられ、第１のタイプの第２のリソース・グループの番号の順序と前記第１のタイプの第２のリソース・グループが置かれる物理リソース・ブロック対の番号の順序との間の対応が、前記同じ番号を有する前記第３のリソース・グループに対応する前記第１のタイプの第２のリソース・グループに存在する、請求項１に記載の方法。
【請求項６】
前記第１のタイプの第２のリソース・グループの番号の順序と前記第１のタイプの第２のリソース・グループが置かれる物理リソース・ブロック対の番号の順序との間の対応が、前記同じ番号を有する前記第３のリソース・グループに対応する前記第１のタイプの第２のリソース・グループに存在することが、
前記同じ番号を有する前記第３のリソース・グループに対応する前記第１のタイプの第２のリソース・グループにおいて、前記第１のタイプの第２のリソース・グループの番号が連続的であり、前記第１のタイプの第２のリソース・グループの番号の順序が、前記第１のタイプの第２のリソース・グループが置かれる物理リソース・ブロック対の番号の順序と同じであることを含む、請求項５に記載の方法。
【請求項７】
前記物理リソース・ブロック・セットの前記第１のリソース・グループと前記第２のリソース・グループとの間の対応に従って第２のリソース・グループに番号付けする前記ステップが、
数式：
ｊ＝（ｉ  ｍｏｄ  Ｋ）＊Ｋ＋ｍ
に従って第１のタイプの第２のリソース・グループの番号を決定するステップを含み、
ｉが、第１のリソース・グループの番号であり、ｉが、０からＬ−１の整数であり、Ｌが、前記物理リソース・ブロック対のうちの１つにおける第１のリソース・グループの量であり、ｊが、前記第１のタイプの第２のリソース・グループの番号であり、ｍが、物理リソース・ブロック対の番号であり、Ｋが、前記物理リソース・ブロック対のそれぞれの第１のタイプの第２のリソース・グループの量であり、ｍｏｄが、モジュロ演算を示し、前記第１のタイプの第２のリソース・グループが、同じ物理リソース・ブロック対に属するＭ個の第１のリソース・グループに対応し、Ｍが、正の整数である、請求項１、５及び６のいずれか一項に記載の方法。
【請求項８】
前記同じ番号を有する前記第３のリソース・グループに対応する前記第１のタイプの第２のリソース・グループについて、物理リソース・ブロック対の第１のタイプの第２のリソース・グループと前記物理リソース・ブロック対の前記第１のタイプの第２のリソース・グループに含まれる第１のリソース・グループとの間のマッピング関係が、その他の物理リソース・ブロック対のそれぞれの第１のタイプの第２のリソース・グループのうちの１つと前記その他の物理リソース・ブロック対のそれぞれの第１のタイプの第２のリソース・グループのうちの前記１つに含まれる第１のリソース・グループとの間のマッピング関係の巡回シフトである、請求項２、３、５及び６のいずれか一項に記載の方法。
【請求項９】
物理リソース・ブロック・セットの第１のリソース・グループと第２のリソース・グループとの間の対応に従って第２のリソース・グループに番号付けする前記ステップが、
第２のタイプの第２のリソース・グループが、異なる物理リソース・ブロック対に属するＭ個の第１のリソース・グループを含むこと、及び
前記第２のタイプの第２のリソース・グループに対応する同じ物理リソース・ブロック対の第１のリソース・グループの番号が、前記第２のタイプの第２のリソース・グループの番号として使用され、物理リソース・ブロック・セットの第２のタイプの第２のリソース・グループが分散モードでＥ−ＰＤＣＣＨを送信するリソース・グループであることを含む、請求項２から４のいずれか一項に記載の方法。
【請求項１０】
物理リソース・ブロック・セットの第１のリソース・グループと第２のリソース・グループとの間の対応に従って第２のリソース・グループに番号付けするステップが、
数式：
ｊ＝（ｉ−Ｋ＊ｍ）  ｍｏｄ  １６
に従って第２のタイプの第２のリソース・グループの番号を決定するステップであって、
ｉが、第１のリソース・グループの番号であり、ｉが、０からＬ−１の整数であり、Ｌが、物理リソース・ブロック対のうちの１つにおける第１のリソース・グループの量であり、ｊが、第２のタイプの第２のリソース・グループの番号であり、ｍが、物理リソース・ブロック対の番号であり、Ｋが、前記物理リソース・ブロック対のそれぞれの第２のタイプの第２のリソース・グループの量であり、ｍｏｄが、モジュロ演算を示すステップ、或いは、
数式：
ｉ＝（ｊ＋ｘ＊Ｋ）  ｍｏｄ  Ｎ、
ｍ＝（ｆｌｏｏｒ（ｊ／（Ｍ＊Ｋ））＊Ｍ＋ｘ）  ｍｏｄ  Ｃ
に従って第２のタイプの第２のリソース・グループの番号を決定するステップであって、
ｉが、番号ｊが付された第２のタイプの第２のリソース・グループに対応するｘ番目の第１のリソース・グループの番号であり、ｉが、０からＬ−１の整数であり、Ｌが、物理リソース・ブロック対のうちの１つにおける第１のリソース・グループの量であり、ｍが、前記番号ｊが付された第２のタイプの第２のリソース・グループに対応するｘ番目の第１のリソース・グループが置かれる物理リソース・ブロック対の番号であり、Ｋ＝ｆｌｏｏｒ（Ｐ／Ｏ）であり、Ｐが、物理リソース・ブロック対の第１のリソース・グループの量であり、Ｏが、第２のリソース・グループに含まれる第１のリソース・グループの量であり、Ｃが、物理リソース・ブロック・セットの物理リソース・ブロック対の量であり、ｍｏｄが、モジュロ演算を示し、ｆｌｏｏｒが、切り捨て演算を示すステップを含む、請求項９に記載の方法。
【請求項１１】
物理リソース・ブロック・セットの第１のリソース・グループと第２のリソース・グループとの間の対応に従って第２のリソース・グループに番号付けするステップが、
第２のタイプの第２のリソース・グループが、異なる物理リソース・ブロック対に属するＭ個の第１のリソース・グループを含み、前記物理リソース・ブロック・セットが、Ｋ組の第２のタイプの第２のリソース・グループのセットを含み、Ｋが、正の整数であり、前記Ｋ組のセットの各セットにおいて、前記第２のタイプの第２のリソース・グループのうちの１つと前記第２のタイプの第２のリソース・グループのうちの前記１つに含まれる第１のリソース・グループとの間のマッピング関係が、その他の第２のタイプの第２のリソース・グループのそれぞれと前記その他の第２のタイプの第２のリソース・グループのそれぞれに含まれる第１のリソース・グループとの間のマッピング関係の巡回シフトであり、
前記Ｋ組のセットの各セットにおいて、前記第２のタイプの第２のリソース・グループが、前記第２のタイプの第２のリソース・グループに対応する同じ物理リソース・ブロック対の第１のリソース・グループの番号に従って番号を付けられ、
前記Ｋ組のセットの異なるセット間で、前記第２のタイプの第２のリソース・グループの番号の順番が、同じ物理リソース・ブロック対の前記Ｋ組のセットの異なるセットに対応する第１のリソース・グループの最大番号又は最小番号の順番と同じであり、物理リソース・ブロック・セットの第２のタイプの第２のリソース・グループが分散モードでＥ−ＰＤＣＣＨを送信するリソース・グループであることを含む、請求項５から７のいずれか１項に記載の方法。
【請求項１２】
前記物理リソース・ブロック・セットが、Ｋ組の第２のタイプの第２のリソース・グループのセットを含み、前記Ｋ組のセットの各セットにおいて、前記第２のタイプの第２のリソース・グループのうちの１つと前記第２のタイプの第２のリソース・グループのうちの前記１つに含まれる第１のリソース・グループとの間のマッピング関係が、その他の第２のタイプの第２のリソース・グループのそれぞれと前記その他の第２のタイプの第２のリソース・グループのそれぞれに含まれる第１のリソース・グループとの間のマッピング関係の巡回シフトである、請求項９又は１０に記載の方法。
【請求項１３】
前記物理リソース・ブロック・セットの前記第１のタイプの第２のリソース・グループのうちの少なくとも２つに対応する第１のリソース・グループが、前記物理リソース・ブロック・セットの前記第２のタイプの第２のリソース・グループのうちの少なくとも２つに対応する第１のリソース・グループと同じである場合には、前記第１のタイプの第２のリソース・グループのうちの前記少なくとも２つの番号のセットが、前記第２のタイプの第２のリソース・グループのうちの前記少なくとも２つの番号のセットと同じである、請求項９から１２のいずれか一項に記載の方法。
【請求項１４】
エンハンスト物理ダウンリンク制御チャネルＥ−ＰＤＣＣＨ伝送装置であって、
物理リソース・ブロック・セットにおいて、各物理リソース・ブロック対（ＰＲＢ対）の第１のリソース・グループを別個に配列するように構成された配列ユニットであり、前記第１のリソース・グループが、リソース要素グループｅＲＥＧ又はＲＥＧであり、前記物理リソース・ブロック・セットが、前記物理リソース・ブロック対のうちの少なくとも１つを含み、前記物理リソース・ブロック対がそれぞれＮ個の第３のリソース・グループを含み、Ｎが正の整数であり、前記第３のリソース・グループがそれぞれＭ個の第１のリソース・グループを含み、前記物理リソース・ブロック・セットにおいて、物理リソース・ブロック対の各第３のリソース・グループに含まれる第１のリソース・グループの番号セットが、その他の物理リソース・ブロック対のそれぞれの第３のリソース・グループに含まれる第１のリソース・グループの番号セットと同じである、配列ユニットと、
前記物理リソース・ブロック・セットの第１のリソース・グループと第２のリソース・グループとの間の対応に従って第２のリソース・グループに番号付けするように構成された番号付けユニットであり、前記第２のリソース・グループが、制御チャネル要素ｅＣＣＥ又は制御チャネル候補であり、前記第２のリソース・グループがそれぞれＭ個の第１のリソース・グループを含む、番号付けユニットと、
Ｅ−ＰＤＣＣＨを伝送するための第２のリソース・グループの番号を決定するように構成された第５の決定ユニットと、
前記決定した番号に従って、伝送のために前記Ｅ−ＰＤＣＣＨを対応する第１のリソース・グループにマッピングするように構成された伝送ユニットとを含む、
装置。
【請求項１５】
前記第３のリソース・グループのそれぞれが、第１のタイプの第２のリソース・グループのうちの１つに対応し、第１のタイプの第２のリソース・グループがそれぞれ局在モードでＥ−ＰＤＣＣＨを送信する第２のリソース・グループであり、
前記番号付けユニットが、各物理リソース・ブロック対の前記第１のタイプの第２のリソース・グループに、前記物理リソース・ブロック対の番号の昇順又は降順で順番に番号を付けるように構成され、第１のタイプの第２のリソース・グループの番号と前記第１のタイプの第２のリソース・グループに対応する第１のリソース・グループの番号との間の対応が、各物理リソース・ブロック対に存在する、請求項１４に記載の装置。
【請求項１６】
第１のタイプの第２のリソース・グループの番号と前記第１のタイプの第２のリソース・グループに対応する第１のリソース・グループの番号との間の対応が、各物理リソース・ブロック対に存在し、
各物理リソース・ブロック対において、前記第１のタイプの第２のリソース・グループの番号が連続的であり、前記第１のタイプの第２のリソース・グループの番号の順序が、前記第１のタイプの第２のリソース・グループに対応する前記第１のリソース・グループの最大番号又は最小番号の順序と同じである、請求項１５に記載の装置。
【請求項１７】
前記番号付けユニットが、数式：
ｊ＝Ｋ＊ｍ＋（ｉ  ｍｏｄ  Ｋ）
に従って第１のタイプの第２のリソース・グループの番号を決定するように構成され、
ｉが、第１のリソース・グループの番号であり、ｉが、０からＬ−１の整数であり、Ｌが、前記物理リソース・ブロック対のうちの１つにおける第１のリソース・グループの量であり、ｊが、前記第１のタイプの第２のリソース・グループの番号であり、ｍが、物理リソース・ブロック対の番号であり、Ｋが、前記物理リソース・ブロック対のそれぞれの第１のタイプの第２のリソース・グループの量であり、ｍｏｄが、モジュロ演算を示し、前記第１のタイプの第２のリソース・グループが、同じ物理リソース・ブロック対に属するＭ個の第１のリソース・グループに対応し、Ｍが、正の整数である、請求項１４から１６のいずれか一項に記載の装置。
【請求項１８】
前記物理リソース・ブロック対がそれぞれＮ個の第３のリソース・グループを含み、Ｎが、正の整数であり、前記第３のリソース・グループがそれぞれＭ個の第１のリソース・グループを含み、前記物理リソース・ブロック・セットにおいて、物理リソース・ブロック対の各第３のリソース・グループに含まれる第１のリソース・グループの番号セットが、その他の物理リソース・ブロック対のそれぞれの第３のリソース・グループに含まれる第１のリソース・グループの番号セットと同じであり、各物理リソース・ブロック対において、前記第３のリソース・グループの番号の順序が、前記第３のリソース・グループの前記第１のリソース・グループの最大番号又は最小番号の順序と同じであり、前記第３のリソース・グループのそれぞれが、第１のタイプの第２のリソース・グループのうちの１つに対応し、
前記番号付けユニットが、同じ番号を有する第３のリソース・グループに対応する第１のタイプの第２のリソース・グループに、前記第３のリソース・グループの番号の昇順又は降順で順番に番号を付けるように構成され、第１のタイプの第２のリソース・グループの番号の順序と前記第１のタイプの第２のリソース・グループが置かれる物理リソース・ブロック対の番号の順序との間の対応が、前記同じ番号を有する前記第３のリソース・グループに対応する前記第１のタイプの第２のリソース・グループに存在する、請求項１４に記載の装置。
【請求項１９】
前記第１のタイプの第２のリソース・グループの番号の順序と前記第１のタイプの第２のリソース・グループが置かれる物理リソース・ブロック対の番号の順序との間の対応が、前記同じ番号を有する前記第３のリソース・グループに対応する前記第１のタイプの第２のリソース・グループに存在することが、
前記同じ番号を有する前記第３のリソース・グループに対応する前記第１のタイプの第２のリソース・グループにおいて、前記第１のタイプの第２のリソース・グループの番号が連続的であり、前記第１のタイプの第２のリソース・グループの番号の順序が、前記第１のタイプの第２のリソース・グループが置かれる物理リソース・ブロック対の番号の順序と同じであることを含む、請求項１８に記載の装置。
【請求項２０】
前記番号付けユニットが、数式：
ｊ＝（ｉ  ｍｏｄ  Ｋ）＊Ｋ＋ｍ
に従って第１のタイプの第２のリソース・グループの番号を決定するように構成され、
ｉが、第１のリソース・グループの番号であり、ｉが、０からＬ−１の整数であり、Ｌが、前記物理リソース・ブロック対のうちの１つにおける第１のリソース・グループの量であり、ｊが、前記第１のタイプの第２のリソース・グループの番号であり、ｍが、物理リソース・ブロック対の番号であり、Ｋが、前記物理リソース・ブロック対のそれぞれの第１のタイプの第２のリソース・グループの量であり、ｍｏｄが、モジュロ演算を示し、前記第１のタイプの第２のリソース・グループが、同じ物理リソース・ブロック対に属するＭ個の第１のリソース・グループに対応し、Ｍが、正の整数である、請求項１４、１８及び１９のいずれか一項に記載の装置。
【請求項２１】
前記同じ番号を有する前記第３のリソース・グループに対応する前記第１のタイプの第２のリソース・グループについて、物理リソース・ブロック対の第１のタイプの第２のリソース・グループと前記物理リソース・ブロック対の前記第１のタイプの第２のリソース・グループに含まれる第１のリソース・グループとの間のマッピング関係が、その他の物理リソース・ブロック対のそれぞれの第１のタイプの第２のリソース・グループのうちの１つと前記その他の物理リソース・ブロック対のそれぞれの第１のタイプの第２のリソース・グループのうちの前記１つに含まれる第１のリソース・グループとの間のマッピング関係の巡回シフトである、請求項１５、１６、１８及び１９のいずれか一項に記載の装置。
【請求項２２】
第２のタイプの第２のリソース・グループが、異なる物理リソース・ブロック対に属するＭ個の第１のリソース・グループを含み
前記番号付けユニットが、前記第２のタイプの第２のリソース・グループに対応する同じ物理リソース・ブロック対の第１のリソース・グループの番号を、前記第２のタイプの第２のリソース・グループの番号として使用し、物理リソース・ブロック・セットの第２のタイプの第２のリソース・グループが分散モードでＥ−ＰＤＣＣＨを送信するリソース・グループである、請求項１５から１７のいずれか一項に記載の装置。
【請求項２３】
前記番号付けユニットが、数式：
ｊ＝（ｉ−Ｋ＊ｍ）  ｍｏｄ  １６
に従って第２のタイプの第２のリソース・グループの番号を決定するように構成され、
ｉが、第１のリソース・グループの番号であり、ｉが、０からＬ−１の整数であり、Ｌが、物理リソース・ブロック対のうちの１つにおける第１のリソース・グループの量であり、ｊが、第２のタイプの第２のリソース・グループの番号であり、ｍが、物理リソース・ブロック対の番号であり、Ｋが、前記物理リソース・ブロック対のそれぞれの第２のタイプの第２のリソース・グループの量であり、ｍｏｄが、モジュロ演算を示す、或いは、
前記番号付けユニットが、数式：
ｉ＝（ｊ＋ｘ＊Ｋ）  ｍｏｄ  Ｎ、
ｍ＝（ｆｌｏｏｒ（ｊ／（Ｍ＊Ｋ））＊Ｍ＋ｘ）  ｍｏｄ  Ｃ
に従って第２のタイプの第２のリソース・グループの番号を決定するように構成され、
ｉが、番号ｊが付された第２のタイプの第２のリソース・グループに対応するｘ番目の第１のリソース・グループの番号であり、ｉが、０からＬ−１の整数であり、Ｌが、物理リソース・ブロック対のうちの１つにおける第１のリソース・グループの量であり、ｍが、前記番号ｊが付された第２のタイプの第２のリソース・グループに対応するｘ番目の第１のリソース・グループが置かれる物理リソース・ブロック対の番号であり、Ｋ＝ｆｌｏｏｒ（Ｐ／Ｏ）であり、Ｐが、物理リソース・ブロック対の第１のリソース・グループの量であり、Ｏが、第２のリソース・グループに含まれる第１のリソース・グループの量であり、Ｃが、物理リソース・ブロック・セットの物理リソース・ブロック対の量であり、ｍｏｄが、モジュロ演算を示し、ｆｌｏｏｒが、切り捨て演算を示すステップを含む、請求項２２に記載の装置。
【請求項２４】
第２のタイプの第２のリソース・グループが、異なる物理リソース・ブロック対に属するＭ個の第１のリソース・グループを含み、前記物理リソース・ブロック・セットが、Ｋ組の第２のタイプの第２のリソース・グループのセットを含み、Ｋが、正の整数であり、前記Ｋ組のセットの各セットにおいて、前記第２のタイプの第２のリソース・グループのうちの１つと前記第２のタイプの第２のリソース・グループのうちの前記１つに含まれる第１のリソース・グループとの間のマッピング関係が、その他の第２のタイプの第２のリソース・グループのそれぞれと前記その他の第２のタイプの第２のリソース・グループのそれぞれに含まれる第１のリソース・グループとの間のマッピング関係の巡回シフトであり、
前記番号付けユニットが、前記Ｋ組のセットの各セットにおいて、前記第２のタイプの第２のリソース・グループに、前記第２のタイプの第２のリソース・グループに対応する同じ物理リソース・ブロック対の第１のリソース・グループの番号に従って番号を付けるように構成され、
前記Ｋ組のセットの異なるセット間で、前記第２のタイプの第２のリソース・グループの番号の順番が、同じ物理リソース・ブロック対の前記Ｋ組のセットの異なるセットに対応する第１のリソース・グループの最大番号又は最小番号の順番と同じであり、物理リソース・ブロック・セットの第２のタイプの第２のリソース・グループが分散モードでＥ−ＰＤＣＣＨを送信するリソース・グループである、請求項１８から２０のいずれか一項に記載の装置。
【請求項２５】
前記物理リソース・ブロック・セットが、Ｋ組の第２のタイプの第２のリソース・グループのセットを含み、前記Ｋ組のセットの各セットにおいて、前記第２のタイプの第２のリソース・グループのうちの１つと前記第２のタイプの第２のリソース・グループのうちの前記１つに含まれる第１のリソース・グループとの間のマッピング関係が、その他の第２のタイプの第２のリソース・グループのそれぞれと前記その他の第２のタイプの第２のリソース・グループのそれぞれに含まれる第１のリソース・グループとの間のマッピング関係の巡回シフトである、請求項２２又は２３に記載の装置。
【請求項２６】
前記物理リソース・ブロック・セットの前記第１のタイプの第２のリソース・グループのうちの少なくとも２つに対応する第１のリソース・グループが、前記物理リソース・ブロック・セットの前記第２のタイプの第２のリソース・グループのうちの少なくとも２つに対応する第１のリソース・グループと同じである場合には、前記第１のタイプの第２のリソース・グループのうちの前記少なくとも２つの番号のセットが、前記第２のタイプの第２のリソース・グループのうちの前記少なくとも２つの番号のセットと同じである、請求項２２から２５のいずれか一項に記載の装置。
【発明の詳細な説明】
【技術分野】
【０００１】
関連出願の相互参照
本願は、参照によりその全体を本明細書に組み込む、「ＥＮＨＡＮＣＥＤ  ＰＨＹＳＩＣＡＬ  ＤＯＷＮＬＩＮＫ  ＣＯＮＴＲＯＬ  ＣＨＡＮＮＥＬ  ＴＲＡＮＳＭＩＳＳＩＯＮ  ＭＥＴＨＯＤ  ＡＮＤ  ＤＥＶＩＣＥ」と題する２０１２年８月２日に中国特許庁に出願されたＰＣＴ出願第ＰＣＴ／ＣＮ２０１２／０７９５９８号の優先権を主張するものである。
【０００２】
本発明は、通信技術に関し、特に、エンハンスト物理ダウンリンク制御チャネル伝送の方法及び装置に関する。
【背景技術】
【０００３】
ＬＴＥリリース（Ｒｅｌｅａｓｅ）８／９／１０では、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）が、各サブフレームの最初のＮ（Ｎ＝１、２、３、４）個の直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）シンボルで伝送され、且つ時分割多重（Ｔｉｍｅ−Ｄｉｖｉｓｉｏｎ  Ｍｕｌｔｉｐｌｅｘｉｎｇ：ＴＤＭ）モードで物理ダウンリンク共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）と多重化され、そして、その復調パイロットは、ダウンリンク共有パイロット、すなわちセル固有参照信号（Ｃｅｌｌ−ｓｐｅｃｉｆｉｃ  ＲＳ：ＣＲＳ）である。伝送の信頼性を確保するために、空間周波数ブロック・コード（Ｓｐａｃｅ  Ｆｒｅｑｕｅｎｃｙ  Ｂｌｏｃｋ  Ｃｏｄｅ：ＳＦＢＣ）伝送モード、又はＳＦＢＣ伝送モードと周波数切換え伝送ダイバーシチ（Ｆｒｅｑｕｅｎｃｙ  Ｓｗｉｔｃｈｅｄ  Ｔｒａｎｓｍｉｔ  Ｄｉｖｅｒｓｉｔｙ：ＦＳＴＤ）伝送モードの組合せを使用する。
【０００４】
異種ネットワークは、大規模に展開されにつれ、ＬＴＥリリース１１では、ＰＤＣＣＨは、容量、有効範囲、及び干渉調整の点で大きな難問に直面するので、エンハンストＰＤＣＣＨ（Ｅｎｈａｎｃｅｄ−ＰＤＣＣＨ：Ｅ−ＰＤＣＣＨ）が提唱されている。Ｅ−ＰＤＣＣＨは、ＰＤＳＣＨ領域に位置し、周波数分割多重（Ｆｒｅｑｕｅｎｃｙ  Ｄｉｖｉｓｉｏｎ  Ｍｕｌｔｉｐｌｅｘｉｎｇ：ＦＤＭ）モードでＰＤＳＣＨと多重化される。さらに、時間周波数リソース・ブロックのエンハンスト制御チャネルとトラフィック・チャネルの多重化には対応していない。Ｅ−ＰＤＣＣＨは、ユーザ装置（Ｕｓｅｒ  Ｅｑｕｉｐｍｅｎｔ：ＵＥ）に固有の復調参照信号（Ｄｅｍｏｄｕｌａｔｉｏｎ  Ｒｅｆｅｒｅｎｃｅ  Ｓｉｇｎａｌ：ＤＭＲＳ）に基づいて復調される。上記から分かるように、Ｅ−ＰＤＣＣＨが占める時間周波数リソースは、従来技術でＰＤＣＣＨが占める時間周波数リソースとは異なり、且つＰＤＣＣＨ伝送モードをそのまま使用して、Ｅ−ＰＤＣＣＨを伝送することはできない。従って、Ｅ−ＰＤＣＣＨ伝送問題を解決する必要がある。
【発明の概要】
【発明が解決しようとする課題】
【０００５】
本発明の実施形態は、エンハンスト物理ダウンリンク制御チャネル伝送の方法及び装置を提供して、Ｅ−ＰＤＣＣＨ伝送問題を解決する。
【課題を解決するための手段】
【０００６】
本発明の実施形態の第１の態様は、物理リソース・ブロック・セットにおいて、各物理リソース・ブロック対（ＰＲＢ対）の複数の第１のリソース・グループを別個に配列するステップであり、前記複数の第１のリソース・グループが、複数のリソース要素グループｅＲＥＧ又はＲＥＧであり、前記物理リソース・ブロック・セットが、前記複数の物理リソース・ブロック対のうちの少なくとも１つを含むステップと、前記物理リソース・ブロック・セットの前記複数の第１のリソース・グループと複数の第２のリソース・グループとの間の対応に従って前記複数の第２のリソース・グループに番号付けするステップであり、前記複数の第２のリソース・グループが、制御チャネル要素ｅＣＣＥの複数のグループ又は複数の制御チャネル候補であるステップと、Ｅ−ＰＤＣＣＨを伝送するための複数の第２のリソース・グループの番号を決定するステップと、前記決定した番号に従って、伝送のために前記Ｅ−ＰＤＣＣＨを対応する複数の第１のリソース・グループにマッピングするステップとを含む、エンハンスト物理ダウンリンク制御チャネルＥ−ＰＤＣＣＨ伝送方法を提供する。
【０００７】
前述の方法のいずれか１つの任意選択の実施方式では、前記物理リソース・ブロック対はそれぞれＮ個の第３のリソース・グループを含み、Ｎは正の整数であり、且つ前記第３のリソース・グループはそれぞれＭ個の第１のリソース・グループを含み、且つ前記物理リソース・ブロック・セットにおいて、物理リソース・ブロック対の各第３のリソース・グループに含まれる複数の第１のリソース・グループの番号セットは、その他の複数の物理リソース・ブロック対のそれぞれの第３のリソース・グループに含まれる複数の第１のリソース・グループの番号セットと同じであり、且つ前記物理リソース・ブロック・セットの前記複数の第１のリソース・グループと複数の第２のリソース・グループとの間の対応に従って前記第２のリソース・グループに番号付けする前記ステップは、前記複数の第３のリソース・グループのそれぞれが第１のタイプの複数の第２のリソース・グループのうちの１つに対応し、且つ各物理リソース・ブロック対の前記第１のタイプの前記複数の第２のリソース・グループが、前記複数の物理リソース・ブロック対の番号の昇順又は降順で順番に番号を付けられ、前記第１のタイプの前記複数の第２のリソース・グループの複数の番号と前記第１のタイプの前記複数の第２のリソース・グループに対応する複数の第１のリソース・グループの複数の番号との間の対応が、各物理リソース・ブロック対に存在することを含む。
【０００８】
前述の方法のいずれか１つの任意選択の実施方式では、前記第１のタイプの前記複数の第２のリソース・グループの複数の番号と前記第１のタイプの前記複数の第２のリソース・グループに対応する複数の第１のリソース・グループの複数の番号との間の対応が、各物理リソース・ブロック対に存在することは、
各物理リソース・ブロック対において、前記第１のタイプの前記複数の第２のリソース・グループの前記複数の番号は連続的であり、且つ前記第１のタイプの前記複数の第２のリソース・グループの前記複数の番号の順序は、前記第１のタイプの前記複数の第２のリソース・グループに対応する前記複数の第１のリソース・グループの複数の最大番号又は複数の最小番号の順序と同じであることを含む。
【０００９】
前述の方法のいずれか１つの任意選択の実施方式では、前記物理リソース・ブロック・セットの前記複数の第１のリソース・グループと前記複数の第２のリソース・グループとの間の対応に従って第２の複数のリソース・グループに番号付けするステップは、数式：
ｊ＝Ｋ＊ｍ＋（ｉ  ｍｏｄ  Ｋ）
に従って前記第１のタイプの複数の第２のリソース・グループの前記複数の番号を決定するステップを含み、
ｉは、第１のリソース・グループの番号であり、ｉは、０からＬ−１の整数であり、Ｌは、前記複数の物理リソース・ブロック対のうちの１つにおける複数の第１のリソース・グループの量であり、ｊは、前記第１のタイプの前記第２のリソース・グループの番号であり、ｍは、物理リソース・ブロック対の番号であり、Ｋは、前記複数の物理リソース・ブロック対のそれぞれの前記第１のタイプの前記複数の第２のリソース・グループの量であり、ｍｏｄは、モジュロ演算を示し、且つ前記第１のタイプの前記複数の第２のリソース・グループは、同じ物理リソース・ブロック対に属するＭ個の第１のリソース・グループに対応し、Ｍは、正の整数である。
【００１０】
前述の方法のいずれか１つの任意選択の実施方式では、前記複数の物理リソース・ブロック対はそれぞれＮ個の第３のリソース・グループを含み、Ｎは、正の整数であり、且つ前記複数の第３のリソース・グループはそれぞれＭ個の第１のリソース・グループを含み、物理リソース・ブロック対の各第３のリソース・グループに含まれる複数の第１のリソース・グループの番号セットは、その他の複数の物理リソース・ブロック対のそれぞれの第３のリソース・グループに含まれる複数の第１のリソース・グループの番号セットと同じであり、前記複数の物理リソース・ブロック対それぞれにおいて、前記第３の複数のリソース・グループの複数の番号の順序は、前記複数の第３のリソース・グループの前記複数の第１のリソース・グループの複数の最大番号又は複数の最小番号の順序と同じであり、且つ前記物理リソース・ブロック・セットの複数の第１のリソース・グループと複数の第２のリソース・グループとの間の対応に従って複数の第２のリソース・グループに番号付けする前記ステップは、前記第３のリソース・グループのそれぞれが第１のタイプの前記複数の第２のリソース・グループのうちの１つに対応し、且つ同じ番号を有する複数の第３のリソース・グループに対応する前記第１のタイプの前記複数の第２のリソース・グループが、前記複数の第３のリソース・グループの前記複数の番号の昇順又は降順で順番に番号を付けられ、前記第１のタイプの前記複数の第２のリソース・グループの複数の番号の順序と前記第１のタイプの前記複数の第２のリソース・グループが置かれる複数の物理リソース・ブロック対の複数の番号の順序との間の対応が、前記同じ番号を有する前記複数の第３のリソース・グループに対応する前記第１のタイプの前記複数の第２のリソース・グループに存在することを含む。
【００１１】
前述の方法のいずれか１つの任意選択の実施方式では、前記第１のタイプの複数の第２のリソース・グループの複数の番号の順序と前記第１のタイプの前記複数の第２のリソース・グループが置かれる複数の物理リソース・ブロック対の複数の番号の順序との間の対応が、前記同じ番号を有する前記第３の複数のリソース・グループに対応する前記第１のタイプの前記複数の第２のリソース・グループに存在することは、
前記同じ番号を有する前記複数の第３のリソース・グループに対応する前記第１のタイプの前記複数の第２のリソース・グループにおいて、前記第１のタイプの複数の第２のリソース・グループの番号が連続的であり、且つ前記第１のタイプの前記複数の第２のリソース・グループの前記複数の番号の順序が、前記第１のタイプの前記複数の第２のリソース・グループが置かれる前記複数の物理リソース・ブロック対の前記複数の番号の前記順序と同じであることを含む。
【００１２】
前述の方法のいずれか１つの任意選択の実施方式では、前記物理リソース・ブロック・セットの前記複数の第１のリソース・グループと前記複数の第２のリソース・グループとの間の対応に従って複数の第２のリソース・グループに番号付けする前記ステップは、
数式：
ｊ＝（ｉ  ｍｏｄ  Ｋ）＊Ｋ＋ｍ
に従って前記第１のタイプの前記複数の第２のリソース・グループの前記複数の番号を決定するステップを含み、
ｉは、第１のリソース・グループの番号であり、ｉは、０からＬ−１の整数であり、Ｌは、前記物理複数のリソース・ブロック対のうちの１つにおける複数の第１のリソース・グループの量であり、ｊは、前記第１のタイプの前記第２のリソース・グループの番号であり、ｍは、物理リソース・ブロック対の番号であり、Ｋは、前記複数の物理リソース・ブロック対のそれぞれの第１のタイプの前記複数の第２のリソース・グループの量であり、ｍｏｄは、モジュロ演算を示し、且つ前記第１のタイプの前記複数の第２のリソース・グループは、同じ物理リソース・ブロック対に属するＭ個の第１のリソース・グループに対応し、Ｍは、正の整数である。
【００１３】
前述の方法のいずれか１つの任意選択の実施方式では、前記同じ番号を有する前記複数の第３のリソース・グループに対応する前記第１のタイプの前記複数の第２のリソース・グループについて、物理リソース・ブロック対の前記第１のタイプの前記複数の第２のリソース・グループと前記物理リソース・ブロック対の前記第１のタイプの前記複数の第２のリソース・グループに含まれる複数の第１のリソース・グループとの間のマッピング関係は、その他の複数の物理リソース・ブロック対のそれぞれの前記第１のタイプの前記複数の第２のリソース・グループのうちの１つと前記その他の複数の物理リソース・ブロック対のそれぞれの前記第１のタイプの前記複数の第２のリソース・グループのうちの前記１つに含まれる複数の第１のリソース・グループとの間のマッピング関係の巡回シフトである。
【００１４】
前述の方法のいずれか１つの任意選択の実施方式では、前記物理リソース・ブロック・セットの前記複数の第１のリソース・グループと前記複数の第２のリソース・グループとの間の対応に従って複数の第２のリソース・グループに番号付けする前記ステップは、
第２のタイプの前記複数の第２のリソース・グループが、異なる複数の物理リソース・ブロック対それぞれに属するＭ個の第１のリソース・グループを含むこと、及び
前記第２のタイプの前記複数の第２のリソース・グループに対応する同じ物理リソース・ブロック対の複数の第１のリソース・グループの複数の番号が、前記第２のタイプの前記複数の第２のリソース・グループの複数の番号として使用されることを含む。
【００１５】
前述の方法のいずれか１つの任意選択の実施方式では、前記物理リソース・ブロック・セットの前記複数の第１のリソース・グループと複数の第２のリソース・グループとの間の対応に従って複数の第２のリソース・グループに番号付けするステップは、
数式：
ｊ＝（ｉ−Ｋ＊ｍ）  ｍｏｄ  １６
に従って前記第２のタイプの前記複数の第２のリソース・グループの前記複数の番号を決定するステップであって、
ｉが、第１のリソース・グループの番号であり、ｉが、０からＬ−１の整数であり、Ｌが、前記複数の物理リソース・ブロック対のうちの１つにおける複数の第１のリソース・グループの量であり、ｊが、前記第２のタイプの前記第２のリソース・グループの番号であり、ｍが、物理リソース・ブロック対の番号であり、Ｋが、前記複数の物理リソース・ブロック対のそれぞれの第２のタイプの第２のリソース・グループの量であり、ｍｏｄが、モジュロ演算を示すステップ、或いは、
数式：
ｉ＝（ｊ＋ｘ＊Ｋ）  ｍｏｄ  Ｎ、
ｍ＝（ｆｌｏｏｒ（ｊ／（Ｍ＊Ｋ））＊Ｍ＋ｘ）  ｍｏｄ  Ｃ
に従って前記第２のタイプの前記複数の第２のリソース・グループの前記複数の番号を決定するステップであって、  ｉが、番号ｊが付された前記第２のタイプの前記第２のリソース・グループに対応するｘ番目の第１のリソース・グループの番号であり、ｉが、０からＬ−１の整数であり、Ｌが、前記複数の物理リソース・ブロック対のうちの１つにおける複数の第１のリソース・グループの量であり、ｍが、前記番号ｊが付された前記第２のタイプの前記第２のリソース・グループに対応する前記ｘ番目の第１のリソース・グループが置かれる物理リソース・ブロック対の番号であり、Ｋ＝ｆｌｏｏｒ（Ｐ／Ｏ）であり、Ｐが、物理リソース・ブロック対の複数の第１のリソース・グループの量であり、Ｏが、第２のリソース・グループに含まれる複数の第１のリソース・グループの量であり、Ｃが、前記物理リソース・ブロック・セットの複数の物理リソース・ブロック対の量であり、ｍｏｄが、モジュロ演算を示し、ｆｌｏｏｒが、切り捨て演算を示すステップを含む。
【００１６】
前述の方法のいずれか１つの任意選択の実施方式では、前記物理リソース・ブロック・セットの複数の第１のリソース・グループと複数の第２のリソース・グループとの間の対応に従って第２のリソース・グループに番号付けするステップは、
第２のタイプの前記複数の第２のリソース・グループが、それぞれ異なる複数の物理リソース・ブロック対に属するＭ個の複数の第１のリソース・グループを含み、且つ前記物理リソース・ブロック・セットが、Ｋ組の前記第２のタイプの前記複数の第２のリソース・グループのセットを含み、Ｋが、正の整数であり、且つ前記Ｋ組のセットの各セットにおいて、前記第２のタイプの前記複数の第２のリソース・グループのうちの１つと前記第２のタイプの前記複数の第２のリソース・グループのうちの前記１つに含まれる複数の第１のリソース・グループとの間のマッピング関係が、前記第２のタイプの他の複数の第２のリソース・グループのそれぞれと前記第２のタイプの前記他の複数の第２のリソース・グループのそれぞれに含まれる複数の第１のリソース・グループとの間のマッピング関係の巡回シフトであり、
前記Ｋ組のセットの各セットにおいて、前記第２のタイプの前記複数の第２のリソース・グループが、前記第２のタイプの前記複数の第２のリソース・グループに対応する同じ物理リソース・ブロック対の複数の第１のリソース・グループの複数の番号に従って番号を付けられ、且つ
前記Ｋ組のセットの異なる複数のセット間で、前記第２のタイプの前記複数の第２のリソース・グループの番号の順番が、同じ物理リソース・ブロック対の前記Ｋ組のセットの中の異なる複数のセットに対応する複数の第１のリソース・グループの複数の最大番号又は複数の最小番号の順番と同じであることを含む。
【００１７】
前述の方法のいずれか１つの任意選択の実施方式では、前記物理リソース・ブロック・セットは、Ｋ組の前記第２のタイプの前記複数の第２のリソース・グループのセットを含み、前記Ｋ組のセットの各セットにおいて、前記第２のタイプの前記複数の第２のリソース・グループのうちの１つと前記第２のタイプの前記複数の第２のリソース・グループのうちの前記１つに含まれる複数の第１のリソース・グループとの間のマッピング関係は、前記第２のタイプの他の複数の第２のリソース・グループのそれぞれと前記第２のタイプの前記他の複数の第２のリソース・グループのそれぞれに含まれる複数の第１のリソース・グループとの間のマッピング関係の巡回シフトである。
【００１８】
前述の方法のいずれか１つの任意選択の実施方式では、前記物理リソース・ブロック・セットの前記第１のタイプの前記複数の第２のリソース・グループのうちの少なくとも２つに対応する複数の第１のリソース・グループが、前記物理リソース・ブロック・セットの前記第２のタイプの前記複数の第２のリソース・グループのうちの少なくとも２つに対応する複数の第１のリソース・グループと同じである場合には、前記第１のタイプの前記複数の第２のソース・グループのうちの前記少なくとも２つの番号のセットは、前記第２のタイプの前記複数の第２のリソース・グループのうちの前記少なくとも２つの番号のセットと同じである。
【００１９】
前述の方法のいずれか１つの任意選択の実施方式では、前記物理リソース・ブロック・セットの中の前記第１のタイプの前記複数の第２のリソース・グループは、局在モードで前記Ｅ−ＰＤＣＣＨを伝送する複数のリソース・グループであり、且つ前記物理リソース・ブロック・セットの中の前記第２のタイプの前記複数の第２のリソース・グループは、分散モードで前記Ｅ−ＰＤＣＣＨを伝送する複数のリソース・グループである。
【００２０】
本発明の実施形態の第２の態様は、物理リソース・ブロック・セットにおいて、各物理リソース・ブロック対（ＰＲＢ対）の複数の第１のリソース・グループを別個に配列するように構成された配列ユニットであり、前記複数の第１のリソース・グループが、複数のリソース要素グループｅＲＥＧ又はＲＥＧであり、且つ前記物理リソース・ブロック・セットが、前記複数の物理リソース・ブロック対のうちの少なくとも１つを含む、配列ユニットと、前記物理リソース・ブロック・セットの中の前記複数の第１のリソース・グループと前記複数の第２のリソース・グループとの間の対応に従って複数の第２のリソース・グループに番号付けするように構成された番号付けユニットであり、前記複数の第２のリソース・グループが、複数の制御チャネル要素ｅＣＣＥグループ又は複数の制御チャネル候補である、番号付けユニットと、Ｅ−ＰＤＣＣＨを伝送するための前記複数の第２のリソース・グループの番号を決定するように構成された第５の決定ユニットと、前記決定した複数の番号に従って、伝送のために前記Ｅ−ＰＤＣＣＨを対応する複数の第１のリソース・グループにマッピングするように構成された伝送ユニットとを含む、エンハンスト物理ダウンリンク制御チャネルＥ−ＰＤＣＣＨ伝送装置を提供する。
【００２１】
前述の装置のいずれか１つの任意選択の実施方式では、前記複数の物理リソース・ブロック対はそれぞれＮ個の複数の第３のリソース・グループを含み、Ｎは、正の整数であり、且つ前記複数の第３のリソース・グループは、それぞれＭ個の第１のリソース・グループを含み、且つ前記物理リソース・ブロック・セットにおいて、物理リソース・ブロック対の各第３のリソース・グループに含まれる第１の複数のリソース・グループの番号セットは、その他の複数の物理リソース・ブロック対のそれぞれの第３のリソース・グループに含まれる複数の第１のリソース・グループの番号セットと同じであり、且つ前記複数の第３のリソース・グループのそれぞれは、第１のタイプの複数の第２のリソース・グループのうちの１つに対応し、且つ前記番号付けユニットは、各物理リソース・ブロック対の前記第１のタイプの前記複数の第２のリソース・グループに、前記複数の物理リソース・ブロック対の複数の番号の昇順又は降順で順番に番号を付けるように構成され、前記第１のタイプの前記複数の第２のリソース・グループの番号と前記第１のタイプの前記複数の第２のリソース・グループに対応する複数の第１のリソース・グループの複数の番号との間の対応が、各物理リソース・ブロック対に存在する。
【００２２】
前述の方法のいずれか１つの任意選択の実施方式では、前記第１のタイプの前記複数の第２のリソース・グループの複数の番号と前記第１のタイプの前記複数の第２のリソース・グループに対応する複数の第１のリソース・グループの複数の番号との間の対応が、各物理リソース・ブロック対に存在することは、各物理リソース・ブロック対において、前記第１のタイプの前記複数の第２のリソース・グループの前記複数の番号が連続的であり、且つ前記第１のタイプの前記複数の第２のリソース・グループの前記複数の番号の順序が、前記第１のタイプの前記複数の第２のリソース・グループに対応する前記複数の第１のリソース・グループの複数の最大番号又は最小番号の順序と同じであることを含む。
【００２３】
前述の方法のいずれか１つの任意選択の実施方式では、前記番号付けユニットは、数式：
ｊ＝Ｋ＊ｍ＋（ｉ  ｍｏｄ  Ｋ）
に従って前記第１のタイプの前記第２の複数のリソース・グループの前記複数の番号を決定するように構成され、
ｉは、第１のリソース・グループの番号であり、ｉは、０からＬ−１の整数であり、Ｌは、前記複数の物理リソース・ブロック対のうちの１つにおける複数の第１のリソース・グループの量であり、ｊは、前記第１のタイプの前記第２のリソース・グループの番号であり、ｍは、物理リソース・ブロック対の番号であり、Ｋは、前記複数の物理リソース・ブロック対のそれぞれの前記第１のタイプの前記複数の第２のリソース・グループの量であり、ｍｏｄは、モジュロ演算を示し、且つ前記第１のタイプの前記複数の第２のリソース・グループは、同じ物理リソース・ブロック対に属するＭ個の第１のリソース・グループに対応し、Ｍは、正の整数である。
【００２４】
前述の方法のいずれか１つの任意選択の実施方式では、前記物理リソース・ブロック対はそれぞれＮ個の第３のリソース・グループを含み、Ｎは、正の整数であり、且つ前記複数の第３のリソース・グループは、それぞれＭ個の複数の第１のリソース・グループを含み、前記物理リソース・ブロック・セットにおいて、物理リソース・ブロック対の各第３のリソース・グループに含まれる複数の第１のリソース・グループの番号セットは、その他の複数の物理リソース・ブロック対のそれぞれの第３のリソース・グループに含まれる複数の第１のリソース・グループの番号セットと同じであり、前記複数の物理リソース・ブロック対それぞれにおいて、前記複数の第３のリソース・グループの複数の番号の順序は、前記複数の第３のリソース・グループの中の前記複数の第１のリソース・グループの複数の最大番号又は複数の最小番号の順序と同じであり、前記複数の第３のリソース・グループのそれぞれは、第１のタイプの第２の複数のリソース・グループのうちの１つに対応し、且つ前記番号付けユニットは、同じ番号を有する第３の複数のリソース・グループに対応する前記第１のタイプの前記複数の第２のリソース・グループに、前記複数の第３のリソース・グループの番号の昇順又は降順で順番に番号を付けるように構成され、前記第１のタイプの前記複数の第２のリソース・グループの複数の番号の順序と前記第１のタイプの前記複数の第２のリソース・グループが置かれる複数の物理リソース・ブロック対の複数の番号の順序との間の対応が、前記同じ番号を有する前記複数の第３のリソース・グループに対応する前記第１のタイプの前記複数の第２のリソース・グループに存在する。
【００２５】
前述の方法のいずれか１つの任意選択の実施方式では、前記第１のタイプの前記複数の第２のリソース・グループの複数の番号の順序と前記第１のタイプの前記複数の第２のリソース・グループが置かれる複数の物理リソース・ブロック対の複数の番号の順序との間の対応が、前記同じ番号を有する前記複数の第３のリソース・グループに対応する前記第１のタイプの前記複数の第２のリソース・グループに存在することは、
前記同じ番号を有する前記複数の第３のリソース・グループに対応する前記第１のタイプの前記複数の第２のリソース・グループにおいて、前記第１のタイプの前記複数の第２のリソース・グループの前記複数の番号が連続的であり、且つ前記第１のタイプの前記複数の第２のリソース・グループの前記複数の番号の前記順序が、前記第１のタイプの前記複数の第２のリソース・グループが置かれる前記複数の物理リソース・ブロック対の前記複数の番号の前記順序と同じであることを含む。
【００２６】
前述の方法のいずれか１つの任意選択の実施方式では、前記番号付けユニットは、数式：
ｊ＝（ｉ  ｍｏｄ  Ｋ）＊Ｋ＋ｍ
に従って前記第１のタイプの前記複数の第２のリソース・グループの前記複数の番号を決定するように構成され、
ｉは、第１のリソース・グループの番号であり、ｉは、０からＬ−１の整数であり、Ｌは、前記複数の物理リソース・ブロック対のうちの１つにおける複数の第１のリソース・グループの量であり、ｊは、前記第１のタイプの前記第２のリソース・グループの番号であり、ｍは、物理リソース・ブロック対の番号であり、Ｋは、前記複数の物理リソース・ブロック対のそれぞれの前記第１のタイプの前記複数の第２のリソース・グループの量であり、ｍｏｄは、モジュロ演算を示し、且つ前記第１のタイプの複数の第２のリソース・グループは、同じ物理リソース・ブロック対に属するＭ個の第１のリソース・グループに対応し、Ｍは、正の整数である。
【００２７】
前述の方法のいずれか１つの任意選択の実施方式では、前記同じ番号を有する前記複数の第３のリソース・グループに対応する前記第１のタイプの前記複数の第２のリソース・グループについて、物理リソース・ブロック対の前記第１のタイプの前記複数の第２のリソース・グループと前記物理リソース・ブロック対の前記第１のタイプの前記複数の第２のリソース・グループに含まれる複数の第１のリソース・グループとの間のマッピング関係は、その他の複数の物理リソース・ブロック対のそれぞれの前記第１のタイプの前記複数の第２のリソース・グループのうちの１つと前記その他の複数の物理リソース・ブロック対のそれぞれの前記第１のタイプの前記複数の第２のリソース・グループのうちの前記１つに含まれる複数の第１のリソース・グループとの間のマッピング関係の巡回シフトである。
【００２８】
前述の方法のいずれか１つの任意選択の実施方式では、第２のタイプの前記複数の第２のリソース・グループは、それぞれ異なる複数の物理リソース・ブロック対に属するＭ個の第１のリソース・グループを含み、且つ
前記番号付けユニットは、前記第２のタイプの前記複数の第２のリソース・グループに対応する同じ物理リソース・ブロック対の第１のリソース・グループの複数の番号を、前記第２のタイプの前記複数の第２のリソース・グループの複数の番号として使用する。
【００２９】
前述の方法のいずれか１つの任意選択の実施方式では、前記番号付けユニットは、数式：
ｊ＝（ｉ−Ｋ＊ｍ）  ｍｏｄ  １６
に従って前記第２のタイプの前記複数の第２のリソース・グループの前記複数の番号を決定するように構成され、
ｉは、第１のリソース・グループの番号であり、ｉは、０からＬ−１の整数であり、Ｌは、前記複数の物理リソース・ブロック対のうちの１つにおける複数の第１のリソース・グループの量であり、ｊは、前記第２のタイプの前記複数の第２のリソース・グループの番号であり、ｍは、物理リソース・ブロック対の番号であり、Ｋは、前記複数の物理リソース・ブロック対のそれぞれの前記第２のタイプの前記複数の第２のリソース・グループの量であり、且つｍｏｄは、モジュロ演算を示す、或いは、
前記番号付けユニットは、数式：
ｉ＝（ｊ＋ｘ＊Ｋ）  ｍｏｄ  Ｎ、
ｍ＝（ｆｌｏｏｒ（ｊ／（Ｍ＊Ｋ））＊Ｍ＋ｘ）  ｍｏｄ  Ｃ
に従って前記第２のタイプの前記複数の第２のリソース・グループの前記複数の番号を決定するように構成され、
ｉは、番号ｊが付された前記第２のタイプの前記第２のリソース・グループに対応するｘ番目の第１のリソース・グループの番号であり、ｉは、０からＬ−１の整数であり、Ｌは、前記複数の物理リソース・ブロック対のうちの１つにおける複数の第１のリソース・グループの量であり、ｍは、前記番号ｊが付された第２のタイプの前記第２のリソース・グループに対応する前記ｘ番目の第１のリソース・グループが置かれる物理リソース・ブロック対の番号であり、Ｋ＝ｆｌｏｏｒ（Ｐ／Ｏ）であり、Ｐは、物理リソース・ブロック対の複数の第１のリソース・グループの量であり、Ｏは、第２のリソース・グループに含まれる複数の第１のリソース・グループの量であり、Ｃは、前記物理リソース・ブロック・セットの複数の物理リソース・ブロック対の量であり、ｍｏｄは、モジュロ演算を示し、且つｆｌｏｏｒは、切り捨て演算を示す。
【００３０】
前述の方法のいずれか１つの任意選択の実施方式では、第２のタイプの前記複数の第２のリソース・グループは、それぞれ異なる複数の物理リソース・ブロック対に属するＭ個の第１のリソース・グループを含み、且つ前記物理リソース・ブロック・セットは、Ｋ組の前記第２のタイプの前記複数の第２のリソース・グループのセットを含み、Ｋは、正の整数であり、且つ前記Ｋ組のセットの各セットにおいて、前記第２のタイプの前記複数の第２のリソース・グループのうちの１つと前記第２のタイプの前記複数の第２のリソース・グループのうちの前記１つに含まれる複数の第１のリソース・グループとの間のマッピング関係は、前記第２のタイプの他の複数の第２のリソース・グループのそれぞれと前記第２のタイプの前記他の複数の第２のリソース・グループのそれぞれに含まれる前記複数の第１のリソース・グループとの間のマッピング関係の巡回シフトであり、前記番号付けユニットは、前記Ｋ組のセットの各セットにおいて、前記第２のタイプの前記複数の第２のリソース・グループに、前記第２のタイプの前記複数の第２のリソース・グループに対応する同じ物理リソース・ブロック対の第１の複数のリソース・グループの複数の番号に従って番号を付けるように構成され、且つ前記Ｋ組のセットの異なるセット間で、前記第２のタイプの前記複数の第２のリソース・グループの複数の番号の順番は、同じ物理リソース・ブロック対の前記Ｋ組のセットの前記異なる複数のセットに対応する複数の第１のリソース・グループの複数の最大番号又は複数の最小番号の順番と同じである。
【００３１】
前述の方法のいずれか１つの任意選択の実施方式では、前記物理リソース・ブロック・セットは、Ｋ組の前記第２のタイプの前記複数の第２のリソース・グループのセットを含み、且つ前記Ｋ組のセットの各セットにおいて、前記第２のタイプの前記複数の第２のリソース・グループのうちの１つと前記第２のタイプの前記複数の第２のリソース・グループのうちの前記１つに含まれる複数の第１のリソース・グループとの間のマッピング関係は、前記第２のタイプの他の複数の第２のリソース・グループのそれぞれと前記第２のタイプの前記他の複数の第２のリソース・グループのそれぞれに含まれる複数の第１のリソース・グループとの間のマッピング関係の巡回シフトである。
【００３２】
前述の方法のいずれか１つの任意選択の実施方式では、前記物理リソース・ブロック・セットの前記第１のタイプの前記複数の第２のリソース・グループのうちの少なくとも２つに対応する複数の第１のリソース・グループが、前記物理リソース・ブロック・セットの中の前記第２のタイプの前記複数の第２のリソース・グループのうちの少なくとも２つに対応する複数の第１のリソース・グループと同じである場合には、前記第１のタイプの前記複数の第２のリソース・グループのうちの前記少なくとも２つの複数の番号のセットは、前記第２のタイプの前記複数の第２のリソース・グループのうちの前記少なくとも２つの複数の番号のセットと同じである。
【００３３】
前述の方法のいずれか１つの任意選択の実施方式では、前記物理リソース・ブロック・セットの中の前記第１のタイプの前記複数の第２のリソース・グループは、局在モードで前記Ｅ−ＰＤＣＣＨを伝送する複数のリソース・グループであり、且つ前記物理リソース・ブロック・セットの中の前記第２のタイプの前記第２のリソース・グループは、分散モードで前記Ｅ−ＰＤＣＣＨを伝送する複数のリソース・グループである。
【００３４】
本発明の実施形態の第３の態様は、
信号を伝送及び受信するように構成された送受信機と、
物理リソース・ブロック・セットにおいて、各物理リソース・ブロック対（ＰＲＢ対）の複数の第１のリソース・グループを別個に配列するステップであり、前記複数の第１のリソース・グループが、複数のリソース要素グループｅＲＥＧ又はＲＥＧであり、且つ前記物理リソース・ブロック・セットが、前記複数の物理リソース・ブロック対のうちの少なくとも１つを含むステップ、
前記物理リソース・ブロック・セットの前記複数の第１のリソース・グループと複数の第２のリソース・グループとの間の対応に従って複数の第２のリソース・グループに番号付けするステップであり、前記複数の第２のリソース・グループが、複数の制御チャネル要素ｅＣＣＥ又は複数の制御チャネル候補であるステップ、
Ｅ−ＰＤＣＣＨを伝送するための前記複数の第２のリソース・グループの複数の番号を決定するステップ、及び
前記決定した複数の番号に従って、伝送のために前記Ｅ−ＰＤＣＣＨを対応する複数の第１のリソース・グループにマッピングするステップ
を実行するように構成されたプロセッサとを含む、エンハンスト物理ダウンリンク制御チャネルＥ−ＰＤＣＣＨ伝送装置を提供する。
【００３５】
前述の方法のいずれか１つの任意選択の実施方式では、前記複数の物理リソース・ブロック対はそれぞれＮ個の第３のリソース・グループを含み、Ｎは、正の整数であり、且つ前記複数の第３のリソース・グループは、それぞれＭ個の第１のリソース・グループを含み、且つ前記物理リソース・ブロック・セットにおいて、物理リソース・ブロック対の各第３のリソース・グループに含まれる複数の第１のリソース・グループの番号セットは、その他の複数の物理リソース・ブロック対のそれぞれの第３のリソース・グループに含まれる複数の第１のリソース・グループの番号セットと同じであり、且つ
前記プロセッサは、以下の方法において、前記物理リソース・ブロック・セットの前記複数の第１のリソース・グループと前記複数の第２のリソース・グループとの間の対応に従った複数の第２のリソース・グループの前記番号付けを実施するように構成される：
前記第３のリソース・グループのそれぞれが第１のタイプの複数の第２のリソース・グループのうちの１つに対応し、且つ各物理リソース・ブロック対の前記第１のタイプの前記複数の第２のリソース・グループが、前記複数の物理リソース・ブロック対の複数の番号の昇順又は降順で順番に番号を付けられ、前記第１のタイプの前記複数の第２のリソース・グループの複数の番号と前記第１のタイプの前記複数の第２のリソース・グループに対応する複数の第１のリソース・グループの複数の番号との間の対応が、各物理リソース・ブロック対に存在する。
【００３６】
前述の方法のいずれか１つの任意選択の実施方式では、前記第１のタイプの前記複数の第２のリソース・グループの複数の番号と前記第１のタイプの前記複数の第２のリソース・グループに対応する複数の第１のリソース・グループの複数の番号との間の対応が、各物理リソース・ブロック対に存在することは、
各物理リソース・ブロック対において、前記第１のタイプの前記複数の第２のリソース・グループの前記複数の番号が連続的であり、且つ前記第１のタイプの前記複数の第２のリソース・グループの前記複数の番号の順序が、前記第１のタイプの前記第２のリソース・グループに対応する前記複数の第１のリソース・グループの複数の最大番号又は複数の最小番号の順序と同じであることを含む。
【００３７】
前述の方法のいずれか１つの任意選択の実施方式では、前記プロセッサは、以下の方法で、前記物理リソース・ブロック・セットの前記複数の第１のリソース・グループと前記複数の第２のリソース・グループとの間の対応に従った複数の第２のリソース・グループの番号付けを実施するように構成される：
数式：
ｊ＝Ｋ＊ｍ＋（ｉ  ｍｏｄ  Ｋ）
に従って前記第１のタイプの前記複数の第２のリソース・グループの前記複数の番号を決定し、
ｉは、第１のリソース・グループの番号であり、ｉは、０からＬ−１の整数であり、Ｌは、前記複数の物理リソース・ブロック対のうちの１つにおける複数の第１のリソース・グループの量であり、ｊは、前記第１のタイプの前記第２のリソース・グループの番号であり、ｍは、物理リソース・ブロック対の番号であり、Ｋは、前記複数の物理リソース・ブロック対のそれぞれの中の前記第１のタイプの前記複数の第２のリソース・グループの量であり、ｍｏｄは、モジュロ演算を示し、且つ前記第１のタイプの前記複数の第２のリソース・グループは、同じ物理リソース・ブロック対に属するＭ個の第１のリソース・グループに対応し、Ｍは、正の整数である。
【００３８】
前述の方法のいずれか１つの任意選択の実施方式では、前記複数の物理リソース・ブロック対はそれぞれＮ個の第３のリソース・グループを含み、Ｎは、正の整数であり、且つ前記複数の第３のリソース・グループは、それぞれＭ個の第１のリソース・グループを含み、前記物理リソース・ブロック・セットにおいて、物理リソース・ブロック対の各第３のリソース・グループに含まれる複数の第１のリソース・グループの番号セットは、その他の複数の物理リソース・ブロック対のそれぞれの第３のリソース・グループに含まれる複数の第１のリソース・グループの番号セットと同じであり、前記複数の物理リソース・ブロック対それぞれにおいて、前記複数の第３のリソース・グループの複数の番号の順序は、前記複数の第３のリソース・グループの前記複数の第１のリソース・グループの複数の最大番号又は複数の最小番号の順序と同じであり、且つ前記プロセッサは、以下の方法で、前記物理リソース・ブロック・セットの前記複数の第１のリソース・グループと前記複数の第２のリソース・グループとの間の対応に従った複数の第２のリソース・グループの前記番号付けを実施するように構成される：前記第３の複数のリソース・グループのそれぞれが第１のタイプの複数の第２のリソース・グループのうちの１つに対応し、且つ同じ番号を有する複数の第３のリソース・グループに対応する前記第１のタイプの前記複数の第２のリソース・グループが、前記複数の第３のリソース・グループの前記複数の番号の昇順又は降順で順番に番号を付けられ、前記第１のタイプの前記複数の第２のリソース・グループの複数の番号の順序と前記第１のタイプの前記複数の第２のリソース・グループが置かれる複数の物理リソース・ブロック対の複数の番号の順序との間の対応が、前記同じ番号を有する前記複数の第３のリソース・グループに対応する前記第１のタイプの前記複数の第２のリソース・グループに存在する。
【００３９】
前述の方法のいずれか１つの任意選択の実施方式では、前記第１のタイプの前記複数の第２のリソース・グループの複数の番号の順序と前記第１のタイプの前記複数の第２のリソース・グループが置かれる複数の物理リソース・ブロック対の複数の番号の順序との間の対応が、前記同じ番号を有する前記複数の第３のリソース・グループに対応する前記第１のタイプの前記複数の第２のリソース・グループに存在することは、
前記同じ番号を有する前記複数の第３のリソース・グループに対応する前記第１のタイプの前記複数の第２のリソース・グループにおいて、前記第１のタイプの前記複数の第２のリソース・グループの前記複数の番号が連続的であり、且つ前記第１のタイプの前記複数の第２のリソース・グループの前記複数の番号の前記順序が、前記第１のタイプの前記複数の第２のリソース・グループが置かれる前記複数の物理リソース・ブロック対の前記複数の番号の前記順序と同じであることを含む。
【００４０】
前述の方法のいずれか１つの任意選択の実施方式では、前記プロセッサは、以下の方法で、前記物理リソース・ブロック・セットの前記複数の第１のリソース・グループと前記複数の第２のリソース・グループとの間の対応に従った複数の第２のリソース・グループの番号付けを実施するように構成される：
数式：
ｊ＝（ｉ  ｍｏｄ  Ｋ）＊Ｋ＋ｍ
に従って前記第１のタイプの前記複数の第２のリソース・グループの前記複数の番号を決定する：
ｉは、第１のリソース・グループの番号であり、ｉは、０からＬ−１の整数であり、Ｌは、前記複数の物理リソース・ブロック対のうちの１つにおける複数の第１のリソース・グループの量であり、ｊは、前記第１のタイプの前記第２のリソース・グループの番号であり、ｍは、物理リソース・ブロック対の番号であり、Ｋは、前記複数の物理リソース・ブロック対のそれぞれの前記第１のタイプの前記複数の第２のリソース・グループの量であり、ｍｏｄは、モジュロ演算を示し、且つ前記第１のタイプの前記複数の第２のリソース・グループは、同じ物理リソース・ブロック対に属するＭ個の第１のリソース・グループに対応し、Ｍは、正の整数である。
【００４１】
前述の方法のいずれか１つの任意選択の実施方式では、前記同じ番号を有する前記複数の第３のリソース・グループに対応する前記第１のタイプの前記複数の第２のリソース・グループについて、物理リソース・ブロック対の前記第１のタイプの前記複数の第２のリソース・グループと前記物理リソース・ブロック対の前記第１のタイプの前記複数の第２のリソース・グループに含まれる複数の第１のリソース・グループとの間のマッピング関係は、前記他の複数の物理リソース・ブロック対のそれぞれの前記第１のタイプの前記複数の第２のリソース・グループのうちの１つと前記他の複数の物理リソース・ブロック対のそれぞれの前記第１のタイプの前記複数の第２のリソース・グループのうちの前記１つに含まれる複数の第１のリソース・グループとの間のマッピング関係の巡回シフトである。
【００４２】
前述の方法のいずれか１つの任意選択の実施方式では、前記プロセッサは、以下の方法において、前記物理リソース・ブロック・セットの前記複数の第１のリソース・グループと前記複数の第２のリソース・グループとの間の対応に従った前記複数の第２のリソース・グループの前記番号付けを実施するように構成される：
第２のタイプの前記複数の第２のリソース・グループが、それぞれ異なる複数の物理リソース・ブロック対に属するＭ個の第１のリソース・グループを含み、且つ
前記第２のタイプの前記複数の第２のリソース・グループに対応する同じ物理リソース・ブロック対の複数の第１のリソース・グループの複数の番号が、前記第２のタイプの前記複数の第２のリソース・グループの複数の番号として使用される。
【００４３】
前述の方法のいずれか１つの任意選択の実施方式では、前記プロセッサは、以下の方法で、前記物理リソース・ブロック・セットの前記複数の第１のリソース・グループと前記複数の第２のリソース・グループとの間の対応に従った複数の第２のリソース・グループの前記番号付けを実施するように構成される：
数式：
ｊ＝（ｉ−Ｋ＊ｍ）  ｍｏｄ  １６
に従って前記第２のタイプの前記複数の第２のリソース・グループの前記複数の番号を決定する：
ｉが、第１のリソース・グループの番号であり、ｉが、０からＬ−１の整数であり、Ｌが、複数の物理リソース・ブロック対のうちの１つにおける第１の複数のリソース・グループの量であり、ｊが、前記第２のタイプの前記第２のリソース・グループの番号であり、ｍが、物理リソース・ブロック対の番号であり、Ｋが、前記複数の物理リソース・ブロック対のそれぞれの前記第２のタイプの前記複数の第２のリソース・グループの量であり、且つｍｏｄが、モジュロ演算を示す；或いは、
数式：
ｉ＝（ｊ＋ｘ＊Ｋ）  ｍｏｄ  Ｎ、
ｍ＝（ｆｌｏｏｒ（ｊ／（Ｍ＊Ｋ））＊Ｍ＋ｘ）  ｍｏｄ  Ｃ
に従って前記第２のタイプの前記複数の第２のリソース・グループの前記複数の番号を決定する：
ｉが、番号ｊが付された前記第２のタイプの前記第２のリソース・グループに対応するｘ番目の第１のリソース・グループの番号であり、ｉが、０からＬ−１の整数であり、Ｌが、前記物理リソース・ブロック対のうちの１つにおける複数の第１のリソース・グループの量であり、ｍが、番号ｊが付された前記第２のタイプの前記第２のリソース・グループに対応する前記ｘ番目の第１のリソース・グループが置かれる物理リソース・ブロック対の番号であり、Ｋ＝ｆｌｏｏｒ（Ｐ／Ｏ）であり、Ｐが、物理リソース・ブロック対の複数の第１のリソース・グループの量であり、Ｏが、第２のリソース・グループに含まれる複数の第１のリソース・グループの量であり、Ｃが、前記物理リソース・ブロック・セットの複数の物理リソース・ブロック対の量であり、ｍｏｄが、モジュロ演算を示し、且つｆｌｏｏｒが、切り捨て演算を示すステップを含む。
【００４４】
前述の方法のいずれか１つの任意選択の実施方式では、前記プロセッサは、以下の方法で、前記物理リソース・ブロック・セットの前記複数の第１のリソース・グループと前記複数の第２のリソース・グループとの間の対応に従った複数の第２のリソース・グループの前記番号付けを実施するように構成される：
第２のタイプの前記複数の第２のリソース・グループが、それぞれ異なる複数の物理リソース・ブロック対に属するＭ個の第１のリソース・グループを含み、且つ前記物理リソース・ブロック・セットが、Ｋ組の前記第２のタイプの前記複数の第２のリソース・グループのセットを含み、Ｋが、正の整数であり、且つ前記Ｋ組のセットの各セットにおいて、前記第２のタイプの前記複数の第２のリソース・グループのうちの１つと前記第２のタイプの前記複数の第２のリソース・グループのうちの前記１つに含まれる複数の第１のリソース・グループとの間のマッピング関係が、前記第２のタイプの他の複数の第２のリソース・グループのそれぞれと前記第２のタイプの前記他の複数の第２のリソース・グループのそれぞれに含まれる複数の第１のリソース・グループとの間のマッピング関係の巡回シフトであり、
前記Ｋ組のセットの各セットにおいて、前記第２のタイプの前記複数の第２のリソース・グループが、前記第２のタイプの前記複数の第２のリソース・グループに対応する同じ物理リソース・ブロック対の複数の第１のリソース・グループの複数の番号に従って番号を付けられ、且つ
前記Ｋ組のセットの異なる複数のセット間で、前記第２のタイプの前記複数の第２のリソース・グループの複数の番号の順番が、同じ物理リソース・ブロック対の前記Ｋ組のセットの前記異なる複数のセットに対応する複数の第１のリソース・グループの複数の最大番号又は複数の最小番号の順番と同じである。
【００４５】
前述の方法のいずれか１つの任意選択の実施方式では、前記物理リソース・ブロック・セットは、Ｋ組の前記第２のタイプの前記複数の第２のリソース・グループのセットを含み、且つ前記Ｋ組のセットの各セットにおいて、前記第２のタイプの前記複数の第２のリソース・グループのうちの１つと前記第２のタイプの前記複数の第２のリソース・グループのうちの前記１つに含まれる複数の第１のリソース・グループとの間のマッピング関係は、前記第２のタイプの他の複数の第２のリソース・グループのそれぞれと前記第２のタイプの前記他の複数の第２のリソース・グループのそれぞれに含まれる複数の第１のリソース・グループとの間のマッピング関係の巡回シフトである。
【００４６】
前述の方法のいずれか１つの任意選択の実施方式では、前記物理リソース・ブロック・セットの前記第１のタイプの前記複数の第２のリソース・グループのうちの少なくとも２つに対応する複数の第１のリソース・グループが、前記物理リソース・ブロック・セットの前記第２のタイプの前記複数の第２のリソース・グループのうちの少なくとも２つに対応する複数の第１のリソース・グループと同じである場合には、前記第１のタイプの前記複数の第２のリソース・グループのうちの前記少なくとも２つの番号のセットが、前記第２のタイプの前記第２のリソース・グループのうちの前記少なくとも２つの番号のセットと同じである。
【００４７】
前述の方法のいずれか１つの任意選択の実施方式では、前記物理リソース・ブロック・セットの前記第１のタイプの前記複数の第２のリソース・グループは、局在モードで前記Ｅ−ＰＤＣＣＨを伝送する複数のリソース・グループであり、且つ前記物理リソース・ブロック・セットの前記第２のタイプの前記複数の第２のリソース・グループは、分散モードで前記Ｅ−ＰＤＣＣＨを伝送する複数のリソース・グループである。
【００４８】
本発明の実施形態によって提供されるエンハンスト物理ダウンリンク制御チャネル伝送の方法及び装置を使用することにより、複数の第２のリソース・グループの複数の番号が、前記複数の第１のリソース・グループと前記複数の第２のリソース・グループとの間の関係に従って決定され、次いで、Ｅ−ＰＤＣＣＨを伝送する前記複数の第２のリソース・グループの複数の番号が決定され、且つ前記Ｅ−ＰＤＣＣＨが、伝送のために対応する複数の第１のリソース・グループにマッピングされる。従って、Ｅ−ＰＤＣＣＨ伝送の問題は解決し、さらに、この解決策の番号付け方法は、ブラインド検出に有利である。
【００４９】
本発明の実施形態又は従来技術の技術的解決策をより明確に説明するために、以下、実施形態又は従来技術を説明するために必要な添付の図面を簡単に説明する。以下の説明における添付の図面は、本発明の一部の実施形態を示しているに過ぎず、当業者なら、創造的努力なしにこれらの添付の図面から他の図面を導出することができることは明らかである。
【図面の簡単な説明】
【００５０】
【図１Ａ】本発明の実施形態によるＥ−ＰＤＣＣＨ伝送方法を示す流れ図である。
【図１Ｂ】本発明の実施形態によるＥ−ＰＤＣＣＨ受信方法を示す流れ図である。
【図２Ａ】本発明の実施形態による基地局を示す概略構造図である。
【図２Ｂ】本発明の実施形態によるＵＥを示す概略構造図である。
【図３Ａ】本発明の別の実施形態による基地局を示す概略構造図である。
【図３Ｂ】本発明の別の実施形態によるＵＥを示す概略構造図である。
【図４Ａ】本発明の実施形態による別のＥ−ＰＤＣＣＨ伝送方法を示す流れ図である。
【図４Ｂ】本発明の実施形態による番号付けの結果を示す概略図である。
【図４Ｃ】本発明の実施形態による番号付けの結果を示す概略図である。
【図４Ｄ】本発明の実施形態による番号付けの結果を示す概略図である。
【図４Ｅ】本発明の実施形態による番号付けの結果を示す概略図である。
【図５】本発明の実施形態による送信装置を示す概略構造図である。
【図６】本発明の別の実施形態による番号付け装置を示す概略構造図である。
【図７Ａ】本発明の実施形態による制御チャネル検出方法を示す流れ図である。
【図７Ｂ】本発明の実施形態による第１の物理リソース・ブロック・セット及び第２の物理リソース・ブロック・セットを示す概略図である。
【図７Ｃ】本発明の実施形態による第１の物理リソース・ブロック・セット及び第２の物理リソース・ブロック・セットを示す概略図である。
【図８】本発明のさらに別の実施形態によるＵＥを示す概略構造図である。
【図９】本発明のさらに別の実施形態による基地局を示す概略構造図である。
【発明を実施するための形態】
【００５１】
本発明の実施形態の目的、技術的解決策及び利点をより明確にするために、以下、本発明の実施形態において、添付の図面を参照しながら、本発明の実施形態における技術的解決策を明確且つ完全に記載する。記載する実施形態は、本発明の実施形態の全てではなく一部であることは明らかである。本発明の実施形態に基づいて創造的努力なしに当業者が得るその他の全ての実施形態は、本発明の保護範囲に含まれるものとする。
【００５２】
図１Ａは、本発明の実施形態によるＥ−ＰＤＣＣＨ伝送方法を示す流れ図である。本実施形態は、例えばＬＴＥシステムの基地局などの基地局によって実行することができる。図１Ａに示すように、本実施形態の方法は、以下のステップを含む。
【００５３】
ステップ１０１。第１のリソース・グループとパイロット・ポートの間のマッピング関係に従って、且つ特定の関係に従って、第１のタイプの第２のリソース・グループと、第１のリソース・グループと、パイロット・ポートとの間の対応、並びに第２のタイプの第２のリソース・グループと、第１のリソース・グループと、パイロット・ポートとの間の対応を決定する。
【００５４】
第１のリソース・グループとパイロット・ポートとの間のマッピング関係は、予め基地局が取得する。基地局が第１のリソース・グループとパイロット・ポートとの間のマッピング関係を予め取得する方式には、以下のいくつかの方式が含まれるが、これらに限定されるわけではない。すなわち、基地局及びユーザ機器（Ｕｓｅｒ  Ｅｑｕｉｐｍｅｎｔ：ＵＥ）が、第１のリソース・グループとパイロット・ポートとの間のマッピング関係を予め定義する。或いは、基地局が、ローカル・セル識別（ＩＤ）に従って第１のリソース・グループとパイロット・ポートとの間のマッピング関係を生成する。選択的に、基地局が、さらに、より高位レイヤのシグナリングをＵＥに送信することもできる。この場合、このより高位レイヤのシグナリングが、第１のリソース・グループとパイロット・ポートとの間のマッピング関係を含む。
【００５５】
第１のリソース・グループとパイロット・ポートとの間のマッピング関係は、物理リソース要素セットの少なくとも１つの第１のリソース・グループと少なくとも１つのパイロット・ポートとの間のマッピング関係を含む。ここで、物理リソース要素セットは、少なくとも１対の物理リソース・ブロック対（ＰＲＢ対）である。第１のリソース・グループは、リソース要素グループ（ｅＲＥＧ）又はＲＥＧであり、第１のタイプの第２のリソース・グループは、制御チャネル要素（ｅＣＣＥ）又は制御チャネル候補であり、第２のタイプの第２のリソース・グループは、ｅＣＣＥ又は制御チャネル候補である。第１のタイプの第２のリソース・グループは、少なくとも２つの第１のリソース・グループに対応し、第２のタイプの第２のリソース・グループは、少なくとも２つの第１のリソース・グループに対応する。本明細書では、この対応は、主に、第１のタイプの第２のリソース・グループ及び第２のタイプの第２のリソース・グループが、少なくとも２つの第１のリソース・グループを含むことがあるということを示す。異なるタイプの第２のリソース・グループと、第１のリソース・グループと、パイロット・ポートとの間の対応は、前述の特定の関係を満たす。本実施形態における「パイロット・ポート」は、主にＤＭＲＳポートを指す。
【００５６】
上記から分かるように、本実施形態の第２のリソース・グループは、２つのタイプ、すなわち第１のタイプの第２のリソース・グループ及び第２のタイプの第２のリソース・グループを含む。選択的に、第１のタイプの第２のリソース・グループが、局在モードでＥ−ＰＤＣＣＨを伝送するリソース・グループであり、第２のタイプの第２のリソース・グループが、分散モードでＥ−ＰＤＣＣＨを伝送するリソース・グループである。本明細書では、局在モードでの伝送とは、Ｅ−ＰＤＣＣＨを伝送するリソースが、１つ又は複数の連続した物理リソース・ブロック対に割り当てられて集中化されることを意味し、分散モードでの伝送とは、Ｅ−ＰＤＣＣＨを伝送するリソースが、複数の不連続な物理リソース・ブロック対に割り当てられて非集中化されることを意味する。本明細書では、リリース１１において、Ｅ−ＰＤＣＣＨを分散モードで伝送する場合に、ＳＦＢＣがサポートされていないが、マルチ・ユーザ共通プリコーディング（ランダム・ビーム・フォーミング）機構を使用することに留意されたい。
【００５７】
第１のリソース・グループがｅＲＥＧである場合には、第１のリソース・グループとパイロット・ポートとの間の任意選択のマッピング関係は、表１に示すようになる。
【表１】
2019068444.tif 000003
【００５８】
表１に示すように、物理リソース要素セットは、物理リソース・ブロック対であり、物理リソース・ブロック対は、８個のｅＲＥＧを含み、これらの８個のｅＲＥＧは、ＤＭＲＳポート７、ＤＭＲＳポート８、ＤＭＲＳポート９及びＤＭＲＳポート１０の合計４つのＤＭＲＳポートにマッピングされる。各ｅＲＥＧとＤＭＲＳの間のマッピング関係は、表１に示すものに限定されるわけではない。
【００５９】
表１に基づいて、第１のタイプ及び第２のタイプの第２のリソース・グループと、第１のリソース・グループと、パイロット・ポートとの間の任意選択の対応を、表２に示す。
【表２】
2019068444.tif 000004
【００６０】
表２に示すように、Ｅ−ＰＤＣＣＨを伝送するために使用される物理リソース・ブロック・セットは、指標１、２、３及び４が付与された４つの物理リソース・ブロック対を含み、各物理リソース・ブロック対は、８個のｅＲＥＧを含む。各物理リソース・ブロック対において、各ｅＲＥＧは、一意的な位置指標（例えば、表１又は表２におけるｅＲＥＧの後の括弧内の数字０から７）を有する。同じ量のｅＲＥＧを含む物理リソース・ブロック対では、それらのｅＲＥＧは、同じ位置指標を有する。第１のタイプの第２のリソース・グループは、少なくとも同じ物理リソース・ブロック対の２つのｅＲＥＧを含む。第１のタイプの第２のリソース・グループが同じ物理リソース・ブロック対の２つのｅＲＥＧを含むと仮定すると、第１のタイプの第２のリソース・グループは、表２で指標１が付与されている物理リソース・ブロック対のｅＲＥＧ（０）及びｅＲＥＧ（１）を含むことができ、対応するパイロット・ポートは、ＤＭＲＳポート７及び９である。或いは、第１のタイプの第２のリソース・グループは、指標１が付与されている物理リソース・ブロック対のｅＲＥＧ（２）及びｅＲＥＧ（３）を含み、対応するパイロット・ポートは、ＤＭＲＳポート８及び１０である。或いは、第１のタイプの第２のリソース・グループは、指標１が付与されている物理リソース・ブロック対のｅＲＥＧ（４）及び（５）を含み、対応するパイロット・ポートは、ＤＭＲＳポート９及び７である。或いは、第１のタイプの第２のリソース・グループは、指標１が付与されている物理リソース・ブロック対のｅＲＥＧ（６）及びｅＲＥＧ（７）を含み、対応するパイロット・ポートは、ＤＭＲＳポート１０及び８である。或いは、第１のタイプの第２のリソース・グループは、指標２が付与されている物理リソース・ブロック対のｅＲＥＧを含んでもよく、これ以上は列挙しないが、以下同様にすることができる。第２のタイプの第２のリソース・グループは、異なる物理リソース・ブロック対の少なくとも２つのｅＲＥＧを含む。第２のタイプの第２のリソース・グループが異なる物理リソース・ブロック対の２つのｅＲＥＧを含むと仮定すると、第２のタイプの第２のリソース・グループは、表２で指標３が付与されている物理リソース・ブロック対のｅＲＥＧ（０）及び指標４が付与されている物理リソース・ブロック対のｅＲＥＧ（０）を含むことができ、対応するパイロット・ポートは、ＤＭＲＳポート７である。或いは、第２のタイプの第２のリソース・グループは、指標３が付与されている物理リソース・ブロック対のｅＲＥＧ（１）及び指標４が付与されている物理リソース・ブロック対のｅＲＥＧ（４）を含むこともでき、対応するパイロット・ポートは、ＤＭＲＳポート９である。或いは、第２のタイプの第２のリソース・グループは、指標２が付与されている物理リソース・ブロック対のｅＲＥＧ（６）及び指標３が付与されている物理リソース・ブロック対のｅＲＥＧ（７）からなることもでき、対応するパイロット・ポートは、ＤＭＲＳポート１０及び８である。以下、同様にすることができる。表２に示すように、第１のタイプ又は第２のタイプの第２のリソース・グループを構成するｅＲＥＧが決まると、その第１のタイプ又は第２のタイプの第２のリソース・グループに対応するパイロット・ポートも決まる。
【００６１】
本明細書では、表２に示すようにＥ−ＰＤＣＣＨを伝送するために使用される物理リソース・ブロック・セットは４つの物理リソース・ブロック対を含むが、これに限定されるわけではないことに留意されたい。
【００６２】
ステップ１０２。Ｅ−ＰＤＣＣＨを伝送するために使用される少なくとも１つの第１のタイプの第２のリソース・グループ又は第２のタイプの第２のリソース・グループを決定し、決定した第１のタイプ又は第２のタイプの第２のリソース・グループと、第１のリソース・グループとパイロット・ポートとの間の対応に従って、このＥ−ＰＤＣＣＨを伝送するために使用される少なくとも１つの第１のタイプの第２のリソース・グループ又は第２のタイプの第２のリソース・グループを、伝送のために少なくとも１つの第１のリソース・グループ及びパイロット・ポートにマッピングする。
【００６３】
Ｅ−ＰＤＣＣＨを局在モードで伝送する必要がある場合には、基地局は、Ｅ−ＰＤＣＣＨを伝送するために使用される少なくとも１つの第１のタイプの第２のリソース・グループを決定し、次いで、以前に決定した第１のタイプの第２のリソース・グループと、第１のリソース・グループとパイロット・ポートとの間の対応に従って、このＥ−ＰＤＣＣＨの伝送に使用される少なくとも１つの第１のタイプの第２のリソース・グループを、伝送のために少なくとも１つの第１のリソース・グループ及びパイロット・ポートにマッピングする。
【００６４】
Ｅ−ＰＤＣＣＨを分散モードで伝送する必要がある場合には、基地局は、Ｅ−ＰＤＣＣＨを伝送するために使用される少なくとも１つの第２のタイプの第２のリソース・グループを決定し、次いで、以前に決定した第２のタイプの第２のリソース・グループと、第１のリソース・グループとパイロット・ポートとの間の対応に従って、このＥ−ＰＤＣＣＨの伝送に使用される少なくとも１つの第２のタイプの第２のリソース・グループを、伝送のために少なくとも１つの第１のリソース・グループ及びパイロット・ポートにマッピングする。
【００６５】
従来技術では、ＣＲＳ伝送を使用して、ＰＤＣＣＨを伝送し、ＰＤＣＣＨを伝送するための全てのＣＣＥは、同じＣＲＳポートにマッピングされ、ＳＦＢＣモードを使用して、又はＳＦＢＣモード及びＦＳＴＤモードの両方を使用して、伝送を行う。しかし、Ｅ−ＰＤＣＣＨではＤＭＲＳ伝送を使用し、ＤＭＲＳについてはプリコーディング（ｐｒｅｃｏｄｉｎｇ）が必要である。従って、Ｅ−ＰＤＣＣＨを伝送するｅＣＣＥ又は物理チャネル候補とＤＭＲＳポートとの間の対応を決定する必要があるので、復調を正しく完了することができる。従来技術のＰＤＣＣＨ伝送モードが、Ｅ−ＰＤＣＣＨには適用できなくなることは明らかである。本実施形態では、第１のタイプの第２のリソース・グループと、第１のリソース・グループとパイロット・ポートとの間の対応、並びに第２のタイプの第２のリソース・グループと、第１のリソース・グループとパイロット・ポートとの間の対応を、第１のリソース・グループとパイロット・ポートとの間のマッピング関係に従って決定し、次いで、Ｅ−ＰＤＣＣＨの伝送に使用される第２のリソース・グループ（第１のタイプの第２のリソース・グループ又は第２のタイプの第２のリソース・グループ）を決定し、次いで、これら２つのタイプの第２のリソース・グループと、第１のリソース・グループとパイロット・ポートとの間の対応に従って、Ｅ−ＰＤＣＣＨの伝送に使用される第２のリソース・グループを、伝送のために対応する第１のリソース・グループ及びパイロット・ポートにマッピングする。これにより、Ｅ−ＰＤＣＣＨ伝送の問題は解決され、Ｅ−ＰＤＣＣＨを正しく復調するための基礎が得られる。
【００６６】
本実施形態の任意選択の実施方式では、第１のリソース・グループとパイロット・ポートとの間の別の任意選択のマッピング関係は、表３に示すようになる。
【表３】
2019068444.tif 000005
【００６７】
表３に示すように、物理リソース要素セットは、物理リソース・ブロック対であり、各物理リソース・ブロック対は、８個のｅＲＥＧを含み、これら８個のｅＲＥＧは、ＤＭＲＳポート７、ＤＭＲＳポート８、ＤＭＲＳポート９及びＤＭＲＳポート１０の合計４つのＤＭＲＳポートにマッピングされる。各ｅＲＥＧとＤＭＲＳポートとの間のマッピング関係は、表１のマッピング関係とは異なるが、ｅＲＥＧとＤＭＲＳとの間のマッピング関係は、表１及び表３に示すマッピング関係に限定されるわけではない。
【００６８】
表３に基づいて、第１のタイプ及び第２のタイプの第２のリソース・グループと、第１のリソース・グループとパイロット・ポートとの間の別の任意選択の対応は、表４に示すようになる。
【表４】
2019068444.tif 000006
【００６９】
表４に示すように、Ｅ−ＰＤＣＣＨを伝送するために使用される物理リソース・ブロック・セットは、指標１、２、３及び４が付与された４つの物理リソース・ブロック対を含み、各物理リソース・ブロック対は、８個のｅＲＥＧを含む。第１のタイプの第２のリソース・グループは、少なくとも同じ物理リソース・ブロック対の２つのｅＲＥＧを含む。第１のタイプの第２のリソース・グループが同じ物理リソース・ブロック対の４つのｅＲＥＧを含むと仮定すると、第１のタイプの第２のリソース・グループは、表４で指標１が付与されている物理リソース・ブロック対のｅＲＥＧ（０）、ｅＲＥＧ（１）、ｅＲＥＧ（２）及びｅＲＥＧ（３）を含むことができ、対応するパイロット・ポートは、ＤＭＲＳポート７及び８である。或いは、第１のタイプの第２のリソース・グループは、指標１が付与されている物理リソース・ブロック対のｅＲＥＧ（４）、ｅＲＥＧ（５）、ｅＲＥＧ（６）及びｅＲＥＧ（７）を含み、対応するパイロット・ポートは、ＤＭＲＳポート９及び１０である。これ以上は列挙しないが、以下同様にすることができる。第２のタイプの第２のリソース・グループが異なる物理リソース・ブロック対の４つのｅＲＥＧを含むと仮定すると、第２のタイプの第２のリソース・グループは、表２で指標１、２、３及び４が付与されている物理リソース・ブロック対のｅＲＥＧ（０）を含むことができ、対応するパイロット・ポートは、ＤＭＲＳポート７である。或いは、第２のタイプの第２のリソース・グループは、指標１及び２が付与されている物理リソース・ブロック対のｅＲＥＧ（２）並びに指標３及び４が付与されている物理リソース・ブロック対のｅＲＥＧ（３）を含むことができ、対応するパイロット・ポートは、ＤＭＲＳポート８及び７である。以下、同様にすることができうる。表４に示すように、第１のタイプ又は第２のタイプの第２のリソース・グループを構成するｅＲＥＧが決まると、第１のタイプ又は第２のタイプの第２のリソース・グループに対応するパイロット・ポートも決まる。
【００７０】
本明細書では、表１に示す基準に基づいて、第１のタイプの第２のリソース・グループ及び第２のタイプの第２のリソース・グループは、表５に示すように４つの第１のリソース・グループを含むこともできることに留意されたい。これに対応して、表３に示す基準に基づいて、第１のタイプの第２のリソース・グループ及び第２のタイプの第２のリソース・グループは、２つの第１のリソース・グループを含むこともできる。その他の場合については、例を用いてこれ以上説明しない。
【表５】
2019068444.tif 000007
【００７１】
表５に示すように、第１のタイプの第２のリソース・グループが同じ物理リソース・ブロック対の４つのｅＲＥＧを含むと仮定すると、第１のタイプの第２のリソース・グループは、表５で指標１が付与されている物理リソース・ブロック対のｅＲＥＧ（０）、ｅＲＥＧ（１）、ｅＲＥＧ（２）及びｅＲＥＧ（３）を含むことができ、対応するパイロット・ポートは、ＤＭＲＳポート７、８、９及び１０である。或いは、第１のタイプの第２のリソース・グループは、指標１が付与されている物理リソース・ブロック対のｅＲＥＧ（４）、ｅＲＥＧ（５）、ｅＲＥＧ（６）及びｅＲＥＧ（７）を含み、対応するパイロット・ポートは、ＤＭＲＳポート９、７、１０及び８である。或いは、第１のタイプの第２のリソース・グループは、指標２が付与されている物理リソース・ブロック対のｅＲＥＧ（０）、ｅＲＥＧ（１）、ｅＲＥＧ（４）及びｅＲＥＧ（５）を含むこともでき、対応するパイロット・ポートは、ＤＭＲＳポート７及び９である。これ以上は列挙しないが、以下同様にすることができる。第２のタイプの第２のリソース・グループは、異なる物理リソース・ブロック対の少なくとも２つのｅＲＥＧを含む。第２のタイプの第２のリソース・グループが異なる物理リソース・ブロック対の４つのｅＲＥＧを含むと仮定すると、第２のタイプの第２のリソース・グループは、表２で指標１、２、３及び４が付与されている物理リソース・ブロック対のｅＲＥＧ（０）を含むことができ、対応するパイロット・ポートは、ＤＭＲＳポート７である。或いは、第２のタイプの第２のリソース・グループは、指標１及び２が付与されている物理リソース・ブロック対のｅＲＥＧ（２）と、指標３及び４が付与されている物理リソース・ブロック対のｅＲＥＧ（３）とを含むこともでき、対応するパイロット・ポートは、ＤＭＲＳポート８及び１０である。以下同様にすることができる。表５に示すように、第１のタイプ又は第２のタイプの第２のリソース・グループを構成するｅＲＥＧが決まると、この第１のタイプ又は第２のタイプの第２のリソース・グループに対応するパイロット・ポートも決まる。
【００７２】
表１及び表３に示すような第１のリソース・グループとパイロット・ポートとの間のマッピング関係に加えて、その他のマッピング関係を使用することもできる。例えば、ｅＲＥＧ（０）及びｅＲＥＧ（５）が、ポート７に対応し、ｅＲＥＧ（１）及びｅＲＥＧ（４）が、ポート１０に対応し、ｅＲＥＧ（２）及びｅＲＥＧ（７）が、ポート８に対応し、ｅＲＥＧ（３）及びｅＲＥＧ（６）が、ポート１０に対応する。
【００７３】
本実施形態の任意選択の実施方式では、基地局が、第１のリソース・グループとパイロット・ポートとの間のマッピング関係に従って、且つ前述の特定の関係に従って、第１のタイプの第２のリソース・グループと、第１のリソース・グループとパイロット・ポートとの間の対応を決定することは、基地局が、第１のリソース・グループとパイロット・ポートとの間のマッピング関係に従って、且つ前述の特定の関係に従って、前述の第１のリソース・グループとパイロット・ポートとの間のマッピング関係において第１のタイプの第２のリソース・グループに対応する少なくとも２つの第１のリソース・グループに対応するポート・セットが少なくとも２つの異なるパイロット・ポートを含むと決定し、それぞれの第１のタイプの第２のリソース・グループが伝送に使用するパイロット・ポートが、その第１のタイプの第２のリソース・グループに対応する少なくとも２つの第１のリソース・グループのうちの最初のリソース・グループ又は最後のリソース・グループに対応するパイロット・ポートであると決定することを含む。例えば、表２に示すように、基地局は、第１のタイプの第２のリソース・グループに対応する少なくとも２つの第１のリソース・グループが、２つの第１のリソース・グループであり、前述の第１のリソース・グループとパイロット・ポートとの間のマッピング関係におけるこれら２つのリソース・グループに対応するポート・セットが、ＤＭＲＳポート７及び９、又はＤＭＲＳポート８及び１０の２つの異なるパイロット・ポートを含むと決定する。別の例では、表４に示すように、基地局は、第１のタイプの第２のリソース・グループに対応する少なくとも２つの第１のリソース・グループが、４つの第１のリソース・グループであり、前述の第１のリソース・グループとパイロット・ポートとの間のマッピング関係におけるこれら４つのリソース・グループに対応するポート・セットが、ＤＭＲＳポート７、８、９及び１０の４つの異なるパイロット・ポートを含むと決定する。別の例では、表５に示すように、基地局は、第１のタイプの第２のリソース・グループに対応する少なくとも２つの第１のリソース・グループが、４つの第１のリソース・グループであり、前述の第１のリソース・グループとパイロット・ポートとの間のマッピング関係におけるこれら４つのリソース・グループに対応するポート・セットが、ＤＭＲＳポート７、８、９及び１０の４つの異なるパイロット・ポートを含む、又は前述の第１のリソース・グループとパイロット・ポートとの間のマッピング関係におけるこれら４つのリソース・グループに対応するポート・セットが、ＤＭＲＳポート７及び９の２つの異なるパイロット・ポートを含むと決定する。つまり、第１のタイプの第２のリソース・グループに対応する少なくとも２つの第１のリソース・グループに対応するポート・セットは、少なくとも２つの異なるパイロット・ポートを含む。第１のタイプの第２のリソース・グループでは、伝送中にこれらのパイロット・ポートのうちの１つを使用すると、パイロット・リソースを節約するのに有利であるので好ましい。第１のタイプの異なる第２のリソース・グループの間でのＥ−ＰＤＣＣＨ伝送中に使用されるパイロット・ポートを統一するために、対応する少なくとも２つのｅＲＥＧのうちの最初のｅＲＥＧ又は最後のｅＲＥＧに対応するパイロット・ポートを選択し、伝送に使用することが指定される。
【００７４】
本実施形態の任意選択の実施方式では、第１のリソース・グループの利用を改善するために、前述の特定の関係は、第２のタイプの第２のリソース・グループがＥ−ＰＤＣＣＨを伝送するために使用するパイロット・ポートに従って、第１のタイプがＥ−ＰＤＣＣＨを伝送するために使用するパイロット・ポートを具体的に決定し、さらに、第１のリソース・グループとパイロット・ポートとの間のマッピング関係に従って、第１のタイプの第１のリソース・グループと、第１のリソース・グループとパイロット・ポートとの間の対応、並びに第２のタイプの第２のリソースと、第１のリソース・グループとパイロット・ポートとの間の対応を決定することである。これに基づき、前述の第１のリソース・グループとパイロット・ポートとの間のマッピング関係において第１のタイプの第２のリソース・グループに対応するこれらの少なくとも２つの第１のリソース・グループに対応するポート・セットに含まれる、基地局によって決定されるこれらの少なくとも２つの異なるパイロット・ポートは、少なくとも１つの第２のタイプの第２のリソース・グループを使用してＥ−ＰＤＣＣＨが伝送される場合に各物理リソース・ブロック対における伝送に使用される少なくとも２つのパイロット・ポートである。例えば、第２のタイプの第２のリソース・グループを使用してＥ−ＰＤＣＣＨが伝送される場合に各物理リソース・ブロック対における伝送に使用されるパイロット・ポートがＤＭＲＳポート７及び９である場合には、前述の第１のリソース・グループとパイロット・ポートとの間のマッピング関係において第１のタイプの第２のリソース・グループに対応する少なくとも２つの第１のリソース・グループに対応するポート・セットに含まれる、基地局によって決定される少なくとも２つの異なるパイロット・ポートは、ＤＭＲＳポート７及び９である。表２に示すように、ＤＭＲＳポート７及び９が、第２のタイプの第２のリソース・グループを用いてＥ−ＰＤＣＣＨが伝送される場合に各物理リソース・ブロック対における伝送に使用される場合には、それは、第１のタイプの第２のリソース・グループに対応する２つのｅＲＥＧが、ＤＭＲＳポート７及び９に対応するｅＲＥＧであることを示し、これらのｅＲＥＧは、ｅＲＥＧ（０）及びｅＲＥＧ（１）であってもよいし、或いはｅＲＥＧ（４）及びｅＲＥＧ（５）であってもよい。
【００７５】
本実施形態の任意選択の実施方式では、Ｅ−ＰＤＣＣＨを伝送するために使用される少なくとも１つの第２のタイプの第２のリソース・グループの量が既定のしきい値量より大きい場合には、２つのパイロット・ポートが各物理リソース・ブロック対における伝送に使用される。これらは、第１のパイロット・ポート及び第２のパイロット・ポートであってもよいし、或いは第３のパイロット・ポート及び第４のパイロット・ポートであってもよい。すなわち、第２のタイプの第２のリソース・グループを使用してＥ−ＰＤＣＣＨを伝送する場合には、各物理リソース・ブロック対における伝送に使用されるパイロット・ポートの量は、必ずしも２でなくてもよい。条件が満たされれば、この量は２であってもよいし、１、３、４などであってもよい。第１のパイロット・ポート、第２のパイロット・ポート、第３のパイロット・ポート及び第４のパイロット・ポートは、異なるＤＭＲＳポートである。具体的にどのＤＭＲＳポートを使用するかは、特に限定されない。さらに、第１のパイロット・ポート、第２のパイロット・ポート、第３のパイロット・ポート及び第４のパイロット・ポートは、全て、同じ物理リソース・ブロック対の第１のリソース・グループがマッピングされるパイロット・ポートである。
【００７６】
本実施形態の任意選択の実施方式では、上記の説明に基づいて、すなわち、Ｅ−ＰＤＣＣＨの伝送に使用される少なくとも１つの第２のタイプの第２のリソース・グループの量が既定のしきい値量より大きい場合には、各物理リソース・ブロック対における伝送に使用されるパイロット・ポートの量が２であるという条件下で、基地局は、第１のタイプの第２のリソース・グループがそれぞれ２つの第１のリソース・グループに対応すると決定し、且つ前述の第１のリソース・グループとパイロット・ポートとの間のマッピング関係において第１のタイプの第２のリソース・グループに対応する２つの第１のリソース・グループに対応するポート・セットが２つの異なるパイロット・ポートを含み、これら２つの異なるパイロット・ポートが、第１のパイロット・ポート及び第２のパイロット・ポート又は第３のパイロット・ポート及び第４のパイロット・ポートであると決定する。表２を参照して、第１のパイロット・ポートがＤＭＲＳポート７であり、第２のパイロット・ポートがＤＭＲＳポート９であり、且つ第３のパイロット・ポートがＤＭＲＳポート８であり、第４のパイロット・ポートがＤＭＲＳポート１０であると仮定する。従って、第１のタイプの第２のリソース・グループはそれぞれ２つのｅＲＥＧに対応し、これら２つのｅＲＥＧに対応するパイロット・ポートは、ＤＭＲＳポート７及び９である、或いはこれら２つのｅＲＥＧに対応するパイロット・ポートは、ＤＭＲＳポート８及び１０である。第１のタイプの第２のリソース・グループのそれぞれについて、Ｅ−ＰＤＣＣＨの実際の伝送では、対応するポート・セットのパイロット・ポートが優先的に伝送のために選択される。例えば、表２では、ＤＭＲＳポート７に対応するｅＲＥＧ（０）及びＤＭＲＳポート９に対応するｅＲＥＧ（１）が、第１のタイプの第２のリソース・グループの最初のリソース・グループを構成する。第１のタイプの第２のリソース・グループを使用してＥ−ＰＤＣＣＨを伝送する場合には、この伝送は、第１のタイプの第２のリソース・グループに対応する２つのｅＲＥＧのうちの最初のｅＲＥＧ、すなわちｅＲＥＧ（０）に対応するパイロット・ポート、すなわちＤＭＲＳポート７に基づく。第１のタイプの第２のリソース・グループを用いてＥ−ＰＤＣＣＨを伝送する場合には、ｅＲＥＧ（０）及びｅＲＥＧ（１）に使用されるプリコーディング・モードは、ＤＭＲＳポート７に使用されるプリコーディング・モードと同じであり、ＤＭＲＳポート７に基づいてこれら２つのｅＲＥＧ（０）及びｅＲＥＧ（１）についてチャネル推定を実行する。表２では、ＤＭＲＳポート８に対応するｅＲＥＧ（２）及びＤＭＲＳポート１０に対応するｅＲＥＧ（３）は、第１のタイプの第２のリソース・グループのうちの２番目のリソース・グループを構成する。第１のタイプの第２のリソース・グループを使用してＥ−ＰＤＣＣＨを伝送する場合には、この伝送は、第１のタイプの第２のリソース・グループに対応する２つのｅＲＥＧのうちの最初のｅＲＥＧ、すなわちｅＲＥＧ（２）に対応するパイロット・ポート、すなわちＤＭＲＳポート８に基づく。すなわち、第１のタイプの第２のリソース・グループを用いてＥ−ＰＤＣＣＨを伝送する場合には、ｅＲＥＧ（２）及びｅＲＥＧ（３）に使用されるプリコーディング・モードは、ＤＭＲＳポート８に使用されるプリコーディング・モードと同じであり、ＤＭＲＳポート８に基づいてこれら２つのｅＲＥＧ（２）及びｅＲＥＧ（３）についてチャネル推定を実行する。表２では、ＤＭＲＳポート９に対応するｅＲＥＧ（４）及びＤＭＲＳポート７に対応するｅＲＥＧ（５）は、３番目の第１のタイプの第２のリソース・グループを構成する。第１のタイプの第２のリソース・グループを使用してＥ−ＰＤＣＣＨを伝送する場合には、この伝送は、第１のタイプの第２のリソース・グループに対応する２つのｅＲＥＧのうちの最初のｅＲＥＧ、すなわちｅＲＥＧ（４）に対応するパイロット・ポート、すなわちＤＭＲＳポート９に基づく。すなわち、第１のタイプの第２のリソース・グループを用いてＥ−ＰＤＣＣＨを伝送する場合には、ｅＲＥＧ（４）及びｅＲＥＧ（５）に使用されるプリコーディング・モードは、ＤＭＲＳポート９に使用されるプリコーディング・モードと同じであり、ＤＭＲＳポート９に基づいてこれら２つのｅＲＥＧ（４）及びｅＲＥＧ（５）についてチャネル推定を実行する。表２では、ＤＭＲＳポート１０に対応するｅＲＥＧ（６）及びＤＭＲＳポート８に対応するｅＲＥＧ（７）は、４番目の第１のタイプの第２のリソース・グループを構成する。第１のタイプの第２のリソース・グループを使用してＥ−ＰＤＣＣＨを伝送する場合には、この伝送は、第１のタイプの第２のリソース・グループに対応する２つのｅＲＥＧのうちの最初のｅＲＥＧ、すなわちｅＲＥＧ（６）に対応するパイロット・ポート、すなわちＤＭＲＳポート１０に基づく。すなわち、第１のタイプの第２のリソース・グループを用いてＥ−ＰＤＣＣＨを伝送する場合には、ｅＲＥＧ（６）及びｅＲＥＧ（７）に使用されるプリコーディング・モードは、ＤＭＲＳポート１０に使用されるプリコーディング・モードと同じであり、ＤＭＲＳポート１０に基づいてこれら２つのｅＲＥＧ（６）及びｅＲＥＧ（７）についてチャネル推定を実行する。
【００７７】
さらに、第１のタイプの第２のリソース・グループがそれぞれ２つの第１のリソース・グループに対応することに基づいて、各物理リソース・ブロック対は、第１のタイプの第２のリソース・グループを４つ含むことができる。この場合には、各物理リソース・ブロック対は、表１から表５に示すように、合計８個の第１のリソース・グループを含む。前述の第１のリソース・グループとパイロット・ポートとの間のマッピング関係においてある物理リソース・ブロック対に含まれる２つの第１のタイプの第２のリソース・グループに対応する２つの第１のリソース・グループに対応するポート・セットに含まれる２つの異なるパイロット・ポートは、一様に第１のパイロット・ポート及び第２のパイロット・ポートであり、前述の第１のリソース・グループとパイロット・ポートとの間のマッピング関係においてその物理リソース・ブロック対に含まれるその他の第１のタイプの第２のリソース・グループに対応する２つの第１のリソース・グループに対応するポート・セットに含まれる２つの異なるパイロット・ポートは、一様に第３のパイロット・ポート及び第４のパイロット・ポートである。さらに、第１のパイロット・ポート及び第２のパイロット・ポートを含むパイロットポート・セットに対応する２つの第１のリソース・グループに対応する２つの第１のタイプの第２のリソース・グループでは、２つの第１のタイプの第２のリソース・グループの２つの第１のリソース・グループは、これらのパイロット・ポートに従って異なる順序で配列される。同様に、第３のパイロット・ポート及び第４のパイロット・ポートを含むパイロット・セットに対応する２つの第１のリソース・グループに対応する２つの第１のタイプの第２のリソース・グループでは、２つの第１のタイプの第２のリソース・グループの２つの第１のリソース・グループは、これらのパイロット・ポートに従って異なる順序で配列される。表２を参照すると、指標１が付与されている物理リソース・ブロック対は、４つの第１のタイプの第２のリソース・グループ、すなわちｅＲＥＧ（０）及びｅＲＥＧ（１）を含む第１のタイプの第２のリソース・グループ、ｅＲＥＧ（２）及びｅＲＥＧ（３）を含む第１のタイプの第２のリソース・グループ、ｅＲＥＧ（４）及びｅＲＥＧ（５）を含む第１のタイプの第２のリソース・グループ並びにｅＲＥＧ（６）及びｅＲＥＧ（７）を含む第１のタイプの第２のリソース・グループを含む。ｅＲＥＧ（０）及びｅＲＥＧ（１）を含む第１のタイプの第２のリソース・グループ並びにｅＲＥＧ（４）及びｅＲＥＧ（５）を含む第１のタイプの第２のリソース・グループは、同じパイロット・ポート、すなわちＤＭＲＳポート７及び９に対応し、パイロット・ポートによる配列後は、これら２つの第１のタイプの第２のリソース・グループにおけるＤＭＲＳポート７及び９の順序は異なる。例えば、ｅＲＥＧ（０）及びｅＲＥＧ（１）を含む第１のタイプの第２のリソース・グループでは、ＤＭＲＳポート７及び９の順序は、ＤＭＲＳポート７が先、ＤＭＲＳポート９が後であり、ｅＲＥＧ（４）及びｅＲＥＧ（５）を含む第１のタイプの第２のリソース・グループでは、ＤＭＲＳポート７及び９の順序は、ＤＭＲＳポート９が先、ＤＭＲＳポート７が後である。ｅＲＥＧ（２）及びｅＲＥＧ（３）を含む第１のタイプの第２のリソース・グループ並びにｅＲＥＧ（６）及びｅＲＥＧ（７）を含む第１のタイプの第２のリソース・グループは、同じパイロット・ポート、すなわちＤＭＲＳポート８及び１０に対応し、パイロット・ポートによる配列後は、これら２つの第１のタイプの第２のリソース・グループにおけるＤＭＲＳポート８及び９の順序は異なる。例えば、ｅＲＥＧ（２）及びｅＲＥＧ（３）を含む第１のタイプの第２のリソース・グループでは、ＤＭＲＳポート８及び１０の順序は、ＤＭＲＳポート８が先、ＤＭＲＳポート１０が後であり、ｅＲＥＧ（６）及びｅＲＥＧ（７）を含む第１のタイプの第２のリソース・グループでは、ＤＭＲＳポート８及び１０の順序は、ＤＭＲＳポート１０が先、ＤＭＲＳポート８が後である。
【００７８】
本実施形態の任意選択の実施方式では、上記の説明に基づいて、すなわちＥ−ＰＤＣＣＨの伝送に使用される少なくとも１つの第２のタイプの第２のリソース・グループの量が既定のしきい値量より大きい場合には、各物理リソース・ブロック対における伝送に使用されるパイロット・ポートの量が２であるという条件下で、基地局は、第１のタイプの第２のリソース・グループがそれぞれ４つの第１のリソース・グループに対応すると決定し、且つ前述の第１のリソース・グループとパイロット・ポートとの間のマッピング関係において第１のタイプの第２のリソース・グループに対応する４つの第１のリソース・グループに対応するポート・セットが４つの異なるパイロット・ポートを含み、これら４つの異なるパイロット・ポートが、第１のパイロット・ポート、第２のパイロット・ポート、第３のパイロット・ポート及び第４のパイロット・ポートであると決定する。表５を参照して、第１のパイロット・ポートがＤＭＲＳポート７であり、第２のパイロット・ポートがＤＭＲＳポート９であり、第３のパイロット・ポートがＤＭＲＳポート８であり、第４のパイロット・ポートがＤＭＲＳポート１０であると仮定する。従って、第１のタイプの第２のリソース・グループはそれぞれ４つのｅＲＥＧに対応し、これら４つのｅＲＥＧに対応するパイロット・ポートは、ＤＭＲＳポート７、８、９及び１０である。第１のタイプの第２のリソース・グループのそれぞれについて、Ｅ−ＰＤＣＣＨの実際の伝送では、対応するポート・セットのパイロット・ポートが優先的に伝送のために選択される。例えば、表５では、ＤＭＲＳポート７に対応するｅＲＥＧ（０）、ＤＭＲＳポート９に対応するｅＲＥＧ（１）、ＤＭＲＳポート８に対応するｅＲＥＧ（２）、及びＤＭＲＳポート１０に対応するｅＲＥＧ（３）が、第１のタイプの第２のリソース・グループの最初のリソース・グループを構成する。第１のタイプの第２のリソース・グループを使用してＥ−ＰＤＣＣＨを伝送する場合には、この伝送は、第１のタイプの第２のリソース・グループに対応する４つのｅＲＥＧのうちの最初のｅＲＥＧ、すなわちｅＲＥＧ（０）に対応するパイロット・ポート、すなわちＤＭＲＳポート７に基づく。すなわち、第１のタイプの第２のリソース・グループを用いてＥ−ＰＤＣＣＨを伝送する場合には、ｅＲＥＧ（０）、ｅＲＥＧ（１）、ｅＲＥＧ（２）及びｅＲＥＧ（３）に使用されるプリコーディング・モードは、ＤＭＲＳポート７に使用されるプリコーディング・モードと同じであり、ＤＭＲＳポート７に基づいてこれら４つのｅＲＥＧ（０）、ｅＲＥＧ（１）、ｅＲＥＧ（２）及びｅＲＥＧ（３）についてチャネル推定を実行する。表５では、ＤＭＲＳポート９に対応するｅＲＥＧ（４）、ＤＭＲＳポート７に対応するｅＲＥＧ（５）、ＤＭＲＳポート１０に対応するｅＲＥＧ（６）及びＤＭＲＳポート８に対応するｅＲＥＧ（７）は、第１のタイプの第２のリソース・グループのうちの２番目のリソース・グループを構成する。第１のタイプの第２のリソース・グループを使用してＥ−ＰＤＣＣＨを伝送する場合には、この伝送は、第１のタイプの第２のリソース・グループに対応する４つのｅＲＥＧのうちの最初のｅＲＥＧ、すなわちｅＲＥＧ（４）に対応するパイロット・ポート、すなわちＤＭＲＳポート９に基づく。すなわち、第１のタイプの第２のリソース・グループを用いてＥ−ＰＤＣＣＨを伝送する場合には、ｅＲＥＧ（４）、ｅＲＥＧ（５）、ｅＲＥＧ（６）及びｅＲＥＧ（７）に使用されるプリコーディング・モードは、ＤＭＲＳポート９に使用されるプリコーディング・モードと同じであり、ＤＭＲＳポート９に基づいてこれら４つのｅＲＥＧ（４）、ｅＲＥＧ（５）、ｅＲＥＧ（６）及びｅＲＥＧ（７）についてチャネル推定を実行する。
【００７９】
第１のタイプの第２のリソース・グループがそれぞれ４つの第１のリソース・グループに対応することに基づいて、各物理リソース・ブロック対は、第１のタイプの第２のリソース・グループを２つ含むことができる。この場合には、各物理リソース・ブロック対は、合計８個の第１のリソース・グループを含む。前述の第１のリソース・グループとパイロット・ポートとの間のマッピング関係においてある物理リソース・ブロック対に含まれる２つの第１のタイプの第２のリソース・グループに対応する４つの第１のリソース・グループに対応するポート・セットに含まれる４つの異なるパイロット・ポートは、一様に第１のパイロット・ポート、第２のパイロット・ポート、第３のパイロット・ポート及び第４のパイロット・ポートであり、この物理リソース・ブロック対に含まれる２つの第１のタイプの第２のリソース・グループの４つの第１のリソース・グループは、これらのパイロット・ポートに従って異なる順序で配列される。物理リソース・ブロック対に含まれる２つの第１のタイプの第２のリソース・グループのパイロット・ポートを配列する方式は、様々であってよい。例えば、物理リソース・ブロック対に含まれる１つの第１のタイプの第２のリソース・グループのパイロット・ポートの配列は、第１のパイロット・ポート、第２のパイロット・ポート、第３のパイロット・ポート及び第４のパイロット・ポートであるが、その物理リソース・ブロック対に含まれるもう１つの第１のタイプの第２のリソース・グループのパイロット・ポートの配列は、第２のパイロット・ポート、第１のパイロット・ポート、第３のパイロット・ポート及び第４のパイロット・ポートである。或いは、物理リソース・ブロック対に含まれる１つの第１のタイプの第２のリソース・グループのパイロット・ポートの配列は、第１のパイロット・ポート、第２のパイロット・ポート、第３のパイロット・ポート及び第４のパイロット・ポートであるが、その物理リソース・ブロック対に含まれるもう１つの第１のタイプの第２のリソース・グループのパイロット・ポートの配列は、第４のパイロット・ポート、第３のパイロット・ポート、第２のパイロット・ポート及び第１のパイロット・ポートである。或いは、物理リソース・ブロック対に含まれる１つの第１のタイプの第２のリソース・グループのパイロット・ポートの配列は、第１のパイロット・ポート、第３のパイロット・ポート、第２のパイロット・ポート及び第４のパイロット・ポートであるが、その物理リソース・ブロック対に含まれるもう１つの第１のタイプの第２のリソース・グループのパイロット・ポートの配列は、第３のパイロット・ポート、第１のパイロット・ポート、第４のパイロット・ポート及び第２のパイロット・ポートである。
【００８０】
表５を参照すると、指標１が付与されている物理リソース・ブロック対は、２つの第１のタイプの第２のリソース・グループ、すなわちｅＲＥＧ（０）、ｅＲＥＧ（１）、ｅＲＥＧ（２）及びｅＲＥＧ（３）を含む第１のタイプの第２のリソース・グループとｅＲＥＧ（４）、ｅＲＥＧ（５）、ｅＲＥＧ（６）及びｅＲＥＧ（７）を含む第１のタイプの第２のリソース・グループとを含む。ｅＲＥＧ（０）、ｅＲＥＧ（１）、ｅＲＥＧ（２）及びｅＲＥＧ（３）を含む第１のタイプの第２のリソース・グループ、並びにｅＲＥＧ（４）、ｅＲＥＧ（５）、ｅＲＥＧ（６）及びｅＲＥＧ（７）を含む第１のタイプの第２のリソース・グループは、同じパイロット・ポート、すなわちＤＭＲＳポート７、８、９及び１０に対応し、パイロット・ポートによる配列後には、これら２つの第１のタイプの第２のリソース・グループにおけるＤＭＲＳポート７、８、９及び１０の順序は異なる。例えば、ｅＲＥＧ（０）、ｅＲＥＧ（１）、ｅＲＥＧ（２）及びｅＲＥＧ（３）を含む第１のタイプの第２のリソース・グループでは、ＤＭＲＳポート７、８、９及び１０の順序は、ＤＭＲＳポート７、ＤＭＲＳポート９、ＤＭＲＳポート８、ＤＭＲＳポート１０であり、ｅＲＥＧ（４）、ｅＲＥＧ（５）、ｅＲＥＧ（６）及びｅＲＥＧ（７）を含む第１のタイプの第２のリソース・グループでは、ＤＭＲＳポート７、８、９及び１０の順序は、ＤＭＲＳポート９、ＤＭＲＳポート７、ＤＭＲＳポート１０、ＤＭＲＳポート８である。さらに、ｅＲＥＧ（０）、ｅＲＥＧ（１）、ｅＲＥＧ（２）及びｅＲＥＧ（３）を含む第１のタイプの第２のリソース・グループでは、ＤＭＲＳポート７、８、９及び１０の順序は、ＤＭＲＳポート７、ＤＭＲＳポート８、ＤＭＲＳポート９、ＤＭＲＳポート１０であってもよく、ｅＲＥＧ（４）、ｅＲＥＧ（５）、ｅＲＥＧ（６）及びｅＲＥＧ（７）を含む第１のタイプの第２のリソース・グループでは、ＤＭＲＳポート７、８、９及び１０の順序は、ＤＭＲＳポート１０、ＤＭＲＳポート９、ＤＭＲＳポート８、ＤＭＲＳポート７であってもよく、以下同様に順序を変えることができる。
【００８１】
本実施形態の任意選択の実施方式では、上記の説明に基づいて、すなわちＥ−ＰＤＣＣＨの伝送に使用される少なくとも１つの第２のタイプの第２のリソース・グループの量が既定のしきい値量より大きい場合には、各物理リソース・ブロック対における伝送に使用されるパイロット・ポートの量が２であるという条件下で、基地局は、第１のタイプの第２のリソース・グループがそれぞれ４つの第１のリソース・グループに対応すると決定し、且つ前述の第１のリソース・グループとパイロット・ポートとの間のマッピング関係において第１のタイプの第２のリソース・グループに対応する４つの第１のリソース・グループに対応するポート・セットが２つの異なるパイロット・ポートを含み、これら２つの異なるパイロット・ポートが、第１のパイロット・ポート及び第２のパイロット・ポート、又は第３のパイロット・ポート及び第４のパイロット・ポートであると決定する。表４を参照して、第１のパイロット・ポートがＤＭＲＳポート７であり、第２のパイロット・ポートがＤＭＲＳポート８であり、第３のパイロット・ポートがＤＭＲＳポート９であり、第４のパイロット・ポートがＤＭＲＳポート１０であると仮定する。従って、第１のタイプの第２のリソース・グループはそれぞれ４つのｅＲＥＧに対応し、これら４つのｅＲＥＧに対応するパイロット・ポートは、ＤＭＲＳポート７及び８、又はＤＭＲＳポート９及び１０である。第１のタイプの第２のリソース・グループのそれぞれについて、Ｅ−ＰＤＣＣＨの実際の伝送では、対応するポート・セットのパイロット・ポートが優先的に伝送のために選択される。例えば、表４では、ＤＭＲＳポート７に対応するｅＲＥＧ（０）、ＤＭＲＳポート８に対応するｅＲＥＧ（１）、ＤＭＲＳポート８に対応するｅＲＥＧ（２）、及びＤＭＲＳポート７に対応するｅＲＥＧ（３）が、第１のタイプの第２のリソース・グループの最初のリソース・グループを構成する。第１のタイプの第２のリソース・グループを使用してＥ−ＰＤＣＣＨを伝送する場合には、この伝送は、第１のタイプの第２のリソース・グループに対応する４つのｅＲＥＧのうちの最初のｅＲＥＧ、すなわちｅＲＥＧ（０）に対応するパイロット・ポート、すなわちＤＭＲＳポート７に基づく。第１のタイプの第２のリソース・グループを用いてＥ−ＰＤＣＣＨを伝送する場合には、ｅＲＥＧ（０）、ｅＲＥＧ（１）、ｅＲＥＧ（２）及びｅＲＥＧ（３）に使用されるプリコーディング・モードは、ＤＭＲＳポート７に使用されるプリコーディング・モードと同じであり、ＤＭＲＳポート７に基づいてこれら４つのｅＲＥＧ（０）、ｅＲＥＧ（１）、ｅＲＥＧ（２）及びｅＲＥＧ（３）についてチャネル推定を実行する。表４では、ＤＭＲＳポート９に対応するｅＲＥＧ（４）、ＤＭＲＳポート１０に対応するｅＲＥＧ（５）、ＤＭＲＳポート１０に対応するｅＲＥＧ（６）及びＤＭＲＳポート９に対応するｅＲＥＧ（７）は、第１のタイプの第２のリソース・グループのうちの２番目のリソース・グループを構成する。第１のタイプの第２のリソース・グループを使用してＥ−ＰＤＣＣＨを伝送する場合には、この伝送は、第１のタイプの第２のリソース・グループに対応する４つのｅＲＥＧのうちの最初のｅＲＥＧ、すなわちｅＲＥＧ（４）に対応するパイロット・ポート、すなわちＤＭＲＳポート９に基づく。すなわち、第１のタイプの第２のリソース・グループを用いてＥ−ＰＤＣＣＨを伝送する場合には、ｅＲＥＧ（４）、ｅＲＥＧ（５）、ｅＲＥＧ（６）及びｅＲＥＧ（７）に使用されるプリコーディング・モードは、ＤＭＲＳポート９に使用されるプリコーディング・モードと同じであり、ＤＭＲＳポート９に基づいてこれら４つのｅＲＥＧ（４）、ｅＲＥＧ（５）、ｅＲＥＧ（６）及びｅＲＥＧ（７）についてチャネル推定を実行する。
【００８２】
第１のタイプの第２のリソース・グループがそれぞれ４つの第１のリソース・グループに対応することに基づいて、各物理リソース・ブロック対は、第１のタイプの第２のリソース・グループを２つ含む。この場合には、各物理リソース・ブロック対は、合計８個の第１のリソース・グループを含む。前述の第１のリソース・グループとパイロット・ポートとの間のマッピング関係においてある物理リソース・ブロック対に含まれる１つの第１のタイプの第２のリソース・グループに対応する４つの第１のリソース・グループに対応するポート・セットに含まれる２つの異なるパイロット・ポートは、第１のパイロット・ポート及び第２のパイロット・ポートであり、前述の第１のリソース・グループとパイロット・ポートとの間のマッピング関係においてその物理リソース・ブロック対に含まれるもう１つの第１のタイプの第２のリソース・グループに対応する４つの第１のリソース・グループに対応するポート・セットに含まれる２つの異なるパイロット・ポートは、第３のパイロット・ポート及び第４のパイロット・ポートである。表４を参照すると、指標１が付与されている物理リソース・ブロック対は、２つの第１のタイプの第２のリソース・グループ、すなわちｅＲＥＧ（０）、ｅＲＥＧ（１）、ｅＲＥＧ（２）及びｅＲＥＧ（３）を含む第１のタイプの第２のリソース・グループとｅＲＥＧ（４）、ｅＲＥＧ（５）、ｅＲＥＧ（６）及びｅＲＥＧ（７）を含む第１のタイプの第２のリソース・グループとを含む。ｅＲＥＧ（０）、ｅＲＥＧ（１）、ｅＲＥＧ（２）及びｅＲＥＧ（３）を含む第１のタイプの第２のリソース・グループ、並びにｅＲＥＧ（４）、ｅＲＥＧ（５）、ｅＲＥＧ（６）及びｅＲＥＧ（７）を含む第１のタイプの第２のリソース・グループは、異なるパイロット・ポートに対応する。例えば、ｅＲＥＧ（０）、ｅＲＥＧ（１）、ｅＲＥＧ（２）及びｅＲＥＧ（３）を含む第１のタイプの第２のリソース・グループに対応するパイロット・ポートは、ＤＭＲＳポート７及び８であり、ｅＲＥＧ（４）、ｅＲＥＧ（５）、ｅＲＥＧ（６）及びｅＲＥＧ（７）を含む第１のタイプの第２のリソース・グループに対応するパイロット・ポートは、ＤＭＲＳポート９及び１０である。
【００８３】
前述の実施形態又は実施方式のそれぞれに基づいて、基地局によって決定される、Ｅ−ＰＤＣＣＨの伝送に使用される第２のタイプの第２のリソース・グループのそれぞれに対応する少なくとも２つの第１のリソース・グループは、同じパイロット・ポートに対応し、且つ同じ位置指標を有する、異なる物理リソース・ブロック対に位置する第１のリソース・グループである。例えば、表２に示す実線枠で囲まれた第２のタイプの第２のリソース・グループは、指標３及び４を付与された２つの物理リソース・ブロック対の、ともにＤＭＲＳポート７に対応し、且つともに位置指標０を有する２つのｅＲＥＧを含むリソース・グループである。別の例では、表４及び表５に示す実線枠で囲まれた第２のタイプの第２のリソース・グループは、指標１、２、３及び４を付与された４つの物理リソース・ブロック対の、全てＤＭＲＳポート７に対応し、且つ全て位置指標０を有する４つのｅＲＥＧを含むリソース・グループである。
【００８４】
前述の実施形態又は実施方式のそれぞれに基づいて、基地局によって決定される、Ｅ−ＰＤＣＣＨの伝送に使用される第２のタイプの第２のリソース・グループのそれぞれに対応する少なくとも２つの第１のリソース・グループは、同じパイロット・ポートに対応し、且つ異なる位置指標を有する、異なる物理リソース・ブロック対に位置する第１のリソース・グループである。例えば、表２に示す実線で結ばれた２つの点線枠で囲まれた第２のタイプの第２のリソース・グループは、指標３及び４を付与された２つの物理リソース・ブロック対の、ともにＤＭＲＳポート９に対応し、且つ位置指標１及び４をそれぞれ有する２つのｅＲＥＧを含むリソース・グループである。別の例では、表４に示す実線で結ばれた２つの点線枠で囲まれた第２のタイプの第２のリソース・グループは、指標１、２、３及び４を付与された４つの物理リソース・ブロック対の、それぞれＤＭＲＳポート８及び７に対応し、且つ位置指標２及び３を有する４つのｅＲＥＧを含むリソース・グループである。別の例では、表４を参照して、第２のタイプの第２のリソース・グループは、指標１が付与されている物理リソース・ブロック対の、ＤＭＲＳポート７に対応し、且つ位置指標０を有するｅＲＥＧ、指標２が付与されている物理リソース・ブロック対の、ＤＭＲＳポート８に対応し、且つ位置指標１を有するｅＲＥＧ、指標３が付与されている物理リソース・ブロック対の、ＤＭＲＳポート８に対応し、且つ位置指標２を有するｅＲＥＧ、及び指標４が付与されている物理リソース・ブロック対の、ＤＭＲＳポート７に対応し、且つ位置指標３を有するｅＲＥＧを含むこともできる。別の例では、表４を参照して、第２のタイプの第２のリソース・グループは、指標１が付与されている物理リソース・ブロック対の、ＤＭＲＳポート７に対応し、且つ位置指標０を有するｅＲＥＧ、指標２が付与されている物理リソース・ブロック対の、ＤＭＲＳポート８に対応し、且つ位置指標１を有するｅＲＥＧ、指標３が付与されている物理リソース・ブロック対の、ＤＭＲＳポート９に対応し、且つ位置指標４を有するｅＲＥＧ、及び指標４が付与されている物理リソース・ブロック対の、ＤＭＲＳポート１０に対応し、且つ位置指標５を有するｅＲＥＧからなることもできる。
【００８５】
本実施形態の任意選択の実施方式では、前述の実施方式のそれぞれの第１のタイプの第２のリソース・グループの実施に基づいて、基地局によって決定される、Ｅ−ＰＤＣＣＨの伝送に使用される第２のタイプの第２のリソース・グループのそれぞれに対応する少なくとも２つの第１のリソース・グループは、異なる物理リソース・ブロック対に位置し、且つ第１のタイプの第２のリソース・グループに対応する少なくとも２つの第１のリソース・グループの位置指標と同じ位置指標を有する第１のリソース・グループである。例えば、表２に示す点線で結ばれた２つの点線枠で囲まれた第２のタイプの第２のリソース・グループは、指標２が付与されている物理リソース・ブロック対のＤＭＲＳポート１０に対応し、且つ位置指標６を有する第１のリソース・グループと、指標４が付与されている物理リソース・ブロック対のＤＭＲＳポート８に対応し、且つ位置指標７を有する第１のリソース・グループとを含む。この第２のタイプの第２のリソース・グループは、表２において指標１が付与されている物理リソース・ブロック対の位置指標６及び７を有する２つの第１のリソース・グループを含む第１のタイプの第２のリソース・グループに対応し、これら２つの第２のリソース・グループに対応する第１のリソース・グループの位置指標は同じである。別の例では、表５を参照して、第１のタイプの第２のリソース・グループが、指標１が付与されている物理リソース・ブロック対の位置指標０、１、２及び３を有する４つの第１のリソース・グループを含む場合には、基地局は、これに応じて、第２のタイプの第２のリソース・グループが、指標１が付与されている物理リソース・ブロック対の位置指標０を有する第１のリソース・グループ、指標２が付与されている物理リソース・ブロック対の位置指標１を有する第１のリソース・グループ、指標３が付与されている物理リソース・ブロック対の位置指標２を有する第１のリソース・グループ、及び指標４が付与されている物理リソース・ブロック対の位置指標３を有する第１のリソース・グループを含むと決定することができる。さらに、基地局は、第２のタイプの第２のリソース・グループが、指標４が付与されている物理リソース・ブロック対の位置指標０を有する第１のリソース・グループ、指標３が付与されている物理リソース・ブロック対の位置指標１を有する第１のリソース・グループ、指標２が付与されている物理リソース・ブロック対の位置指標２を有する第１のリソース・グループ、及び指標０が付与されている物理リソース・ブロック対の位置指標３を有する第１のリソース・グループを含むと決定することもでき、以下同様に、複数の組合せ方が可能である。
【００８６】
以下、前述の実施方式のそれぞれによって得られる有利な効果について述べる。同じ物理リソース・ブロック対における空間ダイバーシチをさらに得るために、一般に、複数のパイロット・ポートを実施用に割り当てることが行われる。しかし、パイロット・ポートの割当てが不適切であると、パイロット・ポート・リソースの無駄が生じ、チャネル推定に不利となる。例えば、第１のリソース・グループとＤＭＲＳポートとの間の別のマッピング関係は、表６に示すようになる。
【表６】
2019068444.tif 000008
【００８７】
表６に示すように、ＤＭＲＳポート７及びＤＭＲＳポート９がＥ−ＰＤＣＣＨの伝送に使用される第２のタイプの第２のリソース・グループに割り当てられ、各物理リソース・ブロック対における伝送のためのパイロット・ポートとして使用され、且つＥ−ＰＤＣＣＨの伝送に使用される２つの第２のタイプの第２のリソース・グループが表６に示す実線枠内に示されるものである場合には、指標１が付与されている物理リソース・ブロック対において、表６で点線枠内に示す第１のリソース・グループしか第１のタイプの第２のリソース・グループを構成するために使用することができず、この場合にはｅＲＥＧ（１）及びｅＲＥＧ（５）は使用することができず、無駄が生じる。本発明の前述の実施形態又は実施方式のそれぞれでは、前述の問題は、第１のリソース・グループとパイロット・ポートとの間のマッピング関係を設定した後に、第１のリソース・グループとパイロット・ポートとの間のマッピング関係及び前述の特定の関係に従って第１のタイプの第２のリソース・グループ、第２のタイプの第２のリソース・グループ及び対応するパイロット・ポートを決定することなどによって、解決することができる。これにより、パイロット・ポート・リソースを十分に活用することができ、パイロット・ポート対を柔軟に構成することができ、パイロット・ポートによってもたらされる空間ダイバーシチを十分に活用することができる。
【００８８】
図１Ｂは、本発明の実施形態によるＥ−ＰＤＣＣＨ受信方法を示す流れ図である。本実施形態は、ＵＥによって実行されるが、これに限定されるわけではない。図１Ｂに示すように、本実施形態の方法は、以下のステップを含む。
【００８９】
ステップ２０１。第１のリソース・グループとパイロット・ポートの間のマッピング関係に従って、且つ特定の関係に従って、第１のタイプの第２のリソース・グループと、第１のリソース・グループと、パイロット・ポートとの間の対応、並びに第２のタイプの第２のリソース・グループと、第１のリソース・グループと、パイロット・ポートとの間の対応を決定する。
【００９０】
第１のリソース・グループとパイロット・ポートとの間のマッピング関係は、物理リソース要素セットの少なくとも１つの第１のリソース・グループと少なくとも１つのパイロット・ポートとの間のマッピング関係を含む。第１のリソース・グループは、ｅＲＥＧ又はＲＥＧであり、第１のタイプの第２のリソース・グループは、ｅＣＣＥ又は制御チャネル候補であり、第２のタイプの第２のリソース・グループは、ｅＣＣＥ又は制御チャネル候補であり、物理リソース要素セットは、少なくとも１対の物理リソース・ブロック対である。第１のタイプの第２のリソース・グループは、少なくとも２つの第１のリソース・グループに対応し、第２のタイプの第２のリソース・グループは、少なくとも２つの第１のリソース・グループに対応する。異なるタイプの第２のリソース・グループと、第１のリソース・グループと、パイロット・ポートとの間の対応は、前述の特定の関係を満たす。
【００９１】
ステップ２０２。Ｅ−ＰＤＣＣＨを伝送するために使用される少なくとも１つの第１のタイプの第２のリソース・グループ又は第２のタイプの第２のリソース・グループを決定し、決定した第１のタイプ又は第２のタイプの第２のリソース・グループと、第１のリソース・グループとパイロット・ポートとの間の対応に従って、このＥ−ＰＤＣＣＨを伝送するために使用される少なくとも１つの第１のタイプの第２のリソース・グループ又は第２のタイプの第２のリソース・グループを、少なくとも１つの第１のリソース・グループ及びパイロット・ポートで受信する。
【００９２】
本実施形態のステップ２０１については、ステップ１０１の説明を参照されたい。ステップ２０２については、ステップ１０２の説明を参照されたい。ステップ１０２との違いは、Ｅ−ＰＤＣＣＨの伝送に使用される少なくとも１つの第１のタイプの第２のリソース・グループ又は第２のタイプの第２のリソース・グループが伝送のために少なくとも１つの第１のリソース・グループ及びパイロット・ポートにマッピングされるステップ１０２とは異なり、本実施形態のＵＥは、Ｅ−ＰＤＣＣＨの伝送に使用される少なくとも１つの第１のタイプの第２のリソース・グループ又は第２のタイプの第２のリソース・グループを、少なくとも１つの第１のリソース・グループ及びパイロット・ポートで受信する点にある。Ｅ−ＰＤＣＣＨの伝送に使用される少なくとも１つの第１のタイプの第２のリソース・グループ又は第２のタイプの第２のリソース・グループをＵＥが少なくとも１つの第１のリソース・グループ及びパイロット・ポートで受信するプロセスは、ブラインド検出プロセスである。本実施形態のブラインド検出プロセスは、従来技術のブラインド検出プロセスと同様であり、本明細書ではこれ以上説明しない。
【００９３】
本実施形態では、第２のリソース・グループは、２つのタイプ、すなわち第１のタイプの第２のリソース・グループ及び第２のタイプの第２のリソース・グループを含む。選択的に、第１のタイプの第２のリソース・グループが、局在モードでＥ−ＰＤＣＣＨを伝送するリソース・グループであり、第２のタイプの第２のリソース・グループが、分散モードでＥ−ＰＤＣＣＨを伝送するリソース・グループである。本明細書では、局在モードでの伝送とは、Ｅ−ＰＤＣＣＨを伝送するリソースが、１つ又は複数の連続した物理リソース・ブロック対に割り当てられて集中化されることを意味し、分散モードでの伝送とは、Ｅ−ＰＤＣＣＨを伝送するリソースが、複数の不連続な物理リソース・ブロック対に割り当てられて非集中化されることを意味する。
【００９４】
例を用いて説明する第１のリソース・グループとパイロット・ポートとの間の任意選択のマッピング関係については、表１及び表３を参照されたい。ただし、マッピング関係は、これらに限定されるわけではない。
【００９５】
本実施形態の任意選択の実施方式では、ＵＥが、第１のリソース・グループとパイロット・ポートとの間のマッピング関係に従って、且つ特定の関係に従って、第１のタイプの第２のリソース・グループと、第１のリソース・グループとパイロット・ポートとの間の対応を決定することは、ＵＥが、第１のリソース・グループとパイロット・ポートとの間のマッピング関係に従って、且つ前述の特定の関係に従って、前述の第１のリソース・グループとパイロット・ポートとの間のマッピング関係において第１のタイプの第２のリソース・グループに対応する少なくとも２つの第１のリソース・グループに対応するポート・セットが少なくとも２つの異なるパイロット・ポートを含むと決定し、それぞれの第１のタイプの第２のリソース・グループが伝送に使用するパイロット・ポートが、その第１のタイプの第２のリソース・グループに対応する少なくとも２つの第１のリソース・グループのうちの最初のリソース・グループ又は最後のリソース・グループに対応するパイロット・ポートであると決定することを含む。
【００９６】
本実施形態の任意選択の実施方式では、第１のリソース・グループの利用を改善するために、前述の特定の関係は、第２のタイプの第２のリソース・グループがＥ−ＰＤＣＣＨを伝送するために使用するパイロット・ポートに従って、第１のタイプがＥ−ＰＤＣＣＨを伝送するために使用するパイロット・ポートを具体的に決定し、さらに、第１のリソース・グループとパイロット・ポートとの間のマッピング関係に従って、第１のタイプの第１のリソース・グループと、第１のリソース・グループとパイロット・ポートとの間の対応、並びに第２のタイプの第２のリソース・グループと、第１のリソース・グループとパイロット・ポートとの間の対応を決定することである。これに基づき、前述の第１のリソース・グループとパイロット・ポートとの間のマッピング関係において第１のタイプの第２のリソース・グループに対応するこれらの少なくとも２つの第１のリソース・グループに対応するポート・セットに含まれる、ＵＥによって決定されるこれらの少なくとも２つの異なるパイロット・ポートは、少なくとも１つの第２のタイプの第２のリソース・グループを使用してＥ−ＰＤＣＣＨが伝送される場合に各物理リソース・ブロック対における伝送に使用される少なくとも２つのパイロット・ポートである。第２のタイプの第２のリソース・グループを使用してＥ−ＰＤＣＣＨを伝送する場合に各物理リソース・ブロック対における伝送に使用されるパイロット・ポートは、予め決定しておくこともできる。
【００９７】
本実施形態の任意選択の実施方式では、Ｅ−ＰＤＣＣＨを伝送するために使用される少なくとも１つの第２のタイプの第２のリソース・グループの量が既定のしきい値量より大きい場合には、２つのパイロット・ポートが各物理リソース・ブロック対における伝送に使用される。これらは、第１のパイロット・ポート及び第２のパイロット・ポートであってもよいし、或いは第３のパイロット・ポート及び第４のパイロット・ポートであってもよい。すなわち、第２のタイプの第２のリソース・グループを使用してＥ−ＰＤＣＣＨを伝送する場合には、各物理リソース・ブロック対における伝送に使用されるパイロット・ポートの量は、必ずしも２でなくてもよい。条件が満たされれば、この量は２であってもよいし、１、３、４などであってもよい。第１のパイロット・ポート、第２のパイロット・ポート、第３のパイロット・ポート及び第４のパイロット・ポートは、異なるＤＭＲＳポートである。具体的にどのＤＭＲＳポートを使用するかは、特に限定されない。さらに、第１のパイロット・ポート、第２のパイロット・ポート、第３のパイロット・ポート及び第４のパイロット・ポートは、全て、同じ物理リソース・ブロック対の第１のリソース・グループがマッピングされるパイロット・ポートである。
【００９８】
本実施形態の任意選択の実施方式では、上記の説明に基づいて、すなわち、Ｅ−ＰＤＣＣＨの伝送に使用される少なくとも１つの第２のタイプの第２のリソース・グループの量が既定のしきい値量より大きい場合には、各物理リソース・ブロック対における伝送に使用されるパイロット・ポートの量が２であるという条件下で、ＵＥは、第１のタイプの第２のリソース・グループがそれぞれ２つの第１のリソース・グループに対応すると決定し、且つ前述の第１のリソース・グループとパイロット・ポートとの間のマッピング関係において第１のタイプの第２のリソース・グループに対応する２つの第１のリソース・グループに対応するポート・セットが２つの異なるパイロット・ポートを含み、これら２つの異なるパイロット・ポートが、第１のパイロット・ポート及び第２のパイロット・ポート又は第３のパイロット・ポート及び第４のパイロット・ポートであると決定する。
【００９９】
さらに、第１のタイプの第２のリソース・グループがそれぞれ２つの第１のリソース・グループに対応することに基づいて、各物理リソース・ブロック対は、第１のタイプの第２のリソース・グループを４つ含むことができる。この場合には、各物理リソース・ブロック対は、表１から表５に示すように、合計８個の第１のリソース・グループを含む。前述の第１のリソース・グループとパイロット・ポートとの間のマッピング関係においてある物理リソース・ブロック対に含まれる２つの第１のタイプの第２のリソース・グループに対応する２つの第１のリソース・グループに対応するポート・セットに含まれる２つの異なるパイロット・ポートは、一様に第１のパイロット・ポート及び第２のパイロット・ポートであり、前述の第１のリソース・グループとパイロット・ポートとの間のマッピング関係においてその物理リソース・ブロック対に含まれるその他の２つの第１のタイプの第２のリソース・グループに対応する２つの第１のリソース・グループに対応するポート・セットに含まれる２つの異なるパイロット・ポートは、一様に第３のパイロット・ポート及び第４のパイロット・ポートである。さらに、第１のパイロット・ポート及び第２のパイロット・ポートを含むポート・セットに対応する２つの第１のリソース・グループに対応する２つの第１のタイプの第２のリソース・グループでは、２つの第１のタイプの第２のリソース・グループの２つの第１のリソース・グループは、これらのパイロット・ポートに従って異なる順序で配列される。同様に、第３のパイロット・ポート及び第４のパイロット・ポートを含むポート・セットに対応する２つの第１のリソース・グループに対応する２つの第１のタイプの第２のリソース・グループでは、２つの第１のタイプの第２のリソース・グループの２つの第１のリソース・グループは、これらのパイロット・ポートに従って異なる順序で配列される。
【０１００】
本実施形態の任意選択の実施方式では、上記の説明に基づいて、すなわちＥ−ＰＤＣＣＨの伝送に使用される少なくとも１つの第２のタイプの第２のリソース・グループの量が既定のしきい値量より大きい場合には、各物理リソース・ブロック対における伝送に使用されるパイロット・ポートの量が２であるという条件下で、ＵＥは、第１のタイプの第２のリソース・グループがそれぞれ４つの第１のリソース・グループに対応すると決定し、且つ前述の第１のリソース・グループとパイロット・ポートとの間のマッピング関係において第１のタイプの第２のリソース・グループに対応する４つの第１のリソース・グループに対応するポート・セットが４つの異なるパイロット・ポートを含み、これら４つの異なるパイロット・ポートが、第１のパイロット・ポート、第２のパイロット・ポート、第３のパイロット・ポート及び第４のパイロット・ポートであると決定する。
【０１０１】
第１のタイプの第２のリソース・グループがそれぞれ４つの第１のリソース・グループに対応することに基づいて、各物理リソース・ブロック対は、第１のタイプの第２のリソース・グループを２つ含む。この場合には、各物理リソース・ブロック対は、合計８個の第１のリソース・グループを含む。前述の第１のリソース・グループとパイロット・ポートとの間のマッピング関係においてある物理リソース・ブロック対に含まれる２つの第１のタイプの第２のリソース・グループに対応する４つの第１のリソース・グループに対応するポート・セットに含まれる４つの異なるパイロット・ポートは、一様に第１のパイロット・ポート、第２のパイロット・ポート、第３のパイロット・ポート及び第４のパイロット・ポートであり、この物理リソース・ブロック対に含まれる２つの第１のタイプの第２のリソース・グループの４つの第１のリソース・グループは、これらのパイロット・ポートに従って異なる順序で配列される。物理リソース・ブロック対に含まれる２つの第１のタイプの第２のリソース・グループのパイロット・ポートを配列する方式は、様々であってよい。例えば、物理リソース・ブロック対に含まれる１つの第１のタイプの第２のリソース・グループのパイロット・ポートの配列は、第１のパイロット・ポート、第２のパイロット・ポート、第３のパイロット・ポート及び第４のパイロット・ポートであるが、その物理リソース・ブロック対に含まれるもう１つの第１のタイプの第２のリソース・グループのパイロット・ポートの配列は、第２のパイロット・ポート、第１のパイロット・ポート、第４のパイロット・ポート及び第３のパイロット・ポートである。或いは、物理リソース・ブロック対に含まれる１つの第１のタイプの第２のリソース・グループのパイロット・ポートの配列は、第１のパイロット・ポート、第２のパイロット・ポート、第３のパイロット・ポート及び第４のパイロット・ポートであるが、その物理リソース・ブロック対に含まれるもう１つの第１のタイプの第２のリソース・グループのパイロット・ポートの配列は、第４のパイロット・ポート、第３のパイロット・ポート、第２のパイロット・ポート及び第１のパイロット・ポートである。或いは、物理リソース・ブロック対に含まれる１つの第１のタイプの第２のリソース・グループのパイロット・ポートの配列は、第１のパイロット・ポート、第３のパイロット・ポート、第２のパイロット・ポート及び第４のパイロット・ポートであるが、その物理リソース・ブロック対に含まれるもう１つの第１のタイプの第２のリソース・グループのパイロット・ポートの配列は、第３のパイロット・ポート、第１のパイロット・ポート、第４のパイロット・ポート及び第２のパイロット・ポートである。
【０１０２】
本実施形態の任意選択の実施方式では、上記の説明に基づいて、すなわちＥ−ＰＤＣＣＨの伝送に使用される少なくとも１つの第２のタイプの第２のリソース・グループの量が既定のしきい値量より大きい場合には、各物理リソース・ブロック対における伝送に使用されるパイロット・ポートの量が２であるという条件下で、ＵＥは、第１のタイプの第２のリソース・グループがそれぞれ４つの第１のリソース・グループに対応すると決定し、且つ前述の第１のリソース・グループとパイロット・ポートとの間のマッピング関係において第１のタイプの第２のリソース・グループに対応する４つの第１のリソース・グループに対応するポート・セットが２つの異なるパイロット・ポートを含み、これら２つの異なるパイロット・ポートが、第１のパイロット・ポート及び第２のパイロット・ポート、又は第３のパイロット・ポート及び第４のパイロット・ポートであると決定する。
【０１０３】
第１のタイプの第２のリソース・グループがそれぞれ４つの第１のリソース・グループに対応することに基づいて、各物理リソース・ブロック対は、第１のタイプの第２のリソース・グループを２つ含む。この場合には、各物理リソース・ブロック対は、合計８個の第１のリソース・グループを含む。前述の第１のリソース・グループとパイロット・ポートとの間のマッピング関係においてある物理リソース・ブロック対に含まれる１つの第１のタイプの第２のリソース・グループに対応する４つの第１のリソース・グループに対応するポート・セットに含まれる２つの異なるパイロット・ポートは、第１のパイロット・ポート及び第２のパイロット・ポートであり、前述の第１のリソース・グループとパイロット・ポートとの間のマッピング関係においてその物理リソース・ブロック対に含まれるもう１つの第１のタイプの第２のリソース・グループに対応する４つの第１のリソース・グループに対応するポート・セットに含まれる２つの異なるパイロット・ポートは、第３のパイロット・ポート及び第４のパイロット・ポートである。
【０１０４】
前述の実施形態又は実施方式のそれぞれに基づいて、ＵＥによって決定される、Ｅ−ＰＤＣＣＨの伝送に使用される第２のタイプの第２のリソース・グループのそれぞれに対応する少なくとも２つの第１のリソース・グループは、同じパイロット・ポートに対応し、且つ同じ位置指標を有する、異なる物理リソース・ブロック対に位置する第１のリソース・グループである。
【０１０５】
前述の実施形態又は実施方式のそれぞれに基づいて、ＵＥによって決定される、Ｅ−ＰＤＣＣＨの伝送に使用される第２のタイプの第２のリソース・グループのそれぞれに対応する少なくとも２つの第１のリソース・グループは、同じパイロット・ポートに対応し、且つ異なる位置指標を有する、異なる物理リソース・ブロック対に位置する第１のリソース・グループである。
【０１０６】
本実施形態の任意選択の実施方式では、前述の実施方式のそれぞれの第１のタイプの第２のリソース・グループの実施に基づいて、ＵＥによって決定される、Ｅ−ＰＤＣＣＨの伝送に使用される第２のタイプの第２のリソース・グループのそれぞれに対応する少なくとも２つの第１のリソース・グループは、異なる物理リソース・ブロック対に位置し、且つ第１のタイプの第２のリソース・グループに対応する少なくとも２つの第１のリソース・グループの位置指標と同じ位置指標を有する第１のリソース・グループである。
【０１０７】
上述の任意選択の実施方式のそれぞれについての詳細な説明については、図１Ａに示す本実施形態の対応する説明を参照されたい。本明細書では、これ以上の説明はしない。
【０１０８】
本実施形態の別の任意選択の実施方式では、ＵＥは、第１のリソース・グループとパイロット・ポートとの間のマッピング関係を使用する前に、第１のリソース・グループとパイロット・ポートとの間のマッピング関係を予め取得しておく必要がある。ＵＥが第１のリソース・グループとパイロット・ポートとの間のマッピング関係を取得する方式は、ＵＥ及び基地局が、第１のリソース・グループとパイロット・ポートとの間のマッピング関係を事前に決定すること、又は第１のリソース・グループとパイロット・ポートとの間のマッピング関係がローカル・セルＩＤに従って生成されることをＵＥが基地局と予め合意しておくことを含む。これら２つの場合には、基地局は、第１のリソース・グループとパイロット・ポートとの間のマッピング関係をＵＥに送信する必要はなく、その代わりに、ＵＥは、第１のリソース・グループとパイロット・ポートとの間のマッピング関係を直接取得することができる。別の方式では、ＵＥが、基地局から送信されるより高位レイヤのシグナリングを受信し、このより高位レイヤのシグナリングが第１のリソース・グループとパイロット・ポートとの間のマッピング関係を含んでおり、ＵＥは、このより高位レイヤのシグナリングから第１のリソース・グループとパイロット・ポートとの間のマッピング関係を取得する。この方式は、基地局が第１のリソース・グループとパイロット・ポートとの間のマッピング関係を柔軟に構成するのに好都合である。
【０１０９】
本実施形態によって提供されるＥ−ＰＤＣＣＨ受信方法は、前述の実施形態によって提供されるＥ−ＰＤＣＣＨ伝送方法に対応し、ＵＥは、Ｅ−ＰＤＣＣＨをうまく受信することができ、それによりＥ−ＰＤＣＣＨ伝送の問題を解決することができる。さらに、本実施形態の方法は、パイロット・ポートの利用を改善することができ、パイロット・ポートによってもたらされる空間ダイバーシチ効果を十分に活用することができる。
【０１１０】
図２Ａは、本発明の実施形態による基地局を示す概略構造図である。図２Ａに示すように、本実施形態の基地局は、第１の決定ユニット２１と、第２の決定ユニット２２と、マッピング及び伝送ユニット２３とを含む。
【０１１１】
第１の決定ユニット２１は、第１のリソース・グループとパイロット・ポートとの間のマッピング関係に従って、且つ特定の関係に従って、第１のタイプの第２のリソース・グループと、第１のリソース・グループと、パイロット・ポートとの間の対応、並びに第２のタイプの第２のリソース・グループと、第１のリソース・グループと、パイロット・ポートとの間の対応を決定するように構成される。
【０１１２】
第１のリソース・グループとパイロット・ポートとの間のマッピング関係は、物理リソース要素セットの少なくとも１つの第１のリソース・グループと少なくとも１つのパイロット・ポートとの間のマッピング関係を含む。第１のリソース・グループは、ｅＲＥＧ又はＲＥＧであり、第１のタイプの第２のリソース・グループは、ｅＣＣＥ又は制御チャネル候補であり、第２のタイプの第２のリソース・グループは、ｅＣＣＥ又は制御チャネル候補である。物理リソース要素セットは、少なくとも１対の物理リソース・ブロック対である。第１のタイプの第２のリソース・グループは、少なくとも２つの第１のリソース・グループに対応し、第２のタイプの第２のリソース・グループは、少なくとも２つの第１のリソース・グループに対応する。異なるタイプの第２のリソース・グループと、第１のリソース・グループと、パイロット・ポートとの間の対応は、前述の特定の関係を満たす。
【０１１３】
第２の決定ユニット２２は、Ｅ−ＰＤＣＣＨを伝送するために使用される少なくとも１つの第１のタイプの第２のリソース・グループ又は第２のタイプの第２のリソース・グループを決定するように構成される。
【０１１４】
マッピング及び伝送ユニット２３は、第１の決定ユニット２１及び第２の決定ユニット２２に接続され、第１の決定ユニット２１によって決定される第１のタイプ又は第２のタイプの第２のリソース・グループと、第１のリソース・グループとパイロット・ポートとの間の対応に従って、第２の決定ユニット２２によって決定されるＥ−ＰＤＣＣＨの伝送に使用される少なくとも１つの第１のタイプの第２のリソース・グループ又は第２のタイプの第２のリソース・グループを、伝送のために少なくとも１つの第１のリソース・グループ及びパイロット・ポートにマッピングするように構成される。
【０１１５】
本実施形態の任意選択の実施方式では、第１のタイプの第２のリソース・グループは、局在モードでＥ−ＰＤＣＣＨを伝送するリソース・グループであり、第２のタイプの第２のリソース・グループは、分散モードでＥ−ＰＤＣＣＨを伝送するリソース・グループである。
【０１１６】
本実施形態の任意選択の実施方式では、第１の決定ユニット２１が、第１のリソース・グループとパイロット・ポートとの間のマッピング関係に従って、且つ特定の関係に従って、第１のタイプの第２のリソース・グループと、第１のリソース・グループとパイロット・ポートとの間の対応を決定することは、第１の決定ユニット２１が、詳細には、第１のリソース・グループとパイロット・ポートとの間のマッピング関係に従って、且つ前述の特定の関係に従って、前述の第１のリソース・グループとパイロット・ポートとの間のマッピング関係において第１のタイプの第２のリソース・グループに対応する少なくとも２つの第１のリソース・グループに対応するポート・セットが少なくとも２つの異なるパイロット・ポートを含むと決定し、それぞれの第１のタイプの第２のリソース・グループが伝送に使用するパイロット・ポートが、その第１のタイプの第２のリソース・グループに対応する少なくとも２つの第１のリソース・グループのうちの最初のリソース・グループ又は最後のリソース・グループに対応するパイロット・ポートであると決定するように構成されることを含む。
【０１１７】
本実施形態の任意選択の実施方式では、第１の決定ユニット２１が、前述の第１のリソース・グループとパイロット・ポートとの間のマッピング関係において第１のタイプの第２のリソース・グループに対応する少なくとも２つの第１のリソース・グループに対応するポート・セットが、少なくとも２つの異なるパイロット・ポートを含むと決定することは、第１の決定ユニット２１が、より詳細には、前述の第１のリソース・グループとパイロット・ポートとの間のマッピング関係において第１のタイプの第２のリソース・グループに対応する少なくとも２つの第１のリソース・グループに対応するポート・セットに含まれる少なくとも２つの異なるパイロット・ポートが、少なくとも１つの第２のタイプの第２のリソース・グループを使用してＥ−ＰＤＣＣＨを伝送する場合に各物理リソース・ブロック対における伝送に使用される少なくとも２つのパイロット・ポートであることを決定するように構成されることを含む。
【０１１８】
本実施形態の任意選択の実施方式では、Ｅ−ＰＤＣＣＨを伝送するために使用される少なくとも１つの第２のタイプの第２のリソース・グループの量が既定のしきい値量より大きい場合には、２つのパイロット・ポートが各物理リソース・ブロック対における伝送に使用される。これらは、それぞれ、第１のパイロット・ポート及び第２のパイロット・ポートであるか、或いは第３のパイロット・ポート及び第４のパイロット・ポートである。
【０１１９】
本実施形態の任意選択の実施方式では、上記の説明に基づいて、すなわち、Ｅ−ＰＤＣＣＨの伝送に使用される少なくとも１つの第２のタイプの第２のリソース・グループの量が既定のしきい値量より大きい場合には、各物理リソース・ブロック対における伝送に２つのパイロット・ポート、すなわち第１のパイロット・ポート及び第２のパイロット・ポート、又は第３のパイロット・ポート及び第４のパイロット・ポートが使用されるという条件下で、第１の決定ユニット２１は、詳細には、第１のタイプの第２のリソース・グループがそれぞれ２つの第１のリソース・グループに対応すると決定し、且つ前述の第１のリソース・グループとパイロット・ポートとの間のマッピング関係において第１のタイプの第２のリソース・グループに対応する２つの第１のリソース・グループに対応するポート・セットが２つの異なるパイロット・ポートを含み、これら２つの異なるパイロット・ポートが、第１のパイロット・ポート及び第２のパイロット・ポート又は第３のパイロット・ポート及び第４のパイロット・ポートであると決定するように構成される。
【０１２０】
上記の説明に基づいて、各物理リソース・ブロック対は、第１のタイプの第２のリソース・グループを４つ含む。この場合には、各物理リソース・ブロック対は、合計８個の第１のリソース・グループを含む。前述の第１のリソース・グループとパイロット・ポートとの間のマッピング関係においてある物理リソース・ブロック対に含まれる２つの第１のタイプの第２のリソース・グループに対応する２つの第１のリソース・グループに対応するポート・セットに含まれる２つの異なるパイロット・ポートは、一様に第１のパイロット・ポート及び第２のパイロット・ポートであり、前述の第１のリソース・グループとパイロット・ポートとの間のマッピング関係においてその物理リソース・ブロック対に含まれるその他の２つの第１のタイプの第２のリソース・グループに対応する２つの第１のリソース・グループに対応するポート・セットに含まれる２つの異なるパイロット・ポートは、一様に第３のパイロット・ポート及び第４のパイロット・ポートである。
【０１２１】
物理リソース・ブロック対に含まれる４つの第１のタイプの第２のリソース・グループのうち、第１のパイロット・ポート及び第２のパイロット・ポートを含むパイロット・セットに対応する２つの第１のリソース・グループに対応する２つの第１のタイプの第２のリソース・グループについては、２つの第１のタイプの第２のリソース・グループの２つの第１のリソース・グループは、これらのパイロット・ポートに従って異なる順序で配列され、第３のパイロット・ポート及び第４のパイロット・ポートを含むパイロット・セットに対応する２つの第１のリソース・グループに対応する２つの第１のタイプの第２のリソース・グループについては、２つの第１のタイプの第２のリソース・グループの２つの第１のリソース・グループは、これらのパイロット・ポートに従って異なる順序で配列される。
【０１２２】
本実施形態の任意選択の実施方式では、上記の説明に基づいて、すなわちＥ−ＰＤＣＣＨの伝送に使用される少なくとも１つの第２のタイプの第２のリソース・グループの量が既定のしきい値量より大きい場合には、各物理リソース・ブロック対における伝送に２つのパイロット・ポート、すなわち第１のパイロット・ポート及び第２のパイロット・ポート、又は第３のパイロット・ポート及び第４のパイロット・ポートが使用されるという条件下で、第１の決定ユニット２１は、詳細には、第１のタイプの第２のリソース・グループがそれぞれ４つの第１のリソース・グループに対応すると決定し、且つ前述の第１のリソース・グループとパイロット・ポートとの間のマッピング関係において第１のタイプの第２のリソース・グループに対応する４つの第１のリソース・グループに対応するポート・セットが４つの異なるパイロット・ポートを含み、これら４つの異なるパイロット・ポートが、第１のパイロット・ポート、第２のパイロット・ポート、第３のパイロット・ポート及び第４のパイロット・ポートであると決定する。
【０１２３】
上記の説明に基づいて、各物理リソース・ブロック対は、第１のタイプの第２のリソース・グループを２つ含む。この場合には、各物理リソース・ブロック対は、合計８個の第１のリソース・グループを含む。前述の第１のリソース・グループとパイロット・ポートとの間のマッピング関係においてある物理リソース・ブロック対に含まれる２つの第１のタイプの第２のリソース・グループに対応する４つの第１のリソース・グループに対応するポート・セットに含まれる４つの異なるパイロット・ポートは、一様に第１のパイロット・ポート、第２のパイロット・ポート、第３のパイロット・ポート及び第４のパイロット・ポートであり、この物理リソース・ブロック対に含まれる２つの第１のタイプの第２のリソース・グループの４つの第１のリソース・グループは、これらのパイロット・ポートに従って異なる順序で配列される。
【０１２４】
物理リソース・ブロック対に含まれる２つの第１のタイプの第２のリソース・グループのパイロット・ポートを配列する方式としては、以下が挙げられるが、これらに限定されるわけではない。すなわち、物理リソース・ブロック対に含まれる１つの第１のタイプの第２のリソース・グループのパイロット・ポートの配列は、第１のパイロット・ポート、第２のパイロット・ポート、第３のパイロット・ポート及び第４のパイロット・ポートであるが、その物理リソース・ブロック対に含まれるもう１つの第１のタイプの第２のリソース・グループのパイロット・ポートの配列は、第２のパイロット・ポート、第１のパイロット・ポート、第３のパイロット・ポート及び第４のパイロット・ポートである、或いは、
物理リソース・ブロック対に含まれる１つの第１のタイプの第２のリソース・グループのパイロット・ポートの配列は、第１のパイロット・ポート、第２のパイロット・ポート、第３のパイロット・ポート及び第４のパイロット・ポートであるが、その物理リソース・ブロック対に含まれるもう１つの第１のタイプの第２のリソース・グループのパイロット・ポートの配列は、第４のパイロット・ポート、第３のパイロット・ポート、第２のパイロット・ポート及び第１のパイロット・ポートである、或いは、
物理リソース・ブロック対に含まれる１つの第１のタイプの第２のリソース・グループのパイロット・ポートの配列は、第１のパイロット・ポート、第３のパイロット・ポート、第２のパイロット・ポート及び第４のパイロット・ポートであるが、その物理リソース・ブロック対に含まれるもう１つの第１のタイプの第２のリソース・グループのパイロット・ポートの配列は、第３のパイロット・ポート、第１のパイロット・ポート、第４のパイロット・ポート及び第２のパイロット・ポートである。
【０１２５】
本実施形態の任意選択の実施方式では、上記の説明に基づいて、すなわちＥ−ＰＤＣＣＨの伝送に使用される少なくとも１つの第２のタイプの第２のリソース・グループの量が既定のしきい値量より大きい場合には、各物理リソース・ブロック対における伝送に２つのパイロット・ポート、すなわち第１のパイロット・ポート及び第２のパイロット・ポート、又は第３のパイロット・ポート及び第４のパイロット・ポートが使用されるという条件下で、第１の決定ユニット２１は、詳細には、第１のタイプの第２のリソース・グループがそれぞれ４つの第１のリソース・グループに対応すると決定し、且つ前述の第１のリソース・グループとパイロット・ポートとの間のマッピング関係において第１のタイプの第２のリソース・グループに対応する４つの第１のリソース・グループに対応するポート・セットが２つの異なるパイロット・ポートを含み、これら２つの異なるパイロット・ポートが、第１のパイロット・ポート及び第２のパイロット・ポート、又は第３のパイロット・ポート及び第４のパイロット・ポートであると決定するように構成される。
【０１２６】
上記の説明に基づいて、各物理リソース・ブロック対は、第１のタイプの第２のリソース・グループを２つ含む。この場合には、各物理リソース・ブロック対は、合計８個の第１のリソース・グループを含む。前述の第１のリソース・グループとパイロット・ポートとの間のマッピング関係においてある物理リソース・ブロック対に含まれる１つの第１のタイプの第２のリソース・グループに対応する４つの第１のリソース・グループに対応するポート・セットに含まれる２つの異なるパイロット・ポートは、第１のパイロット・ポート及び第２のパイロット・ポートであり、前述の第１のリソース・グループとパイロット・ポートとの間のマッピング関係においてその物理リソース・ブロック対に含まれるもう１つの第１のタイプの第２のリソース・グループに対応する４つの第１のリソース・グループに対応するポート・セットに含まれる２つの異なるパイロット・ポートは、第３のパイロット・ポート及び第４のパイロット・ポートである。
【０１２７】
本実施形態の任意選択の実施方式では、第２の決定ユニット２２は、詳細には、Ｅ−ＰＤＣＣＨの伝送に使用される第２のタイプの第２のリソース・グループのそれぞれに対応する少なくとも２つの第１のリソース・グループが、同じパイロット・ポートに対応し、且つ同じ位置指標を有する、異なる物理リソース・ブロック対に位置する第１のリソース・グループであると決定するように構成される。
【０１２８】
本実施形態の任意選択の実施方式では、第２の決定ユニット２２は、詳細には、Ｅ−ＰＤＣＣＨの伝送に使用される第２のタイプの第２のリソース・グループのそれぞれに対応する少なくとも２つの第１のリソース・グループが、同じパイロット・ポートに対応し、且つ異なる位置指標を有する、異なる物理リソース・ブロック対に位置する第１のリソース・グループであると決定するように構成される。
【０１２９】
本実施形態の任意選択の実施方式では、第１のタイプの第２のリソース・グループの実施に基づいて、第２の決定ユニット２２は、詳細には、Ｅ−ＰＤＣＣＨの伝送に使用される第２のタイプの第２のリソース・グループのそれぞれに対応する少なくとも２つの第１のリソース・グループが、異なる物理リソース・ブロック対に位置し、且つ第１のタイプの第２のリソース・グループに対応する少なくとも２つの第１のリソース・グループの位置指標と同じ位置指標を有する第１のリソース・グループであると決定するように構成される。
【０１３０】
本実施形態の任意選択の実施方式では、第１のパイロット・ポートは、ＤＭＲＳポート７であり、第２のパイロット・ポートは、ＤＭＲＳポート９であり、第３のパイロット・ポートは、ＤＭＲＳポート８であり、第４のパイロット・ポートは、ＤＭＲＳポート１０である。或いは、第１のパイロット・ポートは、ＤＭＲＳポート８であり、第２のパイロット・ポートは、ＤＭＲＳポート１０であり、第３のパイロット・ポートは、ＤＭＲＳポート７であり、第４のパイロット・ポートは、ＤＭＲＳポート９である。或いは、第１のパイロット・ポートは、ＤＭＲＳポート７であり、第２のパイロット・ポートは、ＤＭＲＳポート８であり、第３のパイロット・ポートは、ＤＭＲＳポート９であり、第４のパイロット・ポートは、ＤＭＲＳポート１０である。或いは、第１のパイロット・ポートは、ＤＭＲＳポート９であり、第２のパイロット・ポートは、ＤＭＲＳポート１０であり、第３のパイロット・ポートは、ＤＭＲＳポート７であり、第４のパイロット・ポートは、ＤＭＲＳポート８である。
【０１３１】
本実施形態の任意選択の実施方式では、本実施形態の基地局は、第１の取得ユニット２４をさらに含む。第１の取得ユニット２４は、第１の決定ユニット２１が、第１のリソース・グループとパイロット・ポートとの間のマッピング関係を使用する前に、第１のリソース・グループとパイロット・ポートとの間のマッピング関係を事前に決定するように構成される。或いは、第１の取得ユニット２４は、第１の決定ユニット２１が、第１のリソース・グループとパイロット・ポートとの間のマッピング関係を使用する前に、ローカル・セル識別に従って第１のリソース・グループとパイロット・ポートとの間のマッピング関係を生成するように構成される。
【０１３２】
本実施形態の任意選択の実施方式では、本実施形態の基地局は、第１の送信ユニット２５をさらに含む。第１の送信ユニット２５は、より高位レイヤのシグナリングを送信するように構成され、このより高位レイヤのシグナリングが、第１のリソース・グループとパイロット・ポートとの間のマッピング関係を含む。第１の送信ユニット２５は、主に、第１のリソース・グループとパイロット・ポートとの間のマッピング関係をＵＥに提供するように構成される。必要に応じて選択的に、第１の送信ユニット２５は、第１の決定ユニット２１及び第１の取得ユニット２４に接続される。
【０１３３】
本実施形態によって提供されるＥ−ＰＤＣＣＨ伝送基地局の機能ユニットは、前述のＥ−ＰＤＣＣＨ伝送方法の手続きを実行するように構成することができる。その具体的な動作原理については、これ以上説明しない。詳細については、方法の実施形態の説明を参照されたい。
【０１３４】
本実施形態のＥ−ＰＤＣＣＨ伝送基地局は、第１のリソース・グループとパイロット・ポートとの間のマッピング関係に従って、且つ前述の特定の関係に従って、第１のタイプの第２のリソース・グループと、第１のリソース・グループとパイロット・ポートとの間の対応、並びに第２のタイプの第２のリソース・グループと、第１のリソース・グループとパイロット・ポートとの間の対応を決定し、次いで、Ｅ−ＰＤＣＣＨの伝送に使用される少なくとも１つの第１のタイプの第２のリソース・グループ又は少なくとも１つの第２のタイプの第２のリソース・グループを決定し、決定した第１のタイプ又は第２のタイプの第２のリソース・グループと、第１のリソース・グループとパイロット・ポートとの間の対応に従って、Ｅ−ＰＤＣＣＨの伝送に使用される第１のタイプ又は第２のタイプの第２のリソース・グループを、少なくとも１つの第１のリソース・グループ及びパイロット・ポートにマッピングすることにより、Ｅ−ＰＤＣＣＨ伝送の問題を解決する。さらに、本実施形態のＥ−ＰＤＣＣＨ伝送基地局は、パイロット・ポートの利用を改善し、空間ダイバーシチを実施することもできる。
【０１３５】
図２Ｂは、本発明の実施形態によるＵＥを示す概略構造図である。図２Ｂに示すように、本実施形態のＵＥは、第３の決定ユニット２６と、第４の決定ユニット２７と、第１の受信ユニット２８とを含む。
【０１３６】
第３の決定ユニット２６は、第１のリソース・グループとパイロット・ポートの間のマッピング関係に従って、且つ特定の関係に従って、第１のタイプの第２のリソース・グループと、第１のリソース・グループと、パイロット・ポートとの間の対応、並びに第２のタイプの第２のリソース・グループと、第１のリソース・グループと、パイロット・ポートとの間の対応を決定するように構成される。
【０１３７】
第１のリソース・グループとパイロット・ポートとの間のマッピング関係は、物理リソース要素セットの少なくとも１つの第１のリソース・グループと少なくとも１つのパイロット・ポートとの間のマッピング関係を含む。第１のリソース・グループは、ｅＲＥＧ又はＲＥＧであり、第１のタイプの第２のリソース・グループは、ｅＣＣＥ又は制御チャネル候補であり、第２のタイプの第２のリソース・グループは、ｅＣＣＥ又は制御チャネル候補であり、物理リソース要素セットは、少なくとも１対の物理リソース・ブロック対である。第１のタイプの第２のリソース・グループは、少なくとも２つの第１のリソース・グループに対応し、第２のタイプの第２のリソース・グループは、少なくとも２つの第１のリソース・グループに対応する。異なるタイプの第２のリソース・グループと、第１のリソース・グループと、パイロット・ポートとの間の対応は、前述の特定の関係を満たす。
【０１３８】
第４の決定ユニット２７は、Ｅ−ＰＤＣＣＨを伝送するために使用される少なくとも１つの第１のタイプの第２のリソース・グループ又は第２のタイプの第２のリソース・グループを決定するように構成される。
【０１３９】
第１の受信ユニット２８は、第３の決定ユニット２６及び第４の決定ユニット２７に接続され、第３の決定ユニット２６によって決定された第１のタイプ又は第２のタイプの第２のリソース・グループと、第１のリソース・グループとパイロット・ポートとの間の対応に従って、第４の決定ユニット２７によって決定されるＥ−ＰＤＣＣＨを伝送するために使用される少なくとも１つの第１のタイプの第２のリソース・グループ又は第２のタイプの第２のリソース・グループを、少なくとも１つの第１のリソース・グループ及びパイロット・ポートで受信するように構成される。
【０１４０】
本実施形態の任意選択の実施方式では、第１のタイプの第２のリソース・グループは、局在モードでＥ−ＰＤＣＣＨを伝送するリソース・グループであり、第２のタイプの第２のリソース・グループは、分散モードでＥ−ＰＤＣＣＨを伝送するリソース・グループである。
【０１４１】
本実施形態の任意選択の実施方式では、第３の決定ユニット２６が、第１のリソース・グループとパイロット・ポートとの間のマッピング関係に従って、且つ特定の関係に従って、第１のタイプの第２のリソース・グループと、第１のリソース・グループとパイロット・ポートとの間の対応を決定することは、第３の決定ユニット２６が、詳細には、第１のリソース・グループとパイロット・ポートとの間のマッピング関係に従って、且つ前述の特定の関係に従って、前述の第１のリソース・グループとパイロット・ポートとの間のマッピング関係において第１のタイプの第２のリソース・グループに対応する少なくとも２つの第１のリソース・グループに対応するポート・セットが少なくとも２つの異なるパイロット・ポートを含むと決定し、それぞれの第１のタイプの第２のリソース・グループが伝送に使用するパイロット・ポートが、その第１のタイプの第２のリソース・グループに対応する少なくとも２つの第１のリソース・グループのうちの最初のリソース・グループ又は最後のリソース・グループに対応するパイロット・ポートであると決定するように構成されることを含む。
【０１４２】
本実施形態の任意選択の実施方式では、第３の決定ユニット２６が、前述の第１のリソース・グループとパイロット・ポートとの間のマッピング関係において第１のタイプの第２のリソース・グループに対応する少なくとも２つの第１のリソース・グループに対応するポート・セットが、少なくとも２つの異なるパイロット・ポートを含むと決定することは、第３の決定ユニット２６が、さらに詳細には、前述の第１のリソース・グループとパイロット・ポートとの間のマッピング関係において第１のタイプの第２のリソース・グループに対応する少なくとも２つの第１のリソース・グループに対応するポート・セットに含まれる少なくとも２つの異なるパイロット・ポートが、少なくとも１つの第２のタイプの第２のリソース・グループを用いてＥ−ＰＤＣＣＨを伝送する場合に各物理リソース・ブロック対における伝送に使用される少なくとも２つのパイロット・ポートであると決定するように構成されることを含む。
【０１４３】
本実施形態の任意選択の実施方式では、Ｅ−ＰＤＣＣＨを伝送するために使用される少なくとも１つの第２のタイプの第２のリソース・グループの量が既定のしきい値量より大きい場合には、２つのパイロット・ポートが各物理リソース・ブロック対における伝送に使用される。これらは、第１のパイロット・ポート及び第２のパイロット・ポートである、或いは第３のパイロット・ポート及び第４のパイロット・ポートである。
【０１４４】
本実施形態の任意選択の実施方式では、上記の説明に基づいて、すなわち、Ｅ−ＰＤＣＣＨの伝送に使用される少なくとも１つの第２のタイプの第２のリソース・グループの量が既定のしきい値量より大きい場合には、各物理リソース・ブロック対における伝送に２つのパイロット・ポート、すなわち第１のパイロット・ポート及び第２のパイロット・ポート、又は第３のパイロット・ポート及び第４のパイロット・ポートが使用されるという条件下で、第３の決定ユニット２６は、詳細には、第１のタイプの第２のリソース・グループがそれぞれ２つの第１のリソース・グループに対応すると決定し、且つ前述の第１のリソース・グループとパイロット・ポートとの間のマッピング関係において第１のタイプの第２のリソース・グループに対応する２つの第１のリソース・グループに対応するポート・セットが２つの異なるパイロット・ポートを含み、これら２つの異なるパイロット・ポートが、第１のパイロット・ポート及び第２のパイロット・ポート、又は第３のパイロット・ポート及び第４のパイロット・ポートであると決定するように構成される。
【０１４５】
上記の説明に基づいて、各物理リソース・ブロック対は、第１のタイプの第２のリソース・グループを４つ含む。この場合には、各物理リソース・ブロック対は、合計８個の第１のリソース・グループを含む。前述の第１のリソース・グループとパイロット・ポートとの間のマッピング関係においてある物理リソース・ブロック対に含まれる２つの第１のタイプの第２のリソース・グループに対応する２つの第１のリソース・グループに対応するポート・セットに含まれる２つの異なるパイロット・ポートは、一様に第１のパイロット・ポート及び第２のパイロット・ポートであり、前述の第１のリソース・グループとパイロット・ポートとの間のマッピング関係においてその物理リソース・ブロック対に含まれるその他の２つの第１のタイプの第２のリソース・グループに対応する２つの第１のリソース・グループに対応するポート・セットに含まれる２つの異なるパイロット・ポートは、一様に第３のパイロット・ポート及び第４のパイロット・ポートである。
【０１４６】
物理リソース・ブロック対に含まれる４つの第１のタイプの第２のリソース・グループのうち、第１のパイロット・ポート及び第２のパイロット・ポートを含むパイロット・セットに対応する２つの第１のリソース・グループに対応する２つの第１のタイプの第２のリソース・グループについては、２つの第１のタイプの第２のリソース・グループの２つの第１のリソース・グループは、これらのパイロット・ポートに従って異なる順序で配列され、第３のパイロット・ポート及び第４のパイロット・ポートを含むパイロット・セットに対応する２つの第１のリソース・グループに対応する２つの第１のタイプの第２のリソース・グループについては、２つの第１のタイプの第２のリソース・グループの２つの第１のリソース・グループは、これらのパイロット・ポートに従って異なる順序で配列される。
【０１４７】
本実施形態の任意選択の実施方式では、上記の説明に基づいて、すなわちＥ−ＰＤＣＣＨの伝送に使用される少なくとも１つの第２のタイプの第２のリソース・グループの量が既定のしきい値量より大きい場合には、各物理リソース・ブロック対における伝送に２つのパイロット・ポート、すなわち第１のパイロット・ポート及び第２のパイロット・ポート、又は第３のパイロット・ポート及び第４のパイロット・ポートが使用されるという条件下で、第３の決定ユニット２６は、詳細には、第１のタイプの第２のリソース・グループがそれぞれ４つの第１のリソース・グループに対応すると決定し、且つ前述の第１のリソース・グループとパイロット・ポートとの間のマッピング関係において第１のタイプの第２のリソース・グループに対応する４つの第１のリソース・グループに対応するポート・セットが４つの異なるパイロット・ポートを含み、これら４つの異なるパイロット・ポートが、第１のパイロット・ポート、第２のパイロット・ポート、第３のパイロット・ポート及び第４のパイロット・ポートであると決定するように構成される。
【０１４８】
上記の説明に基づいて、各物理リソース・ブロック対は、第１のタイプの第２のリソース・グループを２つ含む。この場合には、各物理リソース・ブロック対は、合計８個の第１のリソース・グループを含む。前述の第１のリソース・グループとパイロット・ポートとの間のマッピング関係においてある物理リソース・ブロック対に含まれる２つの第１のタイプの第２のリソース・グループに対応する４つの第１のリソース・グループに対応するポート・セットに含まれる４つの異なるパイロット・ポートは、一様に第１のパイロット・ポート、第２のパイロット・ポート、第３のパイロット・ポート及び第４のパイロット・ポートであり、この物理リソース・ブロック対に含まれる２つの第１のタイプの第２のリソース・グループの４つの第１のリソース・グループは、これらのパイロット・ポートに従って異なる順序で配列される。
【０１４９】
物理リソース・ブロック対に含まれる２つの第１のタイプの第２のリソース・グループのパイロット・ポートを配列する方式としては、以下が挙げられるが、これらに限定されるわけではない。すなわち、物理リソース・ブロック対に含まれる１つの第１のタイプの第２のリソース・グループのパイロット・ポートの配列は、第１のパイロット・ポート、第２のパイロット・ポート、第３のパイロット・ポート及び第４のパイロット・ポートであるが、その物理リソース・ブロック対に含まれるもう１つの第１のタイプの第２のリソース・グループのパイロット・ポートの配列は、第２のパイロット・ポート、第１のパイロット・ポート、第４のパイロット・ポート及び第３のパイロット・ポートである、或いは、
物理リソース・ブロック対に含まれる１つの第１のタイプの第２のリソース・グループのパイロット・ポートの配列は、第１のパイロット・ポート、第２のパイロット・ポート、第３のパイロット・ポート及び第４のパイロット・ポートであるが、その物理リソース・ブロック対に含まれるもう１つの第１のタイプの第２のリソース・グループのパイロット・ポートの配列は、第４のパイロット・ポート、第３のパイロット・ポート、第２のパイロット・ポート及び第１のパイロット・ポートである、或いは、
物理リソース・ブロック対に含まれる１つの第１のタイプの第２のリソース・グループのパイロット・ポートの配列は、第１のパイロット・ポート、第３のパイロット・ポート、第２のパイロット・ポート及び第４のパイロット・ポートであるが、その物理リソース・ブロック対に含まれるもう１つの第１のタイプの第２のリソース・グループのパイロット・ポートの配列は、第３のパイロット・ポート、第１のパイロット・ポート、第４のパイロット・ポート及び第２のパイロット・ポートである。
【０１５０】
本実施形態の任意選択の実施方式では、上記の説明に基づいて、すなわちＥ−ＰＤＣＣＨの伝送に使用される少なくとも１つの第２のタイプの第２のリソース・グループの量が既定のしきい値量より大きい場合には、各物理リソース・ブロック対における伝送に２つのパイロット・ポート、すなわち第１のパイロット・ポート及び第２のパイロット・ポート、又は第３のパイロット・ポート及び第４のパイロット・ポートが使用されるという条件下で、第３の決定ユニット２６は、詳細には、第１のタイプの第２のリソース・グループがそれぞれ４つの第１のリソース・グループに対応すると決定し、且つ前述の第１のリソース・グループとパイロット・ポートとの間のマッピング関係において第１のタイプの第２のリソース・グループに対応する４つの第１のリソース・グループに対応するポート・セットが２つの異なるパイロット・ポートを含み、これら２つの異なるパイロット・ポートが、第１のパイロット・ポート及び第２のパイロット・ポート、又は第３のパイロット・ポート及び第４のパイロット・ポートであると決定するように構成される。
【０１５１】
上記の説明に基づいて、各物理リソース・ブロック対は、第１のタイプの第２のリソース・グループを２つ含む。この場合には、各物理リソース・ブロック対は、合計８個の第１のリソース・グループを含む。前述の第１のリソース・グループとパイロット・ポートとの間のマッピング関係においてある物理リソース・ブロック対に含まれる１つの第１のタイプの第２のリソース・グループに対応する４つの第１のリソース・グループに対応するポート・セットに含まれる２つの異なるパイロット・ポートは、第１のパイロット・ポート及び第２のパイロット・ポートであり、前述の第１のリソース・グループとパイロット・ポートとの間のマッピング関係においてその物理リソース・ブロック対に含まれるもう１つの第１のタイプの第２のリソース・グループに対応する４つの第１のリソース・グループに対応するポート・セットに含まれる２つの異なるパイロット・ポートは、第３のパイロット・ポート及び第４のパイロット・ポートである。
【０１５２】
本実施形態の任意選択の実施方式では、第４の決定ユニット２７は、詳細には、Ｅ−ＰＤＣＣＨの伝送に使用される第２のタイプの第２のリソース・グループのそれぞれに対応する少なくとも２つの第１のリソース・グループが、同じパイロット・ポートに対応し、且つ同じ位置指標を有する、異なる物理リソース・ブロック対に置かれる第１のリソース・グループであると決定するように構成される。
【０１５３】
本実施形態の任意選択の実施方式では、第４の決定ユニット２７は、詳細には、Ｅ−ＰＤＣＣＨの伝送に使用される第２のタイプの第２のリソース・グループのそれぞれに対応する少なくとも２つの第１のリソース・グループが同じパイロット・ポートに対応し、且つ異なる位置指標を有する、異なる物理リソース・ブロック対に置かれる第１のリソース・グループであると決定するように構成される。
【０１５４】
本実施形態の任意選択の実施方式では、第１のタイプの第２のリソース・グループの実施に基づいて、第４の決定ユニット２７は、詳細には、Ｅ−ＰＤＣＣＨの伝送に使用される第２のタイプの第２のリソース・グループのそれぞれに対応する少なくとも２つの第１のリソース・グループが、異なる物理リソース・ブロック対に位置し、且つ第１のタイプの第２のリソース・グループに対応する少なくとも２つの第１のリソース・グループの位置指標と同じ位置指標を有する第１のリソース・グループであると決定するように構成される。
【０１５５】
本実施形態の任意選択の実施方式では、第１のパイロット・ポートは、ＤＭＲＳポート７であり、第２のパイロット・ポートは、ＤＭＲＳポート９であり、第３のパイロット・ポートは、ＤＭＲＳポート８であり、第４のパイロット・ポートは、ＤＭＲＳポート１０である。或いは、第１のパイロット・ポートは、ＤＭＲＳポート８であり、第２のパイロット・ポートは、ＤＭＲＳポート１０であり、第３のパイロット・ポートは、ＤＭＲＳポート７であり、第４のパイロット・ポートは、ＤＭＲＳポート９である。或いは、第１のパイロット・ポートは、ＤＭＲＳポート７であり、第２のパイロット・ポートは、ＤＭＲＳポート８であり、第３のパイロット・ポートは、ＤＭＲＳポート９であり、第４のパイロット・ポートは、ＤＭＲＳポート１０である。或いは、第１のパイロット・ポートは、ＤＭＲＳポート９であり、第２のパイロット・ポートは、ＤＭＲＳポート１０であり、第３のパイロット・ポートは、ＤＭＲＳポート７であり、第４のパイロット・ポートは、ＤＭＲＳポート８である。
【０１５６】
本実施形態の任意選択の実施方式では、本実施形態のＵＥは、第２の取得ユニット２９をさらに含む。第２の取得ユニット２９は、第３の決定ユニット２６が、第１のリソース・グループとパイロット・ポートとの間のマッピング関係を使用する前に、第１のリソース・グループとパイロット・ポートとの間のマッピング関係を事前に決定するように構成される。或いは、第２の取得ユニット２９は、第３の決定ユニット２６が、第１のリソース・グループとパイロット・ポートとの間のマッピング関係を使用する前に、ローカル・セル識別に従って第１のリソース・グループとパイロット・ポートとの間のマッピング関係を生成するように構成される。
【０１５７】
本実施形態の任意選択の実施方式では、第１の受信ユニット２８は、より高位レイヤのシグナリングを受信するようにさらに構成され、このより高位レイヤのシグナリングが第１のリソース・グループとパイロット・ポートとの間のマッピング関係を含む。第１の受信ユニット２８は、詳細には、基地局から送信されるより高位レイヤのシグナリングを受信するように構成される。
【０１５８】
本実施形態によって提供されるＵＥの機能ユニットは、図１Ｂに示すＥ−ＰＤＣＣＨ受信方法の対応する手続きを実行するように構成することができる。その具体的な動作原理については、これ以上説明しない。詳細については、方法の実施形態の説明を参照されたい。
【０１５９】
本実施形態によって提供されるＵＥは、前述の実施形態によって提供されるＥ−ＰＤＣＣＨ伝送基地局と協働してＥ−ＰＤＣＣＨ伝送を完成し、さらに、参照信号リソースの利用を改善し、パイロット・ポートによって提供される空間ダイバーシチを十分に活用する。
【０１６０】
図３Ａは、本発明の別の実施形態による基地局を示す概略構造図である。図３Ａに示すように、本実施形態の基地局は、プロセッサ３１と、送信機３２とを含む。
【０１６１】
プロセッサ３１は、第１のリソース・グループとパイロット・ポートとの間のマッピング関係に従って、且つ特定の関係に従って、第１のタイプの第２のリソース・グループと、第１のリソース・グループと、パイロット・ポートとの間の対応、並びに第２のタイプの第２のリソース・グループと、第１のリソース・グループと、パイロット・ポートとの間の対応を決定し、Ｅ−ＰＤＣＣＨの伝送に使用される少なくとも１つの第１のタイプの第２のリソース・グループ又は第２のタイプの第２のリソース・グループを決定するように構成される。
【０１６２】
第１のリソース・グループとパイロット・ポートとの間のマッピング関係は、物理リソース要素セットの少なくとも１つの第１のリソース・グループと少なくとも１つのパイロット・ポートとの間のマッピング関係を含む。第１のリソース・グループは、ｅＲＥＧ又はＲＥＧであり、第１のタイプの第２のリソース・グループは、ｅＣＣＥ又は制御チャネル候補であり、第２のタイプの第２のリソース・グループは、ｅＣＣＥ又は制御チャネル候補である。物理リソース要素セットは、少なくとも１対の物理リソース・ブロック対である。第１のタイプの第２のリソース・グループは、少なくとも２つの第１のリソース・グループに対応し、第２のタイプの第２のリソース・グループは、少なくとも２つの第１のリソース・グループに対応する。異なるタイプの第２のリソース・グループと、第１のリソース・グループと、パイロット・ポートとの間の対応は、前述の特定の関係を満たす。
【０１６３】
送信機３２は、プロセッサ３１によって決定される第１のタイプ又は第２のタイプの第２のリソース・グループと、第１のリソース・グループとパイロット・ポートとの間の対応に従って、プロセッサ３１によって決定されるＥ−ＰＤＣＣＨの伝送に使用される少なくとも１つの第１のタイプの第２のリソース・グループ又は第２のタイプの第２のリソース・グループを、伝送のために少なくとも１つの第１のリソース・グループ及びパイロット・ポートにマッピングするように構成される。
【０１６４】
本実施形態の任意選択の実施方式では、第１のタイプの第２のリソース・グループは、局在モードでＥ−ＰＤＣＣＨを伝送するリソース・グループであり、第２のタイプの第２のリソース・グループは、分散モードでＥ−ＰＤＣＣＨを伝送するリソース・グループである。
【０１６５】
本実施形態の任意選択の実施方式では、プロセッサ３１が、第１のリソース・グループとパイロット・ポートとの間のマッピング関係に従って、且つ特定の関係に従って、第１のタイプの第２のリソース・グループと、第１のリソース・グループとパイロット・ポートとの間の対応を決定することは、プロセッサ３１が、詳細には、第１のリソース・グループとパイロット・ポートとの間のマッピング関係に従って、且つ前述の特定の関係に従って、前述の第１のリソース・グループとパイロット・ポートとの間のマッピング関係において第１のタイプの第２のリソース・グループに対応する少なくとも２つの第１のリソース・グループに対応するポート・セットが少なくとも２つの異なるパイロット・ポートを含むと決定し、それぞれの第１のタイプの第２のリソース・グループが伝送に使用するパイロット・ポートが、その第１のタイプの第２のリソース・グループに対応する少なくとも２つの第１のリソース・グループのうちの最初のリソース・グループ又は最後のリソース・グループに対応するパイロット・ポートであると決定するように構成されることを含む。
【０１６６】
本実施形態の任意選択の実施方式では、プロセッサ３１が、前述の第１のリソース・グループとパイロット・ポートとの間のマッピング関係において第１のタイプの第２のリソース・グループに対応する少なくとも２つの第１のリソース・グループに対応するポート・セットが、少なくとも２つの異なるパイロット・ポートを含むと決定することは、プロセッサ３１が、より詳細には、前述の第１のリソース・グループとパイロット・ポートとの間のマッピング関係において第１のタイプの第２のリソース・グループに対応する少なくとも２つの第１のリソース・グループに対応するポート・セットに含まれる少なくとも２つの異なるパイロット・ポートが、少なくとも１つの第２のタイプの第２のリソース・グループを使用してＥ−ＰＤＣＣＨを伝送する場合に各物理リソース・ブロック対における伝送に使用される少なくとも２つのパイロット・ポートであることを決定するように構成されることを含む。
【０１６７】
本実施形態の任意選択の実施方式では、Ｅ−ＰＤＣＣＨを伝送するために使用される少なくとも１つの第２のタイプの第２のリソース・グループの量が既定のしきい値量より大きい場合には、２つのパイロット・ポートが各物理リソース・ブロック対における伝送に使用される。これらは、第１のパイロット・ポート及び第２のパイロット・ポートであるか、或いは第３のパイロット・ポート及び第４のパイロット・ポートである。
【０１６８】
本実施形態の任意選択の実施方式では、上記の説明に基づいて、すなわち、Ｅ−ＰＤＣＣＨの伝送に使用される少なくとも１つの第２のタイプの第２のリソース・グループの量が既定のしきい値量より大きい場合には、各物理リソース・ブロック対における伝送に２つのパイロット・ポート、すなわち第１のパイロット・ポート及び第２のパイロット・ポート、又は第３のパイロット・ポート及び第４のパイロット・ポートが使用されるという条件下で、プロセッサ３１は、詳細には、第１のタイプの第２のリソース・グループがそれぞれ２つの第１のリソース・グループに対応すると決定し、且つ前述の第１のリソース・グループとパイロット・ポートとの間のマッピング関係において第１のタイプの第２のリソース・グループに対応する２つの第１のリソース・グループに対応するポート・セットが２つの異なるパイロット・ポートを含み、これら２つの異なるパイロット・ポートが、第１のパイロット・ポート及び第２のパイロット・ポート又は第３のパイロット・ポート及び第４のパイロット・ポートであると決定するように構成される。
【０１６９】
上記の説明に基づいて、各物理リソース・ブロック対は、第１のタイプの第２のリソース・グループを４つ含む。この場合には、各物理リソース・ブロック対は、合計８個の第１のリソース・グループを含む。前述の第１のリソース・グループとパイロット・ポートとの間のマッピング関係においてある物理リソース・ブロック対に含まれる２つの第１のタイプの第２のリソース・グループに対応する２つの第１のリソース・グループに対応するポート・セットに含まれる２つの異なるパイロット・ポートは、一様に第１のパイロット・ポート及び第２のパイロット・ポートであり、前述の第１のリソース・グループとパイロット・ポートとの間のマッピング関係においてその物理リソース・ブロック対に含まれるその他の２つの第１のタイプの第２のリソース・グループに対応する２つの第１のリソース・グループに対応するポート・セットに含まれる２つの異なるパイロット・ポートは、一様に第３のパイロット・ポート及び第４のパイロット・ポートである。
【０１７０】
物理リソース・ブロック対に含まれる４つの第１のタイプの第２のリソース・グループのうち、第１のパイロット・ポート及び第２のパイロット・ポートを含むパイロット・セットに対応する２つの第１のリソース・グループに対応する２つの第１のタイプの第２のリソース・グループについては、２つの第１のタイプの第２のリソース・グループの２つの第１のリソース・グループは、これらのパイロット・ポートに従って異なる順序で配列され、第３のパイロット・ポート及び第４のパイロット・ポートを含むパイロット・セットに対応する２つの第１のリソース・グループに対応する２つの第１のタイプの第２のリソース・グループについては、２つの第１のタイプの第２のリソース・グループの２つの第１のリソース・グループは、これらのパイロット・ポートに従って異なる順序で配列される。
【０１７１】
本実施形態の任意選択の実施方式では、上記の説明に基づいて、すなわちＥ−ＰＤＣＣＨの伝送に使用される少なくとも１つの第２のタイプの第２のリソース・グループの量が既定のしきい値量より大きい場合には、各物理リソース・ブロック対における伝送に２つのパイロット・ポート、すなわち第１のパイロット・ポート及び第２のパイロット・ポート、又は第３のパイロット・ポート及び第４のパイロット・ポートが使用されるという条件下で、プロセッサ３１は、詳細には、第１のタイプの第２のリソース・グループがそれぞれ４つの第１のリソース・グループに対応すると決定し、且つ前述の第１のリソース・グループとパイロット・ポートとの間のマッピング関係において第１のタイプの第２のリソース・グループに対応する４つの第１のリソース・グループに対応するポート・セットが４つの異なるパイロット・ポートを含み、これら４つの異なるパイロット・ポートが、第１のパイロット・ポート、第２のパイロット・ポート、第３のパイロット・ポート及び第４のパイロット・ポートであると決定する。
【０１７２】
上記の説明に基づいて、各物理リソース・ブロック対は、第１のタイプの第２のリソース・グループを２つ含む。この場合には、各物理リソース・ブロック対は、合計８個の第１のリソース・グループを含む。前述の第１のリソース・グループとパイロット・ポートとの間のマッピング関係においてある物理リソース・ブロック対に含まれる２つの第１のタイプの第２のリソース・グループに対応する４つの第１のリソース・グループに対応するポート・セットに含まれる４つの異なるパイロット・ポートは、一様に第１のパイロット・ポート、第２のパイロット・ポート、第３のパイロット・ポート及び第４のパイロット・ポートであり、この物理リソース・ブロック対に含まれる２つの第１のタイプの第２のリソース・グループの４つの第１のリソース・グループは、これらのパイロット・ポートに従って異なる順序で配列される。
【０１７３】
物理リソース・ブロック対に含まれる２つの第１のタイプの第２のリソース・グループのパイロット・ポートを配列する方式としては、以下が挙げられるが、これらに限定されるわけではない。すなわち、物理リソース・ブロック対に含まれる１つの第１のタイプの第２のリソース・グループのパイロット・ポートの配列は、第１のパイロット・ポート、第２のパイロット・ポート、第３のパイロット・ポート及び第４のパイロット・ポートであるが、その物理リソース・ブロック対に含まれるもう１つの第１のタイプの第２のリソース・グループのパイロット・ポートの配列は、第２のパイロット・ポート、第１のパイロット・ポート、第３のパイロット・ポート及び第４のパイロット・ポートである、或いは、
物理リソース・ブロック対に含まれる１つの第１のタイプの第２のリソース・グループのパイロット・ポートの配列は、第１のパイロット・ポート、第２のパイロット・ポート、第３のパイロット・ポート及び第４のパイロット・ポートであるが、その物理リソース・ブロック対に含まれるもう１つの第１のタイプの第２のリソース・グループのパイロット・ポートの配列は、第４のパイロット・ポート、第３のパイロット・ポート、第２のパイロット・ポート及び第１のパイロット・ポートである、或いは、
物理リソース・ブロック対に含まれる１つの第１のタイプの第２のリソース・グループのパイロット・ポートの配列は、第１のパイロット・ポート、第３のパイロット・ポート、第２のパイロット・ポート及び第４のパイロット・ポートであるが、その物理リソース・ブロック対に含まれるもう１つの第１のタイプの第２のリソース・グループのパイロット・ポートの配列は、第３のパイロット・ポート、第１のパイロット・ポート、第４のパイロット・ポート及び第２のパイロット・ポートである。
【０１７４】
本実施形態の任意選択の実施方式では、上記の説明に基づいて、すなわちＥ−ＰＤＣＣＨの伝送に使用される少なくとも１つの第２のタイプの第２のリソース・グループの量が既定のしきい値量より大きい場合には、各物理リソース・ブロック対における伝送に２つのパイロット・ポート、すなわち第１のパイロット・ポート及び第２のパイロット・ポート、又は第３のパイロット・ポート及び第４のパイロット・ポートが使用されるという条件下で、プロセッサ３１は、詳細には、第１のタイプの第２のリソース・グループがそれぞれ４つの第１のリソース・グループに対応すると決定し、且つ前述の第１のリソース・グループとパイロット・ポートとの間のマッピング関係において第１のタイプの第２のリソース・グループに対応する４つの第１のリソース・グループに対応するポート・セットが２つの異なるパイロット・ポートを含み、これら２つの異なるパイロット・ポートが、第１のパイロット・ポート及び第２のパイロット・ポート、又は第３のパイロット・ポート及び第４のパイロット・ポートであると決定するように構成される。
【０１７５】
上記の説明に基づいて、各物理リソース・ブロック対は、第１のタイプの第２のリソース・グループを２つ含む。この場合には、各物理リソース・ブロック対は、合計８個の第１のリソース・グループを含む。前述の第１のリソース・グループとパイロット・ポートとの間のマッピング関係においてある物理リソース・ブロック対に含まれる１つの第１のタイプの第２のリソース・グループに対応する４つの第１のリソース・グループに対応するポート・セットに含まれる２つの異なるパイロット・ポートは、第１のパイロット・ポート及び第２のパイロット・ポートであり、前述の第１のリソース・グループとパイロット・ポートとの間のマッピング関係においてその物理リソース・ブロック対に含まれるもう１つの第１のタイプの第２のリソース・グループに対応する４つの第１のリソース・グループに対応するポート・セットに含まれる２つの異なるパイロット・ポートは、第３のパイロット・ポート及び第４のパイロット・ポートである。
【０１７６】
本実施形態の任意選択の実施方式では、プロセッサ３１は、詳細には、Ｅ−ＰＤＣＣＨの伝送に使用される第２のタイプの第２のリソース・グループのそれぞれに対応する少なくとも２つの第１のリソース・グループが、同じパイロット・ポートに対応し、且つ同じ位置指標を有する、異なる物理リソース・ブロック対に置かれる第１のリソース・グループであると決定するように構成される。
【０１７７】
本実施形態の任意選択の実施方式では、プロセッサ３１は、詳細には、Ｅ−ＰＤＣＣＨの伝送に使用される第２のタイプの第２のリソース・グループのそれぞれに対応する少なくとも２つの第１のリソース・グループが、同じパイロット・ポートに対応し、且つ異なる位置指標を有する、異なる物理リソース・ブロック対に置かれる第１のリソース・グループであると決定するように構成される。
【０１７８】
本実施形態の任意選択の実施方式では、第１のタイプの第２のリソース・グループの実施に基づいて、プロセッサ３１は、詳細には、Ｅ−ＰＤＣＣＨの伝送に使用される第２のタイプの第２のリソース・グループのそれぞれに対応する少なくとも２つの第１のリソース・グループが、異なる物理リソース・ブロック対に位置し、且つ第１のタイプの第２のリソース・グループに対応する少なくとも２つの第１のリソース・グループの位置指標と同じ位置指標を有する第１のリソース・グループであると決定するように構成される。
【０１７９】
本実施形態の任意選択の実施方式では、第１のパイロット・ポートは、ＤＭＲＳポート７であり、第２のパイロット・ポートは、ＤＭＲＳポート９であり、第３のパイロット・ポートは、ＤＭＲＳポート８であり、第４のパイロット・ポートは、ＤＭＲＳポート１０である。或いは、第１のパイロット・ポートは、ＤＭＲＳポート８であり、第２のパイロット・ポートは、ＤＭＲＳポート１０であり、第３のパイロット・ポートは、ＤＭＲＳポート７であり、第４のパイロット・ポートは、ＤＭＲＳポート９である。或いは、第１のパイロット・ポートは、ＤＭＲＳポート７であり、第２のパイロット・ポートは、ＤＭＲＳポート８であり、第３のパイロット・ポートは、ＤＭＲＳポート９であり、第４のパイロット・ポートは、ＤＭＲＳポート１０である。或いは、第１のパイロット・ポートは、ＤＭＲＳポート９であり、第２のパイロット・ポートは、ＤＭＲＳポート１０であり、第３のパイロット・ポートは、ＤＭＲＳポート７であり、第４のパイロット・ポートは、ＤＭＲＳポート８である。
【０１８０】
本実施形態の任意選択の実施方式では、送信機３２は、より高位レイヤのシグナリングを送信するようにさらに構成され、このより高位レイヤのシグナリングが、第１のリソース・グループとパイロット・ポートとの間のマッピング関係を含む。詳細には、送信機３２は、より高位レイヤのシグナリングをＵＥに伝送して、第１のリソース・グループとパイロット・ポートとの間のマッピング関係をＵＥに提供するように構成される。
【０１８１】
本実施形態の任意選択の実施方式では、プロセッサ３１は、プロセッサ３１が、第１のリソース・グループとパイロット・ポートとの間のマッピング関係を使用する前に、第１のリソース・グループとパイロット・ポートとの間のマッピング関係を事前に決定するようにさらに構成される。或いは、プロセッサ３１は、プロセッサ３１が、第１のリソース・グループとパイロット・ポートとの間のマッピング関係を使用する前に、ローカル・セル識別に従って第１のリソース・グループとパイロット・ポートとの間のマッピング関係を生成するようにさらに構成される。
【０１８２】
本実施形態によって提供される基地局は、前述のＥ−ＰＤＣＣＨ伝送方法の手続きを実行するように構成することができる。その具体的な動作原理については、これ以上説明しない。詳細については、方法の実施形態の説明を参照されたい。
【０１８３】
本実施形態の基地局は、第１のリソース・グループとパイロット・ポートとの間のマッピング関係に従って、且つ前述の特定の関係に従って、第１のタイプの第２のリソース・グループと、第１のリソース・グループとパイロット・ポートとの間の対応、並びに第２のタイプの第２のリソース・グループと、第１のリソース・グループとパイロット・ポートとの間の対応を決定し、次いで、Ｅ−ＰＤＣＣＨの伝送に使用される少なくとも１つの第１のタイプの第２のリソース・グループ又は少なくとも１つの第２のタイプの第２のリソース・グループを決定し、決定した第１のタイプ又は第２のタイプの第２のリソース・グループと、第１のリソース・グループとパイロット・ポートとの間の対応に従って、Ｅ−ＰＤＣＣＨの伝送に使用される第１のタイプ又は第２のタイプの第２のリソース・グループを、伝送のために少なくとも１つの第１のリソース・グループ及びパイロット・ポートにマッピングすることにより、Ｅ−ＰＤＣＣＨ伝送の問題を解決する。さらに、本実施形態のＥ−ＰＤＣＣＨ伝送基地局は、パイロット・ポートの利用を改善し、空間ダイバーシチを実施することもできる。
【０１８４】
図３Ｂは、本発明の別の実施形態によるＵＥを示す概略構造図である。図３Ｂに示すように、本実施形態のＵＥは、プロセッサ３５と、受信機３６とを含む。
【０１８５】
プロセッサ３５は、第１のリソース・グループとパイロット・ポートの間のマッピング関係に従って、且つ特定の関係に従って、第１のタイプの第２のリソース・グループと、第１のリソース・グループと、パイロット・ポートとの間の対応、並びに第２のタイプの第２のリソース・グループと、第１のリソース・グループと、パイロット・ポートとの間の対応を決定し、Ｅ−ＰＤＣＣＨの伝送に使用される少なくとも１つの第１のタイプの第２のリソース・グループ又は第２のタイプの第２のリソース・グループを決定するように構成される。
【０１８６】
第１のリソース・グループとパイロット・ポートとの間のマッピング関係は、物理リソース要素セットの少なくとも１つの第１のリソース・グループと少なくとも１つのパイロット・ポートとの間のマッピング関係を含む。第１のリソース・グループは、ｅＲＥＧ又はＲＥＧであり、第１のタイプの第２のリソース・グループは、ｅＣＣＥ又は制御チャネル候補であり、第２のタイプの第２のリソース・グループは、ｅＣＣＥ又は制御チャネル候補であり、物理リソース要素セットは、少なくとも１対の物理リソース・ブロック対である。第１のタイプの第２のリソース・グループは、少なくとも２つの第１のリソース・グループに対応し、第２のタイプの第２のリソース・グループは、少なくとも２つの第１のリソース・グループに対応する。異なるタイプの第２のリソース・グループと、第１のリソース・グループと、パイロット・ポートとの間の対応は、前述の特定の関係を満たす。
【０１８７】
受信機３６は、プロセッサ３５によって決定された第１のタイプ又は第２のタイプの第２のリソース・グループと、第１のリソース・グループとパイロット・ポートとの間の対応に従って、プロセッサ３５によって決定されるＥ−ＰＤＣＣＨを伝送するために使用される少なくとも１つの第１のタイプの第２のリソース・グループ又は第２のタイプの第２のリソース・グループを、少なくとも１つの第１のリソース・グループ及びパイロット・ポートで受信するように構成される。
【０１８８】
本実施形態によって提供されるＵＥは、前述の実施形態によって提供されるＥ−ＰＤＣＣＨ受信方法の手続きを実行するように構成することができる。その具体的な動作原理及びその他の機能については、前述の方法の実施形態の説明を参照されたい。本明細書では、これ以上の説明はしない。
【０１８９】
本実施形態によって提供されるＵＥは、前述の実施形態によって提供される基地局と協働してＥ−ＰＤＣＣＨ伝送を完成し、さらに、パイロット・ポートの利用を改善し、空間ダイバーシチを実施することもできる。
【０１９０】
図４Ａは、本発明の実施形態によるＥ−ＰＤＣＣＨ伝送方法を示す流れ図である。本実施形態は、基地局によって実行することができるが、ＵＥによって実行することもできる。すなわち、ＵＥは、基地局と協働して、同じ方式を用いて第１のタイプの第２のリソース・グループ及び第２のタイプの第２のリソース・グループに番号を付けて、Ｅ−ＰＤＣＣＨの伝送を容易にし、ブラインド検出効率を改善する。図４Ａに示すように、本実施形態の伝送方法は、以下のステップを含む。
【０１９１】
ステップ４０１。物理リソース・ブロック・セットにおいて、各ＰＲＢ対の第１のリソース・グループを別個に配列する。これらの第１のリソース・グループは、ｅＲＥＧ又はＲＥＧであり、物理リソース・ブロック・セットは、物理リソース・ブロック対の少なくとも１つを含む。
【０１９２】
本実施形態では、物理リソース・ブロック・セットは、少なくとも１対の物理リソース・ブロック対を含む。物理リソース・ブロック・セットの第１のリソース・グループは、物理リソース・ブロック・セットの各物理リソース・ブロック対の第１のリソース・グループを含む。物理リソース・ブロック・セットの第１のリソース・グループは、これらの物理リソース・ブロック対の順序に従って順番に配列され、配列された第１のリソース・グループそれぞれの番号を取得する。
【表７】
2019068444.tif 000009
【０１９３】
表７に示すように、物理リソース・ブロック・セットが４対の物理リソース・ブロック対を含み、１つのＰＲＢ対がＬ個、例えばＬ＝１６個のｅＲＥＧを含むと仮定すると、ａｉ（ｉ＝１から１６）について、ａ１からａ１６は、ｅＲＥＧの指標に対応し、ａ１からａ１６の値は、０から１５の範囲で互いに異なる数字となる。同じ制御チャネル・リソース・ブロック・セットの各ＰＲＢ対において、Ｌ個のｅＲＥＧは、同じＫ個のｅＲＥＧグループにグループ化される。Ｋ＝４である場合には、１６個のｅＲＥＧは、４つのｅＲＥＧグループにグループ化される。
【０１９４】
局在モードでＥ−ＰＤＣＣＨを伝送する複数のｅＣＣＥにおいて、各ｅＣＣＥは、１つのＲＥＧグループに対応する。表７の点線枠は、局在モードでＥ−ＰＤＣＣＨを伝送するｅＣＣＥを示す。表７に示すように、ＰＲＢ対において、４つのｅＣＣＥは、４つのＲＥＧグループに対応している。第１のｅＲＥＧグループ（ｅＲＥＧグループ１）は、（ｅＲＥＧ（ａ１）、ｅＲＥＧ（ａ２）、ｅＲＥＧ（ａ３）、及びｅＲＥＧ（ａ４））を含み、第２のｅＲＥＧグループ（ｅＲＥＧグループ２）は、（ｅＲＥＧ（ａ５）、ｅＲＥＧ（ａ６）、ｅＲＥＧ（ａ７）、及びｅＲＥＧ（ａ８））を含み、第３のｅＲＥＧグループ（ｅＲＥＧグループ３）は、（ｅＲＥＧ（ａ９）、ｅＲＥＧ（ａ１０）、ｅＲＥＧ（ａ１１）、及びｅＲＥＧ（ａ１２））を含み、第４のｅＲＥＧグループ（ｅＲＥＧグループ４）は、（ｅＲＥＧ（ａ１３）、ｅＲＥＧ（ａ１４）、ｅＲＥＧ（ａ１５）、及びｅＲＥＧ（ａ１６））を含む。
【０１９５】
前述のｅＲＥＧグループのグループ分け方式は、同じ制御チャネル・リソース・ブロック・セットの各ＰＲＢ対で使用される。異なるＰＲＢ対では、同じｅＲＥＧを含む各ｅＲＥＧグループにおいて、ｅＲＥＧは異なる順序で配列される。例えば、同じ要素（ｅＲＥＧ（ａ１）、ｅＲＥＧ（ａ２）、ｅＲＥＧ（ａ３）、及びｅＲＥＧ（ａ４））を含む同じｅＲＥＧグループ１では、ＰＲＢ対１における配列順序は、（ｅＲＥＧ（ａ１）、ｅＲＥＧ（ａ２）、ｅＲＥＧ（ａ３）、ｅＲＥＧ（ａ４））であり、ＰＲＢ対２における配列順序は、（ｅＲＥＧ（ａ２）、ｅＲＥＧ（ａ３）、ｅＲＥＧ（ａ４）、ｅＲＥＧ（ａ１））であり、ＰＲＢ対３における配列順序は、（ｅＲＥＧ（ａ３）、ｅＲＥＧ（ａ４）、ｅＲＥＧ（ａ１）、ｅＲＥＧ（ａ２））であり、ＰＲＢ対４における配列順序は、（ｅＲＥＧ（ａ４）、ｅＲＥＧ（ａ１）、ｅＲＥＧ（ａ２）、ｅＲＥＧ（ａ３））である。配列順序は、異なるＰＲＢ対の巡回シフトであってもよい。他のｅＲＥＧグループについても同様の配列方式を使用することができるが、これについては本明細書ではこれ以上説明しない。
【０１９６】
前述の方式を使用することにより、局在モードでＥ−ＰＤＣＣＨを伝送するｅＣＣＥが得られる。
【０１９７】
分散モードでＥ−ＰＤＣＣＨを伝送する各ｅＣＣＥは、表７の各行に対応することができる。すなわち、各ＰＲＢ対の同じｅＲＥＧ要素を含むｅＲＥＧグループから、異なるｅＲＥＧ要素を選択して、分散モードでＥ−ＰＤＣＣＨを伝送するｅＣＣＥを構成する。表７の実線枠は、分散モードでＥ−ＰＤＣＣＨを伝送するｅＣＣＥを示す。例えば、各ＰＲＢ対の同じｅＲＥＧ要素（ｅＲＥＧ（ａ１）、ｅＲＥＧ（ａ２）、ｅＲＥＧ（ａ３）、及びｅＲＥＧ（ａ４））を含むｅＲＥＧグループは、ｅＲＥＧグループ１と呼ばれ、異なるＰＲＢ対のｅＲＥＧグループ１から、異なる要素を別個に選択して、分散モードでｅＰＤＣＣＨを伝送するｅＣＣＥを構成する。例えば、ＰＲＢ対１のｅＲＥＧグループ１から選択されたｅＲＥＧ（ａ１）、ＰＲＢ対２のｅＲＥＧグループ１から選択されたｅＲＥＧ（ａ２）、ＰＲＢ対３のｅＲＥＧグループ１から選択されたｅＲＥＧ（ａ３）、及びＰＲＢ対４のｅＲＥＧグループ１から選択されたｅＲＥＧ（ａ４）、すなわち表７の第１行の全てのｅＲＥＧのセットが、分散モードでＥ−ＰＤＣＣＨを伝送するｅＣＣＥを構成し、ＰＲＢ対１のｅＲＥＧグループ１から選択されたｅＲＥＧ（ａ２）、ＰＲＢ対２のｅＲＥＧグループ１から選択されたｅＲＥＧ（ａ３）、ＰＲＢ対３のｅＲＥＧグループ１から選択されたｅＲＥＧ（ａ４）、及びＰＲＢ対４のｅＲＥＧグループ１から選択されたｅＲＥＧ（ａ１）、すなわち表７の第２行の全てのｅＲＥＧのセットが、分散モードでＥ−ＰＤＣＣＨを伝送する別のｅＣＣＥを構成し、同様に、表７の各行を循環して、分散モードでＥ−ＰＤＣＣＨを伝送するｅＣＣＥを構成する。この方式は、各ＰＲＢ対から局在ｅＣＣＥに含まれるｅＲＥＧ要素に対応する異なる番号を有するｅＲＥＧを選択して、分散モードでＥ−ＰＤＣＣＨを伝送するｅＣＣＥを構成するものと理解してもよい。
【０１９８】
以下の形式を、表７のａ１からａ１６に対応するｅＲＥＧの番号の形態として使用することができる。
ａ１、ａ２、ａ３及びａ４が、それぞれｅＲＥＧ番号０、４、８及び１２に対応する。
ａ５、ａ６、ａ７及びａ８が、それぞれｅＲＥＧ番号１、５、９及び１３に対応する。
ａ９、ａ１０、ａ１１及びａ１２が、それぞれｅＲＥＧ番号２、６、１０及び１４に対応する。
ａ１３、ａ１４、ａ１５及びａ１６が、それぞれｅＲＥＧ番号３、９、１１及び１１５に対応する。
【０１９９】
特定のリソース・セットは、Ｌ＊Ｂ個のｅＲＥＧを含むサイズのセットとすることができ、ここで、ここで、Ｍは、各ｅＣＣＥに含まれるｅＲＥＧの量であり、Ｂは、ＰＲＢ対の量であり、Ｂ＊Ｍ個のｅＲＥＧのセットは、Ｂ個のｅＲＥＧのみの指標を含むセットである。
【０２００】
Ｅ−ＰＤＣＣＨ用の分散ｅＣＣＥ及び局在ｅＣＣＥの形式は、前述の方式で決定されている。前述の原理に基づくと、ｅＣＣＥに番号を付ける必要がある。ｅＣＣＥの番号付けの目的は、第１に、論理ｅＣＣＥと物理ｅＣＣＥとの間の対応を決定する必要があるので、論理ｅＣＣＥを物理ｅＣＣＥにマッピングするからである。或いは、検索範囲の構成を決定することもでき、ＨＡＲＱフィードバックのリソース結合関係をｅＣＣＥ指標と関連付ける必要がある。
【０２０１】
ステップ４０２。物理リソース・ブロック・セットの第１のリソース・グループと第２のリソース・グループとの間の対応に従って、第２のリソース・グループに番号を付ける。ここで、第２のリソース・グループは、制御チャネル要素ｅＣＣＥグループ又は制御チャネル候補である。
【０２０２】
好ましくは、第１のタイプの第２のリソース・グループ（例えば局在モードでＥ−ＰＤＣＣＨを伝送するｅＣＣＥ）では、以下の方式のうちのいずれか１つを使用して、第２のリソース・グループの番号付けを行うことができる。
【０２０３】
方式１
【０２０４】
各物理リソース・ブロック対は、Ｎ個の第３のリソース・グループを含み、Ｎは正の整数であり、各第３のリソース・グループは、Ｍ個の第１のリソース・グループを含み、物理リソース・ブロック・セットにおいて、物理リソース・ブロック対の各第３のリソース・グループに含まれる第１のリソース・グループの番号セットは、その他の物理リソース・ブロック対のそれぞれの第３のリソース・グループに含まれる第１のリソース・グループの番号セットと同じであり、物理リソース・ブロック・セットの第１のリソース・グループと第２のリソース・グループとの間の対応に従って第２のリソース・グループに番号付けすることは、第３のリソース・グループのそれぞれが第１のタイプの第２のリソース・グループのうちの１つに対応し、各物理リソース・ブロック対の第１のタイプの第２のリソース・グループが、物理リソース・ブロック対の番号の昇順又は降順で順番に番号を付けられ、第１のタイプの第２のリソース・グループの番号と第１のタイプの第２のリソース・グループに対応する第１のリソース・グループの番号との間の対応が、各物理リソース・ブロック対に存在することを含む。
【０２０５】
選択的に、第１のタイプの第２のリソース・グループの番号と第１のタイプの第２のリソース・グループに対応する第１のリソース・グループの番号との間の対応が各物理リソース・ブロック対に存在することは、各物理リソース・ブロック対において、第１のタイプの第２のリソース・グループの番号が連続的であり、第１のタイプの第２のリソース・グループの番号の順序が、第１のタイプの第２のリソース・グループに対応する第１のリソース・グループの最大番号又は最小番号の順序と同じであることを含む。
【０２０６】
本発明の好ましい実施方式では、方式１は、以下を含むことができる。
物理リソース・ブロック・セットの第１のリソース・グループと第２のリソース・グループとの間の対応に従って第２のリソース・グループに番号付けすることが、数式：
ｊ＝Ｋ＊ｍ＋（ｉ  ｍｏｄ  Ｋ）
に従って第１のタイプの第２のリソース・グループの番号を決定するステップを含み、ここで、ｉは、第１のリソース・グループの番号であり、ｉは、０からＬ−１の整数であり、Ｌは、物理リソース・ブロック対の１つにおける第１のリソース・グループの量であり、ｊは、第１のタイプの第２のリソース・グループの番号であり、ｍは、物理リソース・ブロック対の番号であり、Ｋは、各物理リソース・ブロック対の第１のタイプの第２のリソース・グループの量であり、ｍｏｄは、モジュロ演算を示し、第１のタイプの第２のリソース・グループは、同じ物理リソース・ブロック対に属するＭ個の第１のリソース・グループに対応し、Ｍは、正の整数である。
【０２０７】
例えば、局在モードで制御チャネルを伝送するｅＣＣＥについては、番号付け規則は、第１のＰＲＢ対から各ＰＲＢ対の全てのｅＣＣＥに順番に番号を付け、次いで、次のＰＲＢ対の全てのｅＣＣＥに番号を付けるものとすることができる。各ＰＲＢのｅＣＣＥに番号を付ける順序は、各ｅＣＣＥに含まれるｅＲＥＧの最小番号の昇順の配列である。例えば、あるＰＲＢ対では、ｅＣＣＥに含まれるｅＲＥＧの番号は、０、４、８及び１２であり、別のｅＣＣＥに含まれるｅＲＥＧの番号は、１、５、９及び１３であり、第１のｅＣＣＥに含まれるｅＲＥＧの最小番号は、０であり、別のｅＣＣＥに含まれるｅＲＥＧの最小番号は、１である。この場合には、最小番号１を有するｅＲＥＧを含むｅＣＣＥより前に、最小番号０を有するｅＲＥＧを含むｅＣＣＥに番号を付けることができる。本実施形態の方法を用いた最終的な番号付け方式を、図４Ｂに示す。図４Ｂでは、それぞれの円がｅＣＣＥを表し、円内の数字が、そのｅＣＣＥの番号を表す。図４Ｂから図４ＥのｅＲＥＧを配列する方式は、表７に示すものと同じである。
【０２０８】
方式２
【０２０９】
各物理リソース・ブロック対は、Ｎ個の第３のリソース・グループを含み、Ｎは、正の整数であり、各第３のリソース・グループは、Ｍ個の第１のリソース・グループを含み、物理リソース・ブロック・セットにおいて、物理リソース・ブロック対の各第３のリソース・グループに含まれる第１のリソース・グループの番号セットは、その他の物理リソース・ブロック対のそれぞれの第３のリソース・グループに含まれる第１のリソース・グループの番号セットと同じであり、各物理リソース・ブロック対において、第３のリソース・グループの番号の順序は、第３のリソース・グループの第１のリソース・グループの最大番号又は最小番号の順序と同じであり、物理リソース・ブロック・セットの第１のリソース・グループと第２のリソース・グループとの間の対応に従って第２のリソース・グループに番号付けすることは、第３のリソース・グループのそれぞれが第１のタイプの第２のリソース・グループのうちの１つに対応し、同じ番号を有する第３のリソース・グループに対応する第１のタイプの第２のリソース・グループが、第３のリソース・グループの番号の昇順又は降順で順番に番号を付けられ、第１のタイプの第２のリソース・グループの番号の順序と第第１のタイプの第２のリソース・グループが置かれる物理リソース・ブロック対の番号の順序との間の対応が、同じ番号を有する第３のリソース・グループに対応する第１のタイプの第２のリソース・グループに存在することを含む。
【０２１０】
選択的に、第１のタイプの第２のリソース・グループの番号の順序と第１のタイプの第２のリソース・グループが置かれる物理リソース・ブロック対の番号の順序との間の対応が、同じ番号を有する第３のリソース・グループに対応する第１のタイプの第２のリソース・グループに存在することは、同じ番号を有する第３のリソース・グループに対応する第１のタイプの第２のリソース・グループにおいて、第１のタイプの第２のリソース・グループの番号の順序が連続的であり、第１のタイプの第２のリソース・グループの番号の順序が、第１のタイプの第２のリソース・グループが置かれる物理リソース・ブロック対の番号の順序と同じであることを含む。
【０２１１】
本発明の実施形態の好ましい例では、方式２は、
数式：
ｊ＝（ｉ  ｍｏｄ  Ｋ）＊Ｋ＋ｍ
に従って第１のタイプの第２のリソース・グループの番号を決定するステップを含むことができ、
ここで、ｉは、第１のリソース・グループの番号であり、ｉは、０からＬ−１の整数であり、Ｌは、物理リソース・ブロック対の１つにおける第１のリソース・グループの量であり、ｊは、第１のタイプの第２のリソース・グループの番号であり、ｍは、物理リソース・ブロック対の番号であり、Ｋは、各物理リソース・ブロック対の第１のタイプの第２のリソース・グループの量であり、ｍｏｄは、モジュロ演算を示し、第１のタイプの第２のリソース・グループは、同じ物理リソース・ブロック対に属するＭ個の第１のリソース・グループに対応し、Ｍは、正の整数である。
【０２１２】
例えば、局在モードで制御チャネルを伝送するｅＣＣＥについては、番号付け規則は、第１のＰＲＢ対から順番に各ＰＲＢ対の同じｅＲＥＧグループに番号を付け、この同じｅＲＥＧグループは、各ＰＲＢ対の同じｅＲＥＧ要素を含むｅＲＥＧグループであり、次いで、次のｅＲＥＧグループに番号を付けるものとすることができる。ｅＲＥＧグループは、ＰＲＢ指標（ＰＲＢ番号）の昇順に番号を付けられる。例えば、表７のｅＲＥＧグループ１では、番号付けは、最初にＰＲＢ対１のｅＲＥＧグループ１に番号を付け、次いで、ＰＲＢ対２のｅＲＥＧグループ１に番号を付ける方式の順次番号付けである。ｅＲＥＧグループ２も、同様に番号を付けられる。この番号付け方式は、図４Ｃに示す方式とすることができる。図４Ｃでは、それぞれの円が局在モードで制御チャネルを伝送するｅＣＣＥを表し、円内の数字が、そのｅＣＣＥの番号を表す。
【０２１３】
好ましくは、前述の方式１及び方式２において、同じ番号を有する第３のリソース・グループに対応する第１のタイプの第２のリソース・グループについては、物理リソース・ブロック対の第１のタイプの第２のリソース・グループとその物理リソース・ブロック対の第１のタイプの第２のリソース・グループに含まれる第１のリソース・グループとの間のマッピング関係は、その他の物理リソース・ブロック対のそれぞれの第１のタイプの第２のリソース・グループのうちの１つとその他の物理リソース・ブロック対のそれぞれの第１のタイプの第２のリソース・グループのうちの１つに含まれる第１のリソース・グループとの間のマッピング関係の巡回シフトである。
【０２１４】
選択的に、第２のタイプの第２のリソース・グループ（例えば分散モードでＥ−ＰＤＣＣＨを伝送するｃＥＥｃ）について、以下の方法のうちのいずれか１つを使用して、第２のリソース・グループに番号を付けることができる。
【０２１５】
方法１
【０２１６】
好ましくは、物理リソース・ブロック・セットの第１のリソース・グループと第２のリソース・グループとの間の対応に従って第２のリソース・グループに番号を付けることは、第２のタイプの第２のリソース・グループが、異なる物理リソース・ブロック対に属するＭ個の第１のリソース・グループを含み、第２のタイプの第２のリソース・グループに対応する同じ物理リソース・ブロック対の第１のリソース・グループの番号が、第２のタイプの第２のリソース・グループの番号として使用されることを含む。
【０２１７】
選択的に、物理リソース・ブロック・セットの第１のリソース・グループと第２のリソース・グループとの間の対応に従って第２のリソース・グループに番号を付けることは、
数式：
ｊ＝（ｉ−Ｋ＊ｍ）  ｍｏｄ  １６
に従って第２のタイプの第２のリソース・グループの番号を決定するステップを含み、
ここで、ｉは、第１のリソース・グループの番号であり、ｉは、０からＬ−１の整数であり、Ｌは、物理リソース・ブロック対の１つにおける第１のリソース・グループの量であり、ｊは、第２のタイプの第２のリソース・グループの番号であり、ｍは、物理リソース・ブロック対の番号であり、Ｋは、各物理リソース・ブロック対の第２のタイプの第２のリソース・グループの量であり、ｍｏｄは、モジュロ演算を示し、或いは、
数式：
ｉ＝（ｊ＋ｘ＊Ｋ）  ｍｏｄ  Ｎ、
ｍ＝（ｆｌｏｏｒ（ｊ／（Ｍ＊Ｋ））＊Ｍ＋ｘ）  ｍｏｄ  Ｃ
に従って第２のタイプの第２のリソース・グループの番号を決定するステップを含み、
ここで、ｉは、番号ｊが付された第２のタイプの第２のリソース・グループに対応するｘ番目の第１のリソース・グループの番号であり、ｉは、０からＬ−１の整数であり、Ｌは、物理リソース・ブロック対の１つにおける第１のリソース・グループの量であり、ｍは、番号ｊが付された第２のタイプの第２のリソース・グループに対応するｘ番目の第１のリソース・グループが位置する物理リソース・ブロック対の番号であり、Ｋ＝ｆｌｏｏｒ（Ｐ／Ｏ）であり、Ｐは、物理リソース・ブロック対の第１のリソース・グループの量であり、Ｏは、第２のリソース・グループに含まれる第１のリソース・グループの量であり、Ｃは、物理リソース・ブロック・セットの物理リソース・ブロック対の量であり、ｍｏｄは、モジュロ演算を示し、ｆｌｏｏｒは、切り捨て演算を示す。
【０２１８】
例えば、図４Ｄに示すように、それぞれの円は、分散ｅＣＣＥを表し、円内の数字は、そのｅＣＣＥの番号を表す。番号付け方式は、各ｅｃｃｅの番号を、特定のＰＲＢ対のｅＣＣＥに含まれるｅＲＥＧの番号と同じにするというものであってもよい。例えば、４つのＰＲＢ対において、表７の第１行のｅＣＣＥに含まれるｅＲＥＧの指標は、順番に０、４、８及び１０であり、従って、ＰＲＢ対１のｅＣＣＥに含まれるｅＲＥＧの指標０を、そのｅＣＣＥの番号として使用する。
【０２１９】
好ましくは、物理リソース・ブロック・セットは、Ｋ組の第２のタイプの第２のリソース・グループのセットを含み、Ｋ組のセットの各セットにおいて、第２のタイプの第２のリソース・グループのうちの１つと第２のタイプの第２のリソース・グループのうちの前記の１つに含まれる第１のリソース・グループとの間のマッピング関係は、その他の第２のタイプの第２のリソース・グループのそれぞれとその他の第２のタイプの第２のリソース・グループのそれぞれに含まれる第１のリソース・グループとの間のマッピング関係の巡回シフトである。
【０２２０】
方法２
【０２２１】
物理リソース・ブロック・セットの第１のリソース・グループと第２のリソース・グループとの間の対応に従って第２のリソース・グループに番号を付けることは、第２のタイプの第２のリソース・グループが、異なる物理リソース・ブロック対に属するＭ個の第１のリソース・グループを含み、物理リソース・ブロック・セットが、Ｋ組の第２のタイプの第２のリソース・グループのセットを含み、Ｋが正の整数であり、Ｋ組のセットの各セットにおいて、第２のタイプの第２のリソース・グループのうちの１つと第２のタイプの第２のリソース・グループのうちの前記の１つに含まれる第１のリソース・グループとの間のマッピング関係が、その他の第２のタイプの第２のリソース・グループのそれぞれとその他の第２のタイプの第２のリソース・グループのそれぞれに含まれる第１のリソース・グループとの間のマッピング関係の巡回シフトであり、Ｋ組のセットの各セットにおいて、第２のタイプの第２のリソース・グループが、第２のタイプの第２のリソース・グループに対応する同じ物理リソース・ブロック対の第１のリソース・グループの番号に従って番号を付けられ、Ｋ組のセットの異なるセット間で、第２のタイプの第２のリソース・グループの番号の順番が、同じ物理リソース・ブロック対のＫ組のセットの異なるセットに対応する第１のリソース・グループの最大番号又は最小番号の順番と同じであることを含む。
【０２２２】
例えば、図４Ｅに示すように、それぞれの円は、分散ｅＣＣＥを表し、円内の数字は、そのｅＣＣＥの番号を表す。番号付け方式は、番号付けが最初にｅＣＣＥグループ内で行われるものとすることができる。ｅＣＣＥグループとは、ｅＣＣＥのグループのことである。グループ内の各ｅＣＣＥに含まれるｅＲＥＧは、同じ番号を有するが、異なるＰＲＢ対では、ｅＲＥＧの番号は異なる。例えば、ｅＣＣＥグループ１は、表２の最初の４行に対応する４つのｅＣＣＥである。各ｅＣＣＥは、ｅＲＥＧ０、４、８及び１２を含むが、異なるｅＣＣＥのｅＲＥＧ０、４、８及び１２は、異なるＰＲＢ対に置かれる。最初に、各ｅＣＣＥグループ内のｅＣＣＥに順番に番号を付け、特定のＰＲＢ対を、番号の順番の基礎として使用する。例えば、第１のＰＲＢ対では、ｅＲＥＧが置かれるｅＣＣＥは、ＰＲＢ対の各ｅＣＣＥのｅＲＥＧの指標の昇順で番号が付けられる。対で、次のｅＣＣＥグループのｅＣＣＥが、順番に番号を付けられる。
【０２２３】
好ましくは、物理リソース・ブロック・セットの第１のタイプの第２のリソース・グループのうちの少なくとも２つに対応する第１のリソース・グループが、物理リソース・ブロック・セットの第２のタイプの第２のリソース・グループのうちの少なくとも２つに対応する第１のリソース・グループと同じである場合には、第１オンタイプの第２のリソース・グループのうちのこれらの少なくとも２つの番号のセットは、第２のタイプの第２のリソース・グループのうちのこれらの少なくとも２つの番号のセットと同じである。
【０２２４】
例えば、前述の局在ｅＣＣＥの番号付け方式と分散ｅＣＣＥの番号付け方式との間には対応がある。この対応は、局在ｅＣＣＥの番号付け方式が方式１である場合には、方法１を、分散ｅＣＣＥの番号付け方式として使用し、局在ｅＣＣＥの番号付け方式が方式２である場合には、方法２を、分散ｅＣＣＥの番号付け方式として使用するというものとすることができる。
【０２２５】
前述の対応の原理は、特定のリソース・セットにおいて、局在ｅＣＣＥを含む番号グループは、分散ｅＣＣＥを含む番号グループと同じであるというものである。例えば、図４Ｂ及び図４Ｄの点線枠内のリソース・セットに含まれる局在ｅＣＣＥの番号は、０、４、８及び１２であり、その中の分散ｅＣＣＥの番号も、０、４、８及び１２である。同様に、図４Ｃ及び図４Ｅの点線枠内のリソース・セットに含まれる局在ｅＣＣＥの番号は、０、１、２及び３であり、その中の分散ｅＣＣＥの番号も、０、１、２及び３である。
【０２２６】
選択的に、物理リソース・ブロック・セットの第１のタイプの第２のリソース・グループは、局在モードでＥ−ＰＤＣＣＨを伝送するリソース・グループであり、物理リソース・ブロック・セットの第２のタイプの第２のリソース・グループは、分散モードでＥ−ＰＤＣＣＨを伝送するリソース・グループである。
【０２２７】
ステップ４０３。Ｅ−ＰＤＣＣＨを伝送する第２のリソース・グループの番号を決定し、決定した番号に従って、伝送のためにＥ−ＰＤＣＣＨを対応する第１のリソース・グループにマッピングする。
【０２２８】
上記から分かるように、本実施形態では、第１のタイプの第２のリソース・グループ及び第２のタイプの第２のリソース・グループの番号付けを実施し、ブラインド検出に有利である。
【０２２９】
各ｅＣＣＥが４つのｅＲＥＧを含む場合には、内部の特定のマッピング順序は考慮せず、組合せの場合のみを考慮する。以下の４つの場合があり、ｅＣＣＥは、局在モードでの伝送用のｅＣＣＥであってもよいし、或いは分散モードでの伝送用のｅＣＣＥであってもよい。
ｅＣＣＥ  Ｘ１（ｅＲＥＧ０、ｅＲＥＧ４、ｅＲＥＧ８、及びｅＲＥＧ１２）
ｅＣＣＥ  Ｘ２（ｅＲＥＧ１、ｅＲＥＧ５、ｅＲＥＧ９、及びｅＲＥＧ１３）
ｅＣＣＥ  Ｘ３（ｅＲＥＧ２、ｅＲＥＧ６、ｅＲＥＧ１０、及びｅＲＥＧ１４）、並びに
ｅＣＣＥ  Ｘ４（ｅＲＥＧ３、ｅＲＥＧ７、ｅＲＥＧ１１、及びｅＲＥＧ１５）
【０２３０】
各ｅＣＣＥが８個のｅＲＥＧを含むときには、ｅＣＣＥ  Ｙ１に含まれるｅＲＥＧの指標は、ｅＣＣＥ  Ｘ１及びｅＣＣＥ  Ｘ２に含まれるｅＲＥＧの指標の組合せ、例えば以下の組合せを含むことができる。
ｅＣＣＥ  Ｙ１（ｅＲＥＧ０、ｅＲＥＧ４、ｅＲＥＧ８、ｅＲＥＧ１２、ｅＲＥＧ１、ｅＲＥＧ５、ｅＲＥＧ９及びｅＲＥＧ１３）、並びに
ｅＣＣＥ  Ｙ２（ｅＲＥＧ２、ｅＲＥＧ６、ｅＲＥＧ１０、ｅＲＥＧ１４、ｅＲＥＧ３、ｅＲＥＧ７、ｅＲＥＧ１１及びｅＲＥＧ１５）
【０２３１】
この場合には、ＣＲＳポート量が１であるときには、この組合せによって、ｅＣＣＥ  Ｙ１に含まれる利用可能なＲＥの量が、ｅＣＣＥ  Ｙ２に含まれる利用可能なＲＥの量に最も近くなる可能性がある。（ｅＲＥＧ０、ｅＲＥＧ４、ｅＲＥＧ８、及びｅＲＥＧ１２）並びに（ｅＲＥＧ２、ｅＲＥＧ６、ｅＲＥＧ１０、及びｅＲＥＧ１４）は両方とも、常に、パイロット周波数が位置する副搬送波内にあり、これにより、利用可能なＲＥの量が、（ｅＲＥＧ１、ｅＲＥＧ５、ｅＲＥＧ９、及びｅＲＥＧ１３）並びに（ｅＲＥＧ３、ｅＲＥＧ７、ｅＲＥＧ１１、及びｅＲＥＧ１５）未満になる、或いは、
（ｅＲＥＧ１、ｅＲＥＧ５、ｅＲＥＧ９、及びｅＲＥＧ１３）並びに（ｅＲＥＧ３、ｅＲＥＧ７、ｅＲＥＧ１１、及びｅＲＥＧ１５）は両方とも、常に、パイロット周波数が位置する副搬送波内にあり、これにより、利用可能なＲＥの量が、（ｅＲＥＧ０、ｅＲＥＧ４、ｅＲＥＧ８、及びｅＲＥＧ１２）並びに（ｅＲＥＧ２、ｅＲＥＧ６、ｅＲＥＧ１０、及びｅＲＥＧ１４）未満になる。従って、パイロット周波数が位置する副搬送波内に全て存在するｅＲＥＧは、２つのｅＣＣＥに非集中化しなければならない。
【０２３２】
或いは、ｅＣＣＥ  Ｙ１に含まれるｅＲＥＧの指標は、ｅＣＣＥ  Ｘ１及びｅＣＣＥ  Ｘ２に含まれるｅＲＥＧの指標の組合せ、例えば以下の組合せを含むことができる。
ｅＣＣＥ  Ｙ１（ｅＲＥＧ０、ｅＲＥＧ４、ｅＲＥＧ８、ｅＲＥＧ１２、ｅＲＥＧ２、ｅＲＥＧ６、ｅＲＥＧ１０及びｅＲＥＧ１４）、並びに
ｅＣＣＥ  Ｙ２（ｅＲＥＧ１、ｅＲＥＧ５、ｅＲＥＧ９、ｅＲＥＧ１３、ｅＲＥＧ３、ｅＲＥＧ７、ｅＲＥＧ１１及びｅＲＥＧ１５）
【０２３３】
分散モードでの伝送用のｅＣＣＥでは、各ｅＣＣＥは、８個のｅＲＥＧを含み、制御チャネル・リソース・セットは、８個のｅＲＥＧを含む。この場合には、２つの方式がある。
【０２３４】
方式１
【０２３５】
前述のｅＣＣＥ  Ｙ１に含まれるｅＲＥＧの番号は、８個のｅＲＥＧに昇順で順番にマッピングされる。例えば、表１のｅＣＣＥ０のｅＲＥＧの指標は、８個のＰＲＢ対で（ｅＲＥＧ０、ｅＲＥＧ１、ｅＲＥＧ４、ｅＲＥＧ５、ｅＲＥＧ８、ｅＲＥＧ９、ｅＲＥＧ１２、及びｅＲＥＧ１３）であり、７個のｅＣＣＥに含まれるｅＲＥＧの番号は、それらの指標と同じであるが、異なるＰＲＢ対のｅＣＣＥ０のｅＲＥＧのマッピング順序の巡回シフトである。この巡回シフトは、順番に循環的にシフトする順序である。例えば、８対のＰＲＢ対のｅＣＣＥ１のマッピング順序は、（ｅＲＥＧ１、ｅＲＥＧ４、ｅＲＥＧ５、ｅＲＥＧ８、ｅＲＥＧ９、ｅＲＥＧ１２、ｅＲＥＧ１３、及びｅＲＥＧ０）である。
【０２３６】
方式２
【０２３７】
前述のｅＣＣＥ  Ｙ１に含まれるｅＲＥＧの番号は、２つのグループにグループ化される。各部ループに含まれるｅＲＥＧの番号は、ｅＣＣＥが４つのｅＲＥＧを含む場合の番号と同じである。８対のＰＲＢ対のｅＣＣＥ０のｅＲＥＧの指標は、（ｅＲＥＧ０、ｅＲＥＧ４、ｅＲＥＧ８、及びｅＲＥＧ１２）、並びに（ｅＲＥＧ２、ｅＲＥＧ６、ｅＲＥＧ１０、及びｅＲＥＧ１４）である。第１のグループは、（ｅＲＥＧ０、ｅＲＥＧ４、ｅＲＥＧ８、及びｅＲＥＧ１２）であり、第２のグループは、（ｅＲＥＧ２、ｅＲＥＧ６、ｅＲＥＧ１０、及びｅＲＥＧ１４）である。従って、ｅＣＣＥ０は、（ｅＲＥＧ０、ｅＲＥＧ４、ｅＲＥＧ８、及びｅＲＥＧ１２）、並びに（ｅＲＥＧ２、ｅＲＥＧ６、ｅＲＥＧ１０、及びｅＲＥＧ１４）の順序に従って８個のＰＲＢ対にマッピングされ、ｅＣＣＥ０のグループ・マッピング順序は、（第１のグループ、及び第２のグループ）である。従って、７個のｅＣＣＥに含まれるｅＲＥＧの番号は、ｅＣＣＥ０の番号と同じであるが、これら７個のｅＣＣＥの巡回シフトは、連続的な巡回シフトではなく、最初にグループ間シフト、対でグループ内巡回シフトとすることができる。例えば、表３のｅＣＣＥ９では、（第２のグループ、及び第１のグループ）がｅＣＣＥ０のグループ・マッピング順序（第１のグループ、及び第２のグループ）の巡回シフト、すなわち（第２のグループ（６、１０、１４、及び２）、並びに第１のグループ（４、８、１２、及び０））である。この場合、第１のグループのｅＣＣＥ９のｅＲＥＧの順番については、第１のグループのｅｃｃｅ０のｅＲＥＧの順番に対する巡回シフトがあり、第２のグループのｅＲＥＧの順番については、第２のグループのｅＣＣＥ０のｅＲＥＧの順番に対する巡回シフトがある。或いは、グループ間循環シフトがなく、グループ内巡回シフトのみがある。例えば、ｅＣＣＥ１については、ｅＣＣＥ０に対するグループ間シフトがなく、グループ内シフトのみがある。ｅＣＣＥの具体的な番号付け方式は、表１．１及び表８．１の方式とすることができる。同じｅＲＥＧ指標を含む８個のｅＣＣＥにおいて、３つのｅＣＣＥは、１つのｅＣＣＥのｅＲＥＧのマッピング関係に対するグループ間シフトがなく、グループ内シフトのみがあり、その他の４つのｅＣＣＥは、グループ内シフト及びグループ間シフトの両方がある。その効果は、１つのｅＣＣＥに含まれる４つのｅＲＥＧのマッピング方式を、各グループで再利用することができ、実施が単純になることである。
【０２３８】
表１．１  ｅＣＣＥとｅＲＥＧとの間のマッピングの方式１。８対のＰＲＢ対があり、各ｅＣＣＥは、８個のｅＲＥＧを含む。
【表８】
2019068444.tif 000010
【０２３９】
表２．１  分散ｅＣＣＥとｅＲＥＧとの間のマッピングの方式１。４対のＰＲＢ対があり、各ｅＣＣＥは、４個のｅＲＥＧを含む。
【表９】
2019068444.tif 000011
【０２４０】
表３．１  ｅＣＣＥとｅＲＥＧとの間のマッピングの方式２。８対のＰＲＢ対があり、各ｅＣＣＥは、８個のｅＲＥＧを含む。
【表１０】
2019068444.tif 000012
【０２４１】
制御チャネルリソース・セットが８対のＰＲＢ対を含み、各ｅＣＣＥが８個のｅＲＥＧを含む場合には、８個のＰＲＢ対のｅＣＣＥとｅＲＥＧとの間のマッピング関係について、最初の４つのＰＲＢで使用するマッピング方式は、制御チャネル・セットが４対のＰＲＢ対を含み、各ｅＣＣＥが４つのｅＲＥＧを含む、表２．１に示す場合と同じである。表２の最初の４行は、表２．１のそれらと完全に同じであることが分かるであろう。
【０２４２】
ただし、最後の４行では、すなわち最後の４対のＰＲＢ対（ＰＲＢ対４、ＰＲＢ対５、ＰＲＢ対６、及びＰＲＢ対７）では、ｅＣＣＥとｅＲＥＧとの間のマッピング関係は、最初の４対のＰＲＢ対のｅＣＣＥとｅＲＥＧとの間のマッピング関係の巡回シフト、例えば８桁の巡回シフトである。従って、最初の４対のＰＲＢ対のｅＣＣＥ８からｅＣＣＥ１５の最初の４つのｅＲＥＧを８桁だけ循環的にシフトさせると、ｅＣＣＥ０からｅＣＣＥ７の最後の４つのｅＲＥＧになる。従って、最初の４対のＰＲＢ対のｅＣＣＥ０からｅＣＣＥ７の最初の４つのｅＲＥＧを８桁だけ循環的にシフトさせると、ｅＣＣＥ８からｅＣＣＥ１５の最後の４つのｅＲＥＧになる。
【０２４３】
別法
【０２４４】
表４．１  ｅＣＣＥとｅＲＥＧとの間のマッピングの方式３。８対のＰＲＢ対があり、各ｅＣＣＥは、８個のｅＲＥＧを含む。
【表１１】
2019068444.tif 000013
【０２４５】
制御チャネルリソース・セットが８対のＰＲＢ対を含み、各ｅＣＣＥが８個のｅＲＥＧを含む場合には、８個のＰＲＢのｅＣＣＥとｅＲＥＧとの間のマッピング関係について、最初の４つのＰＲＢで使用するマッピング方式は、制御チャネル・セットが４対のＰＲＢ対を含み、各ｅＣＣＥが４つのｅＲＥＧを含む、表１に示す場合と同じである。表４．１の最初の４行は、表２．１のそれらと完全に同じであることが分かるであろう。
【０２４６】
ただし、最後の４行では、すなわち最後の４対のＰＲＢ対（ＰＲＢ対４、ＰＲＢ対５、ＰＲＢ対６、及びＰＲＢ対７）では、ｅＣＣＥとｅＲＥＧとの間のマッピング関係は、最初の４対のＰＲＢ対のｅＣＣＥとｅＲＥＧとの間のマッピング関係の巡回シフト、例えば４桁の巡回シフトである。従って、ｅＣＣＥ（ｉ、ｊ−４）の最初の４つのｅＲＥＧは、表２．１のそれらと同じであり、最後の４つのｅＲＥＧの番号は、ｅＣＣＥ（ｉ＋４、ｊ−４）に対応するｅＲＥＧの番号と同じである。ここで、ｉは、ｅＣＣＥの番号であり、ｊは、０から３の整数であり、ｅＣＣＥに含まれるｊ番目のｅＲＥＧを示す。
【０２４７】
表５．１  ｅＣＣＥとｅＲＥＧとの間のマッピングの方式１−１。８対のＰＲＢ対があり、各ｅＣＣＥは、４つのｅＲＥＧを含む。
【表１２】
2019068444.tif 000014
【０２４８】
表５．１に示すように、各制御チャネル・リソース・セットが８対のＰＲＢ対を含み、各ｅＣＣＥが４つのｅＲＥＧを含む場合には、
最初の４つのＰＲＢのｅＣＣＥとｅＲＥＧとの間で使用されるマッピング方式は、表２．１のｅＣＣＥとｅＲＥＧとの間のマッピング方式であり、最後の４つのＰＲＢのｅＣＣＥとｅＲＥＧとの間で使用されるマッピング方式は、表２．１のｅＣＣＥ８からｅＣＣＥ１５のマッピング方式である。
【０２４９】
表６．１  ｅＣＣＥとｅＲＥＧとの間のマッピング方式１−２。８対のＰＲＢ対があり、各ｅＣＣＥは４つのｅＲＥＧを含む。
【表１３】
2019068444.tif 000015
表６．１に示すように、各制御チャネル・リソース・セットが８対のＰＲＢ対を含み、各ｅＣＣＥが４つのｅＲＥＧを含む場合には、
【０２５０】
最初の４つのＰＲＢのｅＣＣＥとｅＲＥＧとの間で使用されるマッピング方式は、表２．１の偶数番号を有するｅＣＣＥのマッピング方式であり、最後の４つのＰＲＢのｅＣＣＥとｅＲＥＧとの間で使用されるマッピング方式は、表２．１の奇数番号を有するｅＣＣＥのマッピング方式である。或いは、奇数番号を相互に入れ替える。
【０２５１】
表７．１  ｅＣＣＥとｅＲＥＧとの間のマッピング方式。８対のＰＲＢ対があり、各ｅＣＣＥは８つのｅＲＥＧを含む。
【表１４】
2019068444.tif 000016
【０２５２】
表８．１  ｅＣＣＥとｅＲＥＧとの間のマッピング方式２−１。８対のＰＲＢ対があり、各ｅＣＣＥは８つのｅＲＥＧを含む。
【表１５】
2019068444.tif 000017
【０２５３】
図５は、本発明の実施形態によるＥ−ＰＤＣＣＨ伝送装置を示す概略構造図である。この装置は、基地局であってもよいし、或いはユーザ装置であってもよい。図５に示すように、本実施形態のＥ−ＰＤＣＣＨ伝送装置は、配列ユニット５１と、番号付けユニット５３と、第５の決定ユニット５２と、伝送ユニット５４とを含む。
【０２５４】
配列ユニット５１は、物理リソース・ブロック・セットにおいて、各物理リソース・ブロック対（ＰＲＢ対）の第１のリソース・グループを別個に配列するように構成され、ここで、これらの第１のリソース・グループは、リソース要素グループｅＲＥＧ又はＲＥＧであり、物理リソース・ブロック・セットは、これらの物理リソース・ブロック対のうちの少なくとも１つを含む。
【０２５５】
番号付けユニット５３は、物理リソース・ブロック・セットの第１のリソース・グループと第２のリソース・グループとの間の対応に従って第２のリソース・グループに番号を付けるように構成され、ここで、第２のリソース・グループは、制御チャネル要素ｅＣＣＥグループ又は制御チャネル候補である。
【０２５６】
第５の決定ユニット５２は、Ｅ−ＰＤＣＣＨを伝送する第２のリソース・グループの番号を決定するように構成される。
【０２５７】
伝送ユニット５４は、決定した番号に従って、伝送のためにＥ−ＰＤＣＣＨを対応する第１のリソース・グループにマッピングするように構成される。
【０２５８】
好ましくは、各物理リソース・ブロック対は、Ｎ個の第３のリソース・グループを含み、Ｎは正の整数であり、各第３のリソース・グループは、Ｍ個の第１のリソース・グループを含み、物理リソース・ブロック・セットにおいて、物理リソース・ブロック対の各第３のリソース・グループに含まれる第１のリソース・グループの番号セットは、その他の物理リソース・ブロック対のそれぞれの第３のリソース・グループに含まれる第１のリソース・グループの番号セットと同じであり、第３のリソース・グループのそれぞれは、第１のタイプの第２のリソース・グループのうちの１つに対応し、番号付けユニット５３は、各物理リソース・ブロック対の第１のタイプの第２のリソース・グループに、物理リソース・ブロック対の番号の昇順又は降順で順番に番号を付けるように構成され、第１のタイプの第２のリソース・グループの番号と第１のタイプの第２のリソース・グループに対応する第１のリソース・グループの番号との間の対応が各物理リソース・ブロック対に存在する。
【０２５９】
必要に応じて、第１のタイプの第２のリソース・グループの番号と第１のタイプの第２のリソース・グループに対応する第１のリソース・グループの番号との間の対応が各物理リソース・ブロック対に存在することは、各物理リソース・ブロック対において、第１のタイプの第２のリソース・グループの番号が連続的であり、第１のタイプの第２のリソース・グループの番号の順序が、第１のタイプの第２のリソース・グループに対応する第１のリソース・グループの最大番号又は最小番号の順序と同じであることを含む。
【０２６０】
選択的に、番号付けユニット５３は、数式：
ｊ＝Ｋ＊ｍ＋（ｉ  ｍｏｄ  Ｋ）
に従って第１のタイプの第２のリソース・グループの番号を決定するように構成され、ここで、ｉは、第１のリソース・グループの番号であり、ｉは、０からＬ−１の整数であり、Ｌは、物理リソース・ブロック対の１つにおける第１のリソース・グループの量であり、ｊは、第１のタイプの第２のリソース・グループの番号であり、ｍは、物理リソース・ブロック対の番号であり、Ｋは、各物理リソース・ブロック対の第１のタイプの第２のリソース・グループの量であり、ｍｏｄは、モジュロ演算を示し、第１のタイプの第２のリソース・グループは、同じ物理リソース・ブロック対に属するＭ個の第１のリソース・グループに対応し、Ｍは、正の整数である。
【０２６１】
好ましくは、各物理リソース・ブロック対は、Ｎ個の第３のリソース・グループを含み、Ｎは、正の整数であり、各第３のリソース・グループは、Ｍ個の第１のリソース・グループを含み、物理リソース・ブロック・セットにおいて、物理リソース・ブロック対の各第３のリソース・グループに含まれる第１のリソース・グループの番号セットは、その他の物理リソース・ブロック対のそれぞれの第３のリソース・グループに含まれる第１のリソース・グループの番号セットと同じであり、各物理リソース・ブロック対において、第３のリソース・グループの番号の順序は、第３のリソース・グループの第１のリソース・グループの最大番号又は最小番号の順序と同じであり、第３のリソース・グループのそれぞれが、第１のタイプの第２のリソース・グループのうちの１つと対応し、番号付けユニット５３は、同じ番号を有する第３のリソース・グループに対応する第１のタイプの第２のリソース・グループに、第３のリソース・グループの番号の昇順又は降順で順番に番号を付けるように構成され、第１のタイプの第２のリソース・グループの番号の順序と第１のタイプの第２のリソース・グループが置かれる物理リソース・ブロック対の番号の順序との間の対応が、同じ番号を有する第３のリソース・グループに対応する第１のタイプの第２のリソース・グループに存在する。
【０２６２】
選択的に、第１のタイプの第２のリソース・グループの番号の順序と第１のタイプの第２のリソース・グループが置かれる物理リソース・ブロック対の番号の順序との間の対応が、同じ番号を有する第３のリソース・グループに対応する第１のタイプの第２のリソース・グループに存在することは、同じ番号を有する第３のリソース・グループに対応する第１のタイプの第２のリソース・グループにおいて、第１のタイプの第２のリソース・グループの番号の順序が連続的であり、第１のタイプの第２のリソース・グループの番号の順序が、第１のタイプの第２のリソース・グループが置かれる物理リソース・ブロック対の番号の順序と同じであることを含む。
【０２６３】
好ましくは、番号付けユニット５３は、
数式：
ｊ＝（ｉ  ｍｏｄ  Ｋ）＊Ｋ＋ｍ
に従って第１のタイプの第２のリソース・グループの番号を決定するように構成され、
ここで、ｉは、第１のリソース・グループの番号であり、ｉは、０からＬ−１の整数であり、Ｌは、物理リソース・ブロック対の１つにおける複数の第１のリソース・グループの量であり、ｊは、第１のタイプの第２のリソース・グループの番号であり、ｍは、物理リソース・ブロック対の番号であり、Ｋは、各物理リソース・ブロック対の第１のタイプの第２のリソース・グループの量であり、ｍｏｄは、モジュロ演算を示し、第１のタイプの第２のリソース・グループは、同じ物理リソース・ブロック対に属するＭ個の第１のリソース・グループに対応し、Ｍは、正の整数である。
【０２６４】
好ましくは、同じ番号を有する第３のリソース・グループに対応する第１のタイプの第２のリソース・グループについては、物理リソース・ブロック対の第１のタイプの第２のリソース・グループとその物理リソース・ブロック対の第１のタイプの第２のリソース・グループに含まれる複数の第１のリソース・グループとの間のマッピング関係は、その他の物理リソース・ブロック対のそれぞれの第１のタイプの第２のリソース・グループのうちの１つとその他の物理リソース・ブロック対のそれぞれの第１のタイプの第２のリソース・グループのうちの１つに含まれる複数の第１のリソース・グループとの間のマッピング関係の巡回シフトである。
【０２６５】
選択的に、第２のタイプの第２のリソース・グループは、異なる物理リソース・ブロック対に属するＭ個の第１のリソース・グループを含み、番号付けユニット５３は、第２のタイプの第２のリソース・グループに対応する同じ物理リソース・ブロック対の第１のリソース・グループの番号を、第２のタイプの第２のリソース・グループの番号として使用するように構成される。
【０２６６】
好ましくは、番号付けユニット５３は、数式：
ｊ＝（ｉ−Ｋ＊ｍ）  ｍｏｄ  １６
に従って第２のタイプの第２のリソース・グループの番号を決定するように構成され、
ここで、ｉは、第１のリソース・グループの番号であり、ｉは、０からＬ−１の整数であり、Ｌは、物理リソース・ブロック対の１つにおける第１のリソース・グループの量であり、ｊは、第２のタイプの第２のリソース・グループの番号であり、ｍは、物理リソース・ブロック対の番号であり、Ｋは、各物理リソース・ブロック対の第２のタイプの第２のリソース・グループの量であり、ｍｏｄは、モジュロ演算を示し、或いは、
番号付けユニット５３は、数式：
ｉ＝（ｊ＋ｘ＊Ｋ）  ｍｏｄ  Ｎ、
ｍ＝（ｆｌｏｏｒ（ｊ／（Ｍ＊Ｋ））＊Ｍ＋ｘ）  ｍｏｄ  Ｃ
に従って第２のタイプの第２のリソース・グループの番号を決定するように構成され、
ここで、ｉは、番号ｊが付された第２のタイプの第２のリソース・グループに対応するｘ番目の第１のリソース・グループの番号であり、ｉは、０からＬ−１の整数であり、Ｌは、物理リソース・ブロック対の１つにおける第１のリソース・グループの量であり、ｍは、番号ｊが付された第２のタイプの第２のリソース・グループに対応するｘ番目の第１のリソース・グループが置かれる物理リソース・ブロック対の番号であり、Ｋ＝ｆｌｏｏｒ（Ｐ／Ｏ）であり、Ｐは、物理リソース・ブロック対の第１のリソース・グループの量であり、Ｏは、第２のリソース・グループに含まれる第１のリソース・グループの量であり、Ｃは、物理リソース・ブロック・セットの物理リソース・ブロック対の量であり、ｍｏｄは、モジュロ演算を示し、ｆｌｏｏｒは、切り捨て演算を示す。
【０２６７】
好ましくは、第２のタイプの第２のリソース・グループは、異なる物理リソース・ブロック対に属するＭ個の第１のリソース・グループを含み、物理リソース・ブロック・セットは、Ｋ組の第２のタイプの第２のリソース・グループのセットを含み、Ｋは、正の整数であり、Ｋ組のセットの各セットにおいて、第２のタイプの第２のリソース・グループのうちの１つと第２のタイプの第２のリソース・グループのうちの前記の１つに含まれる第１のリソース・グループとの間のマッピング関係は、その他の第２のタイプの第２のリソース・グループのそれぞれとその他の第２のタイプの第２のリソース・グループのそれぞれに含まれる第１のリソース・グループとの間のマッピング関係の巡回シフトであり、番号付けユニット５３は、Ｋ組のセットの各セットでは、第２のタイプの第２のリソース・グループに対応する同じ物理リソース・ブロック対の第１のリソース・グループの番号に従って第２のタイプの第２のリソース・グループに番号を付けるように構成され、Ｋ組のセットの異なるセット間では、第２のタイプの第２のリソース・グループの番号の順番は、同じ物理リソース・ブロック対のＫ組のセットの異なるセットに対応する第１のリソース・グループの最大番号又は最小番号の順番と同じである。
【０２６８】
選択的に、物理リソース・ブロック・セットは、Ｋ組の第２のタイプの第２のリソース・グループのセットを含み、Ｋ組のセットの各セットにおいて、第２のタイプの第２のリソース・グループのうちの１つと第２のタイプの第２のリソース・グループのうちの前記の１つに含まれる第１のリソース・グループとの間のマッピング関係は、その他の第２のタイプの第２のリソース・グループのそれぞれとその他の第２のタイプの第２のリソース・グループのそれぞれに含まれる第１のリソース・グループとの間のマッピング関係の巡回シフトである。
【０２６９】
好ましくは、物理リソース・ブロック・セットの第１のタイプの第２のリソース・グループのうちの少なくとも２つに対応する第１のリソース・グループが、物理リソース・ブロック・セットの第２のタイプの第２のリソース・グループのうちの少なくとも２つに対応する第１のリソース・グループと同じである場合には、第１のタイプの第２のリソース・グループのうちのこれらの少なくとも２つの番号のセットは、第２のタイプの第２のリソース・グループのうちのこれらの少なくとも２つの番号のセットと同じである。
【０２７０】
好ましくは、物理リソース・ブロック・セットの第１のタイプの第２のリソース・グループは、局在モードでＥ−ＰＤＣＣＨを伝送するリソース・グループであり、物理リソース・ブロック・セットの第２のタイプの第２のリソース・グループは、分散モードでＥ−ＰＤＣＣＨを伝送するリソース・グループである。
【０２７１】
本実施形態の伝送装置は、第１のタイプの第２のリソース・グループ及び第２のタイプの第２のリソース・グループの番号付けを実施することにより、Ｅ−ＰＤＣＣＨ伝送を実施し、ブラインド検出に有利である。
【０２７２】
図６は、本発明の別の実施形態によるＥ−ＰＤＣＣＨ伝送装置を示す概略構造図である。この装置は、基地局であってもよいし、或いはユーザ装置であってもよい。図６に示すように、本実施形態の装置は、少なくとも１つのプロセッサ６１と、送受信機６２とを含み、送受信機６２は、信号を伝送及び受信するように構成され、プロセッサ６１は、
物理リソース・ブロック・セットにおいて、各物理リソース・ブロック対（ＰＲＢ対）の第１のリソース・グループを別個に配列するステップであり、これらの第１のリソース・グループが、リソース要素グループｅＲＥＧ又はＲＥＧであり、物理リソース・ブロック・セットが、これらの物理リソース・ブロック対のうちの少なくとも１つを含むステップと、
物理リソース・ブロック・セットの第１のリソース・グループと第２のリソース・グループとの間の対応に従って第２のリソース・グループに番号を付けるステップであり、第２のリソース・グループが、制御チャネル要素ｅＣＣＥグループ又は制御チャネル候補であるステップと、
Ｅ−ＰＤＣＣＨを伝送する第２のリソース・グループの番号を決定するステップと、
決定した番号に従って、伝送のためにＥ−ＰＤＣＣＨを対応する第１のリソース・グループにマッピングするステップと
を実行するように構成される。
【０２７３】
好ましくは、各物理リソース・ブロック対は、Ｎ個の第３のリソース・グループを含み、Ｎは正の整数であり、各第３のリソース・グループは、Ｍ個の第１のリソース・グループを含み、物理リソース・ブロック・セットにおいて、物理リソース・ブロック対の各第３のリソース・グループに含まれる第１のリソース・グループの番号セットは、その他の物理リソース・ブロック対のそれぞれの第３のリソース・グループに含まれる第１のリソース・グループの番号セットと同じであり、プロセッサ６１は、物理リソース・ブロック・セットの第１のリソース・グループと第２のリソース・グループとの間の対応に従って第２のリソース・グループの番号付けを実施するように構成され、この番号付けでは、第３のリソース・グループのそれぞれは、第１のタイプの第２のリソース・グループのうちの１つに対応し、各物理リソース・ブロック対の第１のタイプの第２のリソース・グループは、物理リソース・ブロック対の番号の昇順又は降順で順番に番号を付けられ、第１のタイプの第２のリソース・グループの番号と第１のタイプの第２のリソース・グループに対応する第１のリソース・グループの番号との間の対応が、各物理リソース・ブロック対に存在する。
【０２７４】
好ましくは、第１のタイプの第２のリソース・グループの番号と第１のタイプの第２のリソース・グループに対応する第１のリソース・グループの番号との間の対応が各物理リソース・ブロック対に存在することは、各物理リソース・ブロック対において、第１のタイプの第２のリソース・グループの番号が連続的であり、第１のタイプの第２のリソース・グループの番号の順序が、第１のタイプの第２のリソース・グループに対応する第１のリソース・グループの最大番号又は最小番号の順序と同じであることを含む。
【０２７５】
選択的に、プロセッサ６１は、物理リソース・ブロック・セットの第１のリソース・グループと第２のリソース・グループとの間の対応に従った第２のリソース・グループの番号付けを実施するように構成され、この番号付けは、数式：
ｊ＝Ｋ＊ｍ＋（ｉ  ｍｏｄ  Ｋ）
に従って第１のタイプの第２のリソース・グループの番号を決定するステップを含み、ここで、ｉは、第１のリソース・グループの番号であり、ｉは、０からＬ−１の整数であり、Ｌは、物理リソース・ブロック対の１つにおける第１のリソース・グループの量であり、ｊは、第１のタイプの第２のリソース・グループの番号であり、ｍは、物理リソース・ブロック対の番号であり、Ｋは、各物理リソース・ブロック対の第１のタイプの第２のリソース・グループの量であり、ｍｏｄは、モジュロ演算を示し、第１のタイプの第２のリソース・グループは、同じ物理リソース・ブロック対に属するＭ個の第１のリソース・グループに対応し、Ｍは、正の整数である。
【０２７６】
好ましくは、各物理リソース・ブロック対は、Ｎ個の第３のリソース・グループを含み、Ｎは、正の整数であり、各第３のリソース・グループは、Ｍ個の第１のリソース・グループを含み、物理リソース・ブロック・セットにおいて、物理リソース・ブロック対の各第３のリソース・グループに含まれる第１のリソース・グループの番号セットは、その他の物理リソース・ブロック対のそれぞれの第３のリソース・グループに含まれる第１のリソース・グループの番号セットと同じであり、各物理リソース・ブロック対において、第３のリソース・グループの番号の順序は、第３のリソース・グループの第１のリソース・グループの最大番号又は最小番号の順序と同じであり、プロセッサ６１は、物理リソース・ブロック・セットの第１のリソース・グループと第２のリソース・グループとの間の対応に従った第２のリソース・グループの番号付けを実施するように構成され、この番号付けでは、第３のリソース・グループのそれぞれは、第１のタイプの第２のリソース・グループのうちの１つに対応し、同じ番号を有する第３のリソース・グループに対応する第１のタイプの第２のリソース・グループは、第３のリソース・グループの番号の昇順又は降順で順番に番号を付けられ、第１のタイプの第２のリソース・グループの番号の順序と第１のタイプの第２のリソース・グループが置かれる物理リソース・ブロック対の番号の順序との間の対応は、同じ番号を有する第３のリソース・グループに対応する第１のタイプの第２のリソース・グループに存在する。
【０２７７】
選択的に、第１のタイプの第２のリソース・グループの番号の順序と第１のタイプの第２のリソース・グループが置かれる物理リソース・ブロック対の番号の順序との間の対応が、同じ番号を有する第３のリソース・グループに対応する第１のタイプの第２のリソース・グループに存在することは、同じ番号を有する第３のリソース・グループに対応する第１のタイプの第２のリソース・グループにおいて、第１のタイプの第２のリソース・グループの番号の順序が連続的であり、第１のタイプの第２のリソース・グループの番号の順序が、第１のタイプの第２のリソース・グループが置かれる物理リソース・ブロック対の番号の順序と同じであることを含む。
【０２７８】
好ましくは、プロセッサ６１は、物理リソース・ブロック・セットの第１のリソース・グループと第２のリソース・グループとの間の対応に従った第２のリソース・グループの番号付けを実施するように構成され、この番号付けは、数式：
ｊ＝（ｉ  ｍｏｄ  Ｋ）＊Ｋ＋ｍ
に従って第１のタイプの第２のリソース・グループの番号を決定するステップを含み、
ここで、ｉは、第１のリソース・グループの番号であり、ｉは、０からＬ−１の整数であり、Ｌは、物理リソース・ブロック対の１つにおける第１のリソース・グループの量であり、ｊは、第１のタイプの第２のリソース・グループの番号であり、ｍは、物理リソース・ブロック対の番号であり、Ｋは、各物理リソース・ブロック対の第１のタイプの第２のリソース・グループの量であり、ｍｏｄは、モジュロ演算を示し、第１のタイプの第２のリソース・グループは、同じ物理リソース・ブロック対に属するＭ個の第１のリソース・グループに対応し、Ｍは、正の整数である。
【０２７９】
好ましくは、同じ番号を有する第３のリソース・グループに対応する第１のタイプの第２のリソース・グループについては、物理リソース・ブロック対の第１のタイプの第２のリソース・グループとその物理リソース・ブロック対の第１のタイプの第２のリソース・グループに含まれる第１のリソース・グループとの間のマッピング関係は、その他の物理リソース・ブロック対のそれぞれの第１のタイプの第２のリソース・グループのうちの１つとその他の物理リソース・ブロック対のそれぞれの第１のタイプの第２のリソース・グループのうちの１つに含まれる第１のリソース・グループとの間のマッピング関係の巡回シフトである。
【０２８０】
選択的に、プロセッサ６１は、物理リソース・ブロック・セットの第１のリソース・グループと第２のリソース・グループとの間の対応に従った第２のリソース・グループの番号付けを実施するように構成され、この番号付けでは、第２のタイプの第２のリソース・グループは、異なる物理リソース・ブロック対に属するＭ個の第１のリソース・グループを含み、第２のタイプの第２のリソース・グループに対応する同じ物理リソース・ブロック対の第１のリソース・グループの番号は、第２のタイプの第２のリソース・グループの番号として使用される。
【０２８１】
好ましくは、プロセッサ６１は、物理リソース・ブロック・セットの第１のリソース・グループと第２のリソース・グループとの間の対応に従った第２のリソース・グループの番号付けを実施するように構成され、この番号付けは、数式：
ｊ＝（ｉ−Ｋ＊ｍ）  ｍｏｄ  １６
に従って第２のタイプの第２のリソース・グループの番号を決定するステップを含み、
ここで、ｉは、第１のリソース・グループの番号であり、ｉは、０からＬ−１の整数であり、Ｌは、物理リソース・ブロック対の１つにおける第１のリソース・グループの量であり、ｊは、第２のタイプの第２のリソース・グループの番号であり、ｍは、物理リソース・ブロック対の番号であり、Ｋは、各物理リソース・ブロック対の第２のタイプの第２のリソース・グループの量であり、ｍｏｄは、モジュロ演算を示し、或いは、
数式：
ｉ＝（ｊ＋ｘ＊Ｋ）  ｍｏｄ  Ｎ、
ｍ＝（ｆｌｏｏｒ（ｊ／（Ｍ＊Ｋ））＊Ｍ＋ｘ）  ｍｏｄ  Ｃ
に従って第２のタイプの第２のリソース・グループの番号を決定するステップを含み、
ここで、ｉは、番号ｊが付された第２のタイプの第２のリソース・グループに対応するｘ番目の第１のリソース・グループの番号であり、ｉは、０からＬ−１の整数であり、Ｌは、物理リソース・ブロック対の１つにおける第１のリソース・グループの量であり、ｍは、番号ｊが付された第２のタイプの第２のリソース・グループに対応するｘ番目の第１のリソース・グループが置かれる物理リソース・ブロック対の番号であり、Ｋ＝ｆｌｏｏｒ（Ｐ／Ｏ）であり、Ｐは、物理リソース・ブロック対の第１のリソース・グループの量であり、Ｏは、第２のリソース・グループに含まれる第１のリソース・グループの量であり、Ｃは、物理リソース・ブロック・セットの物理リソース・ブロック対の量であり、ｍｏｄは、モジュロ演算を示し、ｆｌｏｏｒは、切り捨て演算を示す。
【０２８２】
必要に応じて、プロセッサ６１は、物理リソース・ブロック・セットの第１のリソース・グループと第２のリソース・グループとの間の対応に従った第２のリソース・グループの番号付けを実施するように構成され、この番号付けでは、第２のタイプの第２のリソース・グループは、異なる物理リソース・ブロック対に属するＭ個の第１のリソース・グループを含み、物理リソース・ブロック・セットは、Ｋ組の第２のタイプの第２のリソース・グループのセットを含み、Ｋは、正の整数であり、Ｋ組のセットの各セットにおいて、第２のタイプの第２のリソース・グループのうちの１つと第２のタイプの第２のリソース・グループのうちの前記の１つに含まれる第１のリソース・グループとの間のマッピング関係は、その他の第２のタイプの第２のリソース・グループのそれぞれとその他の第２のタイプの第２のリソース・グループのそれぞれに含まれる第１のリソース・グループとの間のマッピング関係の巡回シフトであり、Ｋ組のセットの各セットにおいて、第２のタイプの第２のリソース・グループは、第２のタイプの第２のリソース・グループに対応する同じ物理リソース・ブロック対の第１のリソース・グループの番号に従って番号を付けられ、Ｋ組のセットの異なるセット間では、第２のタイプの第２のリソース・グループの番号の順番は、同じ物理リソース・ブロック対のＫ組のセットの異なるセットに対応する第１のリソース・グループの最大番号又は最小番号の順番と同じである。
【０２８３】
好ましくは、物理リソース・セットは、Ｋ組の第２のタイプの第２のリソース・グループのセットを含み、Ｋ組のセットの各セットにおいて、第２のタイプの第２のリソース・グループのうちの１つと第２のタイプの第２のリソース・グループのうちの前記の１つに含まれる第１のリソース・グループとの間のマッピング関係は、その他の第２のタイプの第２のリソース・グループのそれぞれとその他の第２のタイプの第２のリソース・グループのそれぞれに含まれる第１のリソース・グループとの間のマッピング関係の巡回シフトである。
【０２８４】
好ましくは、物理リソース・ブロック・セットの第１のタイプの第２のリソース・グループのうちの少なくとも２つに対応する第１のリソース・グループが、物理リソース・ブロック・セットの第２のタイプの第２のリソース・グループのうちの少なくとも２つに対応する第１のリソース・グループと同じである場合には、第１のタイプの第２のリソース・グループのうちのこれらの少なくとも２つの番号のセットは、第２のタイプの第２のリソース・グループのうちのこれらの少なくとも２つの番号のセットと同じである。
【０２８５】
選択的に、物理リソース・ブロック・セットの第１のタイプの第２のリソース・グループは、局在モードでＥ−ＰＤＣＣＨを伝送するリソース・グループであり、物理リソース・ブロック・セットの第２のタイプの第２のリソース・グループは、分散モードでＥ−ＰＤＣＣＨを伝送するリソース・グループである。
【０２８６】
本実施形態によって提供される装置は、第１のタイプの第２のリソース・グループ及び第２のタイプの第２のリソース・グループの番号付けを実施することにより、Ｅ−ＰＤＣＣＨ伝送を実施し、ブラインド検出に有利である。
【０２８７】
各局材制御チャネル候補は、隣接するＰＲＢ対に集中化されることが好ましいが、異なる局在制御チャネル候補は、可能な限り比集中化すべきであるので、局在制御チャネルのスケジューリング利得及びビーム・フォーミング利得を得ることができる。集約レベル１、２又は４の各制御チャネル候補は、１対のＰＲＢ対で伝送することができるので、Ｎ個の分散ＰＲＢ対を、集約レベル１、２又は４の検索範囲として構成することができる。しかし、集約レベル８の制御チャネル候補では、前述の構成された検索範囲が各制御チャネル候補にも使用され、制御チャネル候補が伝送用の異なるＰＲＢ対で非集中化され、スケジューリング利得を得ることができない。この問題に鑑みて、本発明の以下の実施形態は、制御チャネル検出方法及び制御チャネル送信合法を提供する。異なる制御チャネルを区別し、異なる制御チャネルを異なる物理リソース・ブロック・セットを用いて伝送し、複数のＰＲＢ対で伝送される制御チャネル候補について検索範囲を暗黙に定義することができる。これにより、リソースをより柔軟に構成することができ、制御シグナリングが節約され、複数のＰＲＢ対の制御チャネル候補についてＰＲＧにおけるより良好なチャネル推定性能を得ることができることを保証することができる。
【０２８８】
図７Ａは、本発明の実施形態による制御チャネル検出方法を示す流れ図である。図７Ａに示すように、本実施形態の方法は、以下のステップを含む。
【０２８９】
ステップ７０１。ユーザ装置ＵＥが、第１の物理リソース・ブロック・セットの第１のタイプの制御チャネルを検出する。ここで、第１の物理リソース・ブロック・セットは、少なくとも１対の物理リソース・ブロック対を含む。
【０２９０】
ステップ７０２。ＵＥが、第２の物理リソース・ブロック・セットの第２のタイプの制御チャネルを検出する。ここで、第２の物理リソース・ブロック・セットは、少なくとも１対の物理リソース・ブロック対を含む。
【０２９１】
本実施形態の任意選択の実施方式では、第１のタイプの制御チャネルは、局在モードで伝送される制御チャネルであり、第２のタイプの制御チャネルは、分散モードで伝送される制御チャネルである。
【０２９２】
本実施形態の任意選択の実施方式では、第１のタイプの制御チャネルは、局在モードで伝送される制御チャネルであり、その集約レベルは規定の集約しきい値以下であり、第２のタイプの制御チャネルは、局在モードで伝送される制御チャネルであり、その集約レベルは、既定の集約しきい値より高い。
【０２９３】
本実施形態の任意選択の実施方式では、第１のタイプの制御チャネルは、局在モードで伝送される制御チャネルであり、第１のタイプの制御チャネル候補は、１対の物理リソース・ブロック対で伝送され、第２のタイプの制御チャネルは、局在モードで伝送される制御チャネルであり、第２のタイプの制御チャネル候補は、少なくとも２対の物理リソース・ブロック対で伝送される。
【０２９４】
さらに、選択的に、第２のタイプの制御チャネル候補は、少なくとも２対の物理リソース・ブロック対に対応し、第２のタイプの制御チャネル候補に対応するこの少なくとも２対の物理リソース・ブロック対は、同じプリコーディング・リソース・ブロック・グループ（Ｐｒｅｃｏｄｉｎｇ  Ｒｅｓｏｕｒｃｅ  Ｂｌｏｃｋ  Ｇｒｏｕｐ：ＰＲＧ）、同じリソース・ブロック・グループ（Ｒｅｓｏｕｒｃｅ  Ｂｌｏｃｋ  Ｇｒｏｕｐ：ＲＢＧ）、又は同じサブバンドに置かれるので、チャネル推定性能及び復調性能を改善することができる。
【０２９５】
本実施形態の任意選択の実施方式では、物理リソース・ブロック・セットに含まれる少なくとも１対の物理リソース・ブロック対は、異なるプリコーディング・ブロック・グループＰＲＧ、異なるリソース・ブロック・グループＲＢＧ、又は異なるサブバンドに置かれる。
【０２９６】
本実施形態の任意選択の実施方式では、ＵＥが物理リソース・ブロック・セットの第１のタイプの制御チャネルを検出する前に、この方法は、ＵＥが、第１のより高位レイヤのシグナリングを受信することを含み、個の第１のより高位レイヤのシグナリングが、第１のリソース・ブロック・セットを含む。すなわち、第１の物理リソース・ブロック・セットは、ネットワーク側でより高位レイヤで構成することができ、具体的には、静的シグナリング又は動的シグナリングを用いて構成することができる。この方式では、第１のリソース・ブロック・セットの構成の柔軟性を改善することができる。
【０２９７】
図７Ｂは、制御チャネルについてネットワーク側によって構成される第１の物理リソース・ブロック・セットを示す図である。第１の物理リソース・ブロック・セットは、例えば、４対のＰＲＢ対を含む。この構成方式は、４つの連続したＶＲＢを構成する方式であってもよいし、或いは、リソース割当て方式１であってもよい。４対の構成されたＰＲＢ対は、図７Ｂでは、ＰＲＢ対０、ＰＲＢ対４、ＰＲＢ対１２、及びＰＲＢ対１７である。
【０２９８】
局在モードで伝送される制御チャネル候補は、少なくとも１対のＰＲＢ対で伝送することができる。例えば、局在モードで伝送される、集約レベルが１、２又は４である制御チャネル候補の検索範囲は、第１の物理リソース・ブロック・セットの少なくとも１対のＰＲＢ対であり、各制御チャネル候補は、第１の物理リソース・ブロック・セットの１対のＰＲＢ対のみで伝送される。局在モードで伝送される、集約レベルが８である制御チャネル候補は、２対のＰＲＢ対で伝送する必要がある。従って、各制御チャネル候補は、伝送用の１つのＰＲＧ、１つのＲＢＧ又は１つのサブバンドの２対のＰＲＢ対に制限される。２対のＰＲＢ対のうちの１対のＰＲＢ対は、第１の物理リソース・ブロック・セットのものであり、もう１対のＰＲＢ対は、第２の物理リソース・ブロック・セットのものである。局在モードで伝送される制御チャネル候補を２対のＰＲＢ対で伝送する必要があるときには、図７Ｃに示す方式を使用することができる。図７Ｃでは、点網掛け枠が、第１の物理リソース・ブロック・セットを構成し、グレー枠が、第２の物理リソース・ブロック・セットを構成する。
【０２９９】
選択的に、第２の物理リソース・ブロック・セット及び第１の物理リソース・ブロック・セットは、暗黙の対応を使用することができ、より高位レイヤのシグナリングを用いてＵＥ用に構成することもできる。暗黙の対応とは、第１の物理リソース・ブロック・セットにおいて、各ＰＲＢ対は、異なるＰＲＧ、ＲＢＧ又はサブバンドに属するので、第１の物理リソース・ブロック・セットのＰＲＢ対に関連する１対のＰＲＢ対は、各ＰＲＧ、ＲＢＧ又はサブバンドで暗黙に予め決定され、第２の物理リソース・ブロック・セットのＰＲＢ対として使用される。例えば、関連付けの方式は、１つのＰＲＧ、ＲＢＧ又はサブバンドの第２の物理リソース・ブロック・セットのＰＲＢ対と第１の物理リソース・ブロック・セットのＰＲＢ対との間の距離が、少なくとも１対のＰＲＢ対の巡回差となるものとすることができる。図７Ｃに示すように、ＰＲＧ１では、第１の物理リソース・ブロック・セットのＰＲＢ対の位置指標は０であり、第２の物理リソース・ブロック・セットのＰＲＢ対の位置指標は１であり、ＰＲＧ２では、第１の物理リソース・ブロック・セットのＰＲＢ対の位置指標は４であり、第２の物理リソース・ブロック・セットのＰＲＢ対の位置指標は５であり、ＰＲＧ５では、第１の物理リソース・ブロック・セットのＰＲＢ対の位置指標は１２であり、第２の物理リソース・ブロック・セットのＰＲＢ対の位置指標は１３であり、ＰＲＧ６では、第１の物理リソース・ブロック・セットのＰＲＢ対の位置指標は１７であり、第２の物理リソース・ブロック・セットのＰＲＢ対の位置指標は１５である。この暗黙の対応は、基地局は、より高位レイヤのシグナリングのみを使用して第１の物理リソース・ブロック・セットを送信することを可能にすることができ、シグナリングの通知を低減するのに有利である。
【０３００】
本実施形態の任意選択の実施方式では、第２の物理リソース・ブロック・セットは、第１の物理リソース・ブロック・セット及び第３の物理リソース・ブロック・セットを含む。図７Ｃに示すように、点網掛け枠及びグレー枠が、第２の物理リソース・ブロック・セットを構成し、ここで、点網掛け枠は、第１の物理リソース・ブロック・セットを構成し、パディング枠は、第３の物理リソース・ブロック・セットを構成している。
【０３０１】
上記の説明に基づいて、第２のタイプの制御チャネル候補に対応する少なくとも２対の物理リソース・ブロック対の一方の物理リソース・ブロック対は、第１の物理リソース・ブロック・セットの物理リソース・ブロック対であり、残りの物理リソース・ブロック対のうちの少なくとも１つの物理リソース・ブロック対は、第３の物理リソース・ブロック・セットの物理リソース・ブロック対である。
【０３０２】
本実施形態の任意選択の実施方式では、ＵＥが第２の物理リソース・ブロック・セットの第２のタイプの制御チャネルを検出する前に、この方法は、ＵＥが、第１のリソース・ブロック・セット及び既定の機能マッピング関係に従って第３のリソース・ブロック・セットを取得することを含み、これによりシグナリングの通知を低減することができるので、制御チャネル・リソースを構成する方式はより柔軟になる。或いは、ＵＥは、第２のより高位レイヤのシグナリングを受信し、この第２のより高位レイヤのシグナリングが、第３のリソース・ブロック・セットを含む。すなわち、第３の物理リソース・ブロック・セットは、ネットワーク側でより高位レイヤによって構成することができ、より高位レイヤの静的シグナリング又は動的シグナリングを用いて構成することができる。この方式は、第３の物理リソース・ブロック・セットを構成する柔軟性を改善するのに有利である。
【０３０３】
本実施形態によって提供される制御チャネル検出方法を使用することによって、制御チャネルを異なるタイプに分類することができ、異なるタイプの制御チャネルの検出及び受信が完成する。さらに、局在モードでの伝送中に、本実施形態は、伝送に使用される制御チャネル候補を１つのＰＲＧ、ＲＢＧ又はサブバンドに制限することができ、これにより、チャネル推定性能及び変調性能を改善することができる。
【０３０４】
本発明の実施形態は、制御チャネル送信方法を提供する。この方法を実行するエンティティは、基地局である。詳細には、この方法は、基地局が、送信する制御チャネルのタイプを決定することと、この制御チャネルが第１のタイプの制御チャネルであると決定された場合に、基地局が、第１の物理リソース・ブロック・セットで制御チャネルを送信することと、この制御チャネルが第２のタイプの制御チャネルであると決定された場合に、基地局が、第２の物理リソース・ブロック・セットで制御チャネルを送信することとを含み、第１の物理リソース・ブロック・セットは、少なくとも１対の物理リソース・ブロック対を含み、第２の物理リソース・ブロック・セットは、少なくとも１対の物理リソース・ブロック対を含む。
【０３０５】
詳細には、第１のタイプの制御チャネルを送信する場合には、基地局は、第１の物理リソース・ブロック・セットで第１のタイプの制御チャネルを送信し、第２のタイプの制御チャネルを送信する場合には、基地局は、第２の物理リソース・ブロック・セットで第２のタイプの制御チャネルを送信する。
【０３０６】
本実施形態の任意選択の実施方式では、第１のタイプの制御チャネルは、局在モードで伝送される制御チャネルであり、第２のタイプの制御チャネルは、分散モードで伝送される制御チャネルである。
【０３０７】
本実施形態の任意選択の実施方式では、第１のタイプの制御チャネルは、局在モードで伝送される、集約レベルが規定の集約しきい値以下である制御チャネルであり、第２のタイプの制御チャネルは、局在モードで伝送される、集約レベルが規定の集約しきい値より高い制御チャネルである。
【０３０８】
本実施形態の任意選択の実施方式では、第１のタイプの制御チャネルは、局在モードで伝送される制御チャネルであり、第１のタイプの制御チャネル候補は、１対の物理リソース・ブロック対で伝送され、第２のタイプの制御チャネルは、局在モードで伝送される制御チャネルであり、第２のタイプの制御チャネル候補は、少なくとも２対の物理リソース・ブロック対で伝送される。
【０３０９】
さらに、選択的に、第２のタイプの制御チャネル候補は、少なくとも２対の物理リソース・ブロック対に対応し、第２のタイプの制御チャネル候補に対応するこれらの少なくとも２対の物理リソース・ブロック対は、同じＰＲＧ、同じＲＢＧ又は同じサブバンドに位置し、このことは、チャネル推定性能及び変調性能を改善するのに有利である。
【０３１０】
本実施形態の任意選択の実施方式では、第１の物理リソース・ブロック・セットに含まれる少なくとも１対の物理リソース・ブロック対は、異なるプリコーディング・ブロック・グループＰＲＧ、異なるリソース・ブロック・グループＲＢＧ又は異なるサブバンドに置かれる。
【０３１１】
本実施形態の任意選択の実施方式では、第１のタイプの制御チャネル第１の物理リソース・ブロック・セットで送信される前に、この方法は、基地局が、より高位レイヤのシグナリングを送信することを含み、このより高位レイヤのシグナリングが、第１のリソース・ブロック・セットを含む。すなわち、第１の物理リソース・ブロック・セットは、ネットワーク側でより高位レイヤによって構成することができ、詳細には、静的シグナリング又は動的シグナリングを使用して構成することができる。この方式は、第１のリソース・ブロック・セットの構成の柔軟性を改善するのに有利である。
【０３１２】
本実施形態の任意選択の実施方式では、第２の物理リソース・ブロック・セットは、第１の物理リソース・ブロック・セット及び第３の物理リソース・ブロック・セットを含む。
【０３１３】
上記の説明に基づいて、第２のタイプの制御チャネル候補に対応する少なくとも２対の物理リソース・ブロック対の一方の物理リソース・ブロック対は、第１の物理リソース・ブロック・セットの物理リソース・ブロック対であり、残りの物理リソース・ブロック対のうちの少なくとも１つの物理リソース・ブロック対は、第３の物理リソース・ブロック・セットの物理リソース・ブロック対である。
【０３１４】
本実施形態の任意選択の実施方式では、基地局が第２の物理リソース・ブロック・セットの第２のタイプの制御チャネルを検出する前に、この方法は、基地局が、第２のより高位レイヤのシグナリングを送信することを含み、この第２のより高位レイヤのシグナリングが、第３のリソース・ブロック・セットを含む。すなわち、第３の物理リソース・ブロック・セットは、ネットワーク側でより高位レイヤによって構成することができ、より高位レイヤの静的シグナリング又は動的シグナリングを用いて構成することができる。この方式は、第３のリソース・ブロック・セットを構成する柔軟性を改善するのに有利である。
【０３１５】
本実施形態によって提供される制御チャネル送信方法を使用することによって、制御チャネルを異なるタイプに分類することができ、異なるタイプの制御チャネルの送信が完成する。さらに、局在モードでの伝送中に、本実施形態は、伝送に使用される制御チャネル候補を１つのＰＲＧ、ＲＢＧ又はサブバンドに制限することができ、これにより、チャネル推定性能及び変調性能を改善することができる。
【０３１６】
図８は、本発明のさらに別の実施形態によるＵＥを示す概略構造図である。図８に示すように、本実施形態のＵＥは、第１の検出ユニット８１と、第２の検出ユニット８２とを含む。
【０３１７】
第１の検出ユニット８１は、第１の物理リソース・ブロック・セットの第１のタイプの制御チャネルを検出するように構成され、第１の物理リソース・ブロック・セットは、少なくとも１対の物理リソース・ブロック対を含む。
【０３１８】
第２の検出ユニット８２は、第２の物理リソース・ブロック・セットの第２のタイプの制御チャネルを検出するように構成され、第２の物理リソース・ブロック・セットは、少なくとも１対の物理リソース・ブロック対を含む。
【０３１９】
本実施形態の任意選択の実施方式では、第１のタイプの制御チャネルは、局在モードで伝送される制御チャネルであり、第２のタイプの制御チャネルは、分散モードで伝送される制御チャネルである。
【０３２０】
本実施形態の任意選択の実施方式では、第１のタイプの制御チャネルは、局在モードで伝送される、集約レベルが規定の集約しきい値以下である制御チャネルであり、第２のタイプの制御チャネルは、局在モードで伝送される、集約レベルが規定の集約しきい値より高い制御チャネルである。
【０３２１】
本実施形態の任意選択の実施方式では、第１のタイプの制御チャネルは、局在モードで伝送される制御チャネルであり、第１のタイプの制御チャネル候補は、１対の物理リソース・ブロック対で伝送され、第２のタイプの制御チャネルは、局在モードで伝送される制御チャネルであり、第２のタイプの制御チャネル候補は、少なくとも２対の物理リソース・ブロック対で伝送される。
【０３２２】
さらに、選択的に、第２のタイプの制御チャネル候補は、少なくとも２対の物理リソース・ブロック対に対応し、第２のタイプの制御チャネル候補に対応するこれらの少なくとも２対の物理リソース・ブロック対は、同じＰＲＧ、同じＲＢＧ又は同じサブバンドに置かれる。
【０３２３】
本実施形態の任意選択の実施方式では、第１の物理リソース・ブロック・セットに含まれる少なくとも１対の物理リソース・ブロック対は、異なるプリコーディング・ブロック・グループＰＲＧ、異なるリソース・ブロック・グループＲＢＧ又は異なるサブバンドに置かれるので、チャネル推定性能及び変調性能を改善することができる。
【０３２４】
本実施形態の任意選択の実施方式では、第２の物理リソース・ブロック・セットは、第１の物理リソース・ブロック・セット及び第３の物理リソース・ブロック・セットを含む。
【０３２５】
上記の説明に基づいて、第２のタイプの制御チャネル候補に対応する少なくとも２対の物理リソース・ブロック対の一方の物理リソース・ブロック対は、第１の物理リソース・ブロック・セットの物理リソース・ブロック対であり、残りの物理リソース・ブロック対のうちの少なくとも１つの物理リソース・ブロック対は、第３の物理リソース・ブロック・セットの物理リソース・ブロック対である。
【０３２６】
本実施形態の任意選択の実施方式では、本実施形態のＵＥは、第２の受信ユニット８３をさらに含む。第２の受信ユニット８３は、第１のより高位レイヤのシグナリングを受信するように構成され、この第１のより高位レイヤのシグナリングが、第１のリソース・ブロック・セットを含む。第２の受信ユニット８３は、第１の検出ユニット８１に接続され、第１のリソース・ブロック・セットを第１の検出ユニット８１に提供するように構成される。
【０３２７】
本実施形態の任意選択の実施方式では、本実施形態のＵＥは、第３の取得ユニット８４及び／又は第３の受信ユニット８５をさらに含む。
【０３２８】
第３の取得ユニット８４は、第１のリソース・ブロック・セット及び既定の機能マッピング関係に従って第３のリソース・ブロック・セットを取得するように構成される。
【０３２９】
第３の受信ユニット８５は、第２のより高位レイヤのシグナリングを受信するように構成され、この第２のより高位レイヤのシグナリングが、第３のリソース・ブロック・セットを含む。第３の取得ユニット８４及び第３の受信ユニット８５は、第２の検出ユニット８２に接続され、第３のリソース・ブロック・セットを第２の検出ユニット８２に提供するように構成される。
【０３３０】
本実施形態によって提供されるＵＥは、前述の制御チャネル検出方法の手続きを実行するように構成することができる。具体的な動作原理については、これ以上説明しない。詳細については、方法の実施形態の説明を参照されたい。
【０３３１】
本実施形態によって提供されるＵＥを使用することによって、制御チャネルの検出が完成し、局在モードでの伝送中に、伝送に使用される制御チャネル候補が１つのＰＲＧ、ＲＢＧ又はサブバンドに制限され、これにより、チャネル推定性能及び変調性能が改善される。
【０３３２】
図９は、本発明のさらに別の実施形態による基地局を示す概略構造図である。図９に示すように、本実施形態の基地局は、決定ユニット９１と、第２の送信ユニット９２とを含む。
【０３３３】
決定ユニット９１は、送信する制御チャネルのタイプを決定するように構成される。第２の送信ユニット９２は、決定ユニット９１が制御チャネルが第１のタイプの制御チャネルであると決定したときには、第１の物理リソース・ブロック・セットで制御チャネルを送信し、決定ユニット９１が制御チャネルが第２のタイプの制御チャネルであると決定したときには、第２の物理リソース・ブロック・セットで制御チャネルを送信するように構成され、第１の物理リソース・ブロック・セットは、少なくとも１対の物理リソース・ブロック対を含み、第２の物理リソース・ブロック・セットは、少なくとも１対の物理リソース・ブロック対を含む。
【０３３４】
本実施形態の任意選択の実施方式では、第１のタイプの制御チャネルは、局在モードで伝送される制御チャネルであり、第２のタイプの制御チャネルは、分散モードで伝送される制御チャネルである。
【０３３５】
本実施形態の任意選択の実施方式では、第１のタイプの制御チャネルは、局在モードで伝送される、集約レベルが規定の集約しきい値以下である制御チャネルであり、第２のタイプの制御チャネルは、局在モードで伝送される、集約レベルが規定の集約しきい値より高い制御チャネルである。
【０３３６】
本実施形態の任意選択の実施方式では、第１のタイプの制御チャネルは、局在モードで伝送される制御チャネルであり、第１のタイプの制御チャネル候補は、１対の物理リソース・ブロック対で伝送され、第２のタイプの制御チャネルは、局在モードで伝送される制御チャネルであり、第２のタイプの制御チャネル候補は、少なくとも２対の物理リソース・ブロック対で伝送される。
【０３３７】
さらに、選択的に、第２のタイプの制御チャネル候補は、少なくとも２対の物理リソース・ブロック対に対応し、第２のタイプの制御チャネル候補に対応するこれらの少なくとも２対の物理リソース・ブロック対は、同じＰＲＧ、同じＲＢＧ又は同じサブバンドに置かれる。
【０３３８】
本実施形態の任意選択の実施方式では、第１の物理リソース・ブロック・セットに含まれる少なくとも１対の物理リソース・ブロック対は、異なるプリコーディング・ブロック・グループＰＲＧ、異なるリソース・ブロック・グループＲＢＧ又は異なるサブバンドに置かれるので、チャネル推定性能及び変調性能を改善することができる。
【０３３９】
本実施形態の任意選択の実施方式では、第２の物理リソース・ブロック・セットは、第１の物理リソース・ブロック・セット及び第３の物理リソース・ブロック・セットを含む。
【０３４０】
上記の説明に基づいて、第２のタイプの制御チャネル候補に対応する少なくとも２対の物理リソース・ブロック対の一方の物理リソース・ブロック対は、第１の物理リソース・ブロック・セットの物理リソース・ブロック対であり、残りの物理リソース・ブロック対のうちの少なくとも１つの物理リソース・ブロック対は、第３の物理リソース・ブロック・セットの物理リソース・ブロック対である。
【０３４１】
本実施形態の任意選択の実施方式では、第２の送信ユニット９２は、第１のより高位レイヤのシグナリングを送信するようにさらに構成され、個の第１のより高位レイヤのシグナリングが、第１のリソース・ブロック・セットを含む。第２の送信ユニット９２は、詳細には、第２の送信ユニット９２が制御チャネルを送信する前に、第１のより高位レイヤのシグナリングをＵＥに送信するように構成される。
【０３４２】
本実施形態の任意選択の実施方式では、第２の送信ユニット９２は、第２のより高位レイヤのシグナリングを送信するようにさらに構成され、この第２のより高位レイヤのシグナリングが、第３のリソース・ブロック・セットを含む。第２の送信ユニット９２は、詳細には、第２の送信ユニット９２が制御チャネルを送信する前に、第２のより高位レイヤのシグナリングをＵＥに送信するように構成される。
【０３４３】
本実施形態によって提供される基地局は、前述の制御チャネル送信方法の手続きを実行するように構成することができる。具体的な動作原理については、これ以上説明しない。詳細については、方法の実施形態の説明を参照されたい。
【０３４４】
本実施形態によって提供される基地局を使用することによって、制御チャネルを異なるタイプに分類することができ、異なるタイプの制御チャネルの送信が完成する。さらに、局在モードでの伝送中に、伝送に使用される制御チャネル候補を１つのＰＲＧ、ＲＢＧ又はサブバンドに制限することに対応しており、これにより、チャネル推定性能及び変調性能を改善することができる。
【０３４５】
本発明のさらに別の実施形態は、ＵＥを提供する。ＵＥは、少なくとも１つのプロセッサと、メモリとを含み、このメモリは、実行可能プログラム・コードを格納するように構成され、プロセッサは、メモリに格納された実行可能プログラム・コードを読み出すことにより、その実行可能プログラム・コードに対応するプログラムを実行して、
第１の物理リソース・ブロック・セットの第１のタイプの制御チャネルを検出し、この第１の物理リソース・ブロック・セットが、少なくとも１対の物理リソース・ブロック対を含み、
第２の物理リソース・ブロック・セットの第２のタイプの制御チャネルを検出し、この第２の物理リソース・ブロック・セットが、少なくとも１対の物理リソース・ブロック対を含む。
【０３４６】
本実施形態によって提供されるＵＥは、前述の制御チャネル検出方法の手続きを実行するように構成することができる。具体的な動作原理については、これ以上説明しない。詳細については、方法の実施形態の説明を参照されたい。
【０３４７】
本実施形態によって提供されるＵＥを使用することによって、制御チャネルの検出が完成し、局在モードでの伝送中に、伝送に使用される制御チャネル候補が１つのＰＲＧ、ＲＢＧ又はサブバンドに制限され、これにより、チャネル推定性能及び変調性能が改善される。
【０３４８】
本発明のさらに別の実施形態は、基地局を提供する。この基地局は、プロセッサと、送信機とを含む。
【０３４９】
プロセッサは、送信する制御チャネルのタイプを決定するように構成される。送信機は、プロセッサが制御チャネルが第１のタイプの制御チャネルであると決定したときには、第１の物理リソース・ブロック・セットで制御チャネルを送信し、プロセッサが制御チャネルが第２のタイプの制御チャネルであると決定したときには、第２の物理リソース・ブロック・セットで制御チャネルを送信するように構成され、第１の物理リソース・ブロック・セットは、少なくとも１対の物理リソース・ブロック対を含み、第２の物理リソース・ブロック・セットは、少なくとも１対の物理リソース・ブロック対を含む。
【０３５０】
本実施形態によって提供される基地局は、前述の制御チャネル送信方法の手続きを実行するように構成することができる。具体的な動作原理については、これ以上説明しない。詳細については、方法の実施形態の説明を参照されたい。
【０３５１】
本実施形態によって提供される基地局を使用することによって、制御チャネルを異なるタイプに分類することができ、異なるタイプの制御チャネルの送信が完成する。さらに、局在モードでの伝送中に、伝送に使用される制御チャネル候補を１つのＰＲＧ、ＲＢＧ又はサブバンドに制限することに対応しており、これにより、チャネル推定性能及び変調性能を改善することができる。
【０３５２】
当業者なら、方法の実施形態のステップの全て又は一部を、関連するハードウェアに命令するプログラムによって実施することができることを理解することができる。このプログラムは、コンピュータ可読記憶媒体に格納することができる。プログラムが実行されると、方法の実施形態のステップが実行される。前述の記憶媒体には、ＲＯＭ、ＲＡＭ、磁気ディスク又は光ディスクなど、プログラム・コードを格納することができる任意の媒体が含まれる。
【０３５３】
最後に、前述の実施形態は、単に本発明の技術的解決策を説明するためのものであり、本発明を制限するためのものではないことに留意されたい。前述の実施形態を参照して本発明を詳細に説明したが、当業者なら、本発明の実施形態の技術的解決策の範囲を逸脱することなく、さらに、前述の実施形態において説明した技術的解決策に様々な修正を加える、或いはその一部又は全ての技術的特徴を均等物で置換することができることを理解するであろう。
【図１Ａ】
2019068444.tif 000018
【図１Ｂ】
2019068444.tif 000019
【図２Ａ】
2019068444.tif 000020
【図２Ｂ】
2019068444.tif 000021
【図３Ａ】
2019068444.tif 000022
【図３Ｂ】
2019068444.tif 000023
【図４Ａ】
2019068444.tif 000024
【図４Ｂ】
2019068444.tif 000025
【図４Ｃ】
2019068444.tif 000026
【図４Ｄ】
2019068444.tif 000027
【図４Ｅ】
2019068444.tif 000028
【図５】
2019068444.tif 000029
【図６】
2019068444.tif 000030
【図７Ａ】
2019068444.tif 000031
【図７Ｂ】
2019068444.tif 000032
【図７Ｃ】
2019068444.tif 000033
【図８】
2019068444.tif 000034
【図９】
2019068444.tif 000035
【手続補正書】
【提出日】平成31年1月4日(2019.1.4)
【手続補正１】
【補正対象書類名】特許請求の範囲
【補正対象項目名】全文
【補正方法】変更
【補正の内容】
【特許請求の範囲】
【請求項１】
物理ダウンリンク制御チャネル受信方法であって、
端末装置が、物理リソース・ブロック（ＰＲＢ）セットに含まれる少なくとも１つのＰＲＢ対の各々の第１のリソース・グループを番号付けするステップであって、前記第１のリソース・グループはリソース要素グループである、ステップと、
前記端末装置が、前記ＰＲＢセットの各ＰＲＢ対の前記第１のリソース・グループと第２のリソース・グループとの間の対応に従って、前記少なくとも１つのＰＲＢ対の各々の前記第２のリソース・グループを番号付けするステップであって、前記第２のリソース・グループは制御チャネル要素であり、各第２のリソース・グループは少なくとも１つの第１のリソース・グループを含み、各ＰＲＢ対において、前記第２のリソース・グループの番号は連続し、前記第２のリソース・グループの番号の順序は前記第２のリソース・グループに関連する前記第１のリソース・グループの最大番号の順序と同じである、ステップと、
前記端末装置が、物理ダウンリンク制御チャネルを受信するため前記第２のリソース・グループの番号を決定するステップと、
前記端末装置が、決定された前記番号に従って、前記第２のリソース・グループに関連する前記第１のリソース・グループの前記物理ダウンリンク制御チャネルを受信するステップと
を含む方法。
【請求項２】
前記ＰＲＢ対の各々はＮ個の第３のリソース・グループを含み、Ｎは正整数であり、前記第３のリソース・グループの各々はＭ個の第１のリソース・グループを含み、Ｍは正整数であり、前記ＰＲＢセットにおいて、ＰＲＢ対の各第３のリソース・グループに含まれる第１のリソース・グループの番号セットは、他のＰＲＢ対の各々の第３のリソース・グループに含まれる第１のリソース・グループの番号セットと同じであり、
前記第３のリソース・グループの各々は、前記第２のリソース・グループのうちの１つに対応し、各ＰＲＢ対の前記第２のリソース・グループは、前記ＰＲＢペアの番号の昇順で順番に番号を付けられる、
請求項１に記載の方法。
【請求項３】
前記第２のリソース・グループの番号は
ｊ＝Ｋ＊ｍ＋（ｉ  ｍｏｄ  Ｋ）を満たし、
ｉは前記第１のリソース・グループの番号であり、ｉは０からＬ−１の整数であり、Ｌは前記ＰＲＢ対のうちの１つにおける前記第１のリソース・グループの量であり、ｊは前記第２のリソース・グループの番号であり、ｍは物理リソース・ブロック対の番号であり、Ｋは前記ＰＲＢ対のそれぞれの前記第２のリソース・グループの量であり、ｍｏｄはモジュロ演算を示し、前記第２のリソース・グループは同じＰＲＢ対に属するＭ個の第１のリソース・グループに関連し、Ｍは正の整数である、
請求項１または２に記載の方法。
【請求項４】
前記第２のリソース・グループの番号は
ｊ＝（ｉ  ｍｏｄ  Ｋ）＊Ｋ＋ｍを満たし、
ｉは前記第１のリソース・グループの番号であり、ｉは０からＬ−１の整数であり、Ｌは前記ＰＲＢ対のうちの１つにおける前記第１のリソース・グループの量であり、ｊは前記第２のリソース・グループの番号であり、ｍは物理リソース・ブロック対の番号であり、Ｋは前記ＰＲＢ対のそれぞれの前記第２のリソース・グループの量であり、ｍｏｄはモジュロ演算を示し、前記第２のリソース・グループは同じＰＲＢ対に属するＭ個の第１のリソース・グループに対応し、Ｍは正の整数である、
請求項１または２に記載の方法。
【請求項５】
前記同じ番号を有する前記第３のリソース・グループに関連する前記第２のリソース・グループについて、ＰＲＢ対の前記第２のリソース・グループと前記ＰＲＢ対の前記第２のリソース・グループに含まれる第１のリソース・グループとの間のマッピング関係は、前記ＰＲＢ対のその他のＰＲＢ対の前記第２のリソース・グループのうちの１つと、前記その他のＰＲＢ対のそれぞれの前記第２のリソース・グループのうちの前記１つに含まれる第１のリソース・グループとの間のマッピング関係の巡回シフトである、
請求項２に記載の方法。
【請求項６】
前記ＰＲＢ対の前記第２のリソース・グループは、局在モードで前記物理ダウンリンク制御チャネルを送信するリソース・グループである、
請求項１ないし５いずれか一項に記載の方法。
【請求項７】
物理ダウンリンク制御チャネル受信装置であって、
物理リソース・ブロック（ＰＲＢ）セットに含まれる少なくとも１つのＰＲＢ対の各々の第１のリソース・グループを番号付けし、前記ＰＲＢセットの各ＰＲＢ対の前記第１のリソース・グループと第２のリソース・グループとの間の対応に従って、前記少なくとも１つのＰＲＢ対の各々の前記第２のリソース・グループを番号付けするように構成された番号付けユニットであって、前記第１のリソース・グループはリソース要素グループであり、前記第２のリソース・グループは制御チャネル要素であり、各第２のリソース・グループは少なくとも１つの第１のリソース・グループを含み、各ＰＲＢ対において、前記第２のリソース・グループの番号は連続し、前記第２のリソース・グループの番号の順序は前記第２のリソース・グループに関連する前記第１のリソース・グループの最大番号の順序と同じである、番号付けユニットと、
物理ダウンリンク制御チャネルを受信するため前記第２のリソース・グループの番号を決定するように構成された決定ユニットと、
決定された前記番号に従って、前記第２のリソース・グループに関連する前記第１のリソース・グループの前記物理ダウンリンク制御チャネルを受信するように構成された受信ユニットと
を有する装置。
【請求項８】
前記ＰＲＢ対の各々はＮ個の第３のリソース・グループを含み、Ｎは正整数であり、前記第３のリソース・グループの各々はＭ個の第１のリソース・グループを含み、Ｍは正整数であり、前記ＰＲＢセットにおいて、ＰＲＢ対の各第３のリソース・グループに含まれる第１のリソース・グループの番号セットは、他のＰＲＢ対の各々の第３のリソース・グループに含まれる第１のリソース・グループの番号セットと同じであり、
前記第３のリソース・グループの各々は、前記第２のリソース・グループのうちの１つに対応し、各ＰＲＢ対の前記第２のリソース・グループは、前記ＰＲＢ対の番号の昇順で順番に番号を付けられる、
請求項７に記載の装置。
【請求項９】
前記第２のリソース・グループの番号は
ｊ＝Ｋ＊ｍ＋（ｉ  ｍｏｄ  Ｋ）を満たし、
ｉは前記第１のリソース・グループの番号であり、ｉは０からＬ−１の整数であり、Ｌは前記ＰＲＢ対のうちの１つにおける前記第１のリソース・グループの量であり、ｊは前記第２のリソース・グループの番号であり、ｍは物理リソース・ブロック対の番号であり、Ｋは前記ＰＲＢ対のそれぞれの前記第２のリソース・グループの量であり、ｍｏｄはモジュロ演算を示し、前記第２のリソース・グループは同じＰＲＢ対に属するＭ個の第１のリソース・グループに関連し、Ｍは正の整数である、
請求項８に記載の装置。
【請求項１０】
前記第２のリソース・グループの番号は
ｊ＝（ｉ  ｍｏｄ  Ｋ）＊Ｋ＋ｍを満たし、
ｉは前記第１のリソース・グループの番号であり、ｉは０からＬ−１の整数であり、Ｌは前記ＰＲＢ対のうちの１つにおける前記第１のリソース・グループの量であり、ｊは前記第２のリソース・グループの番号であり、ｍは物理リソース・ブロック対の番号であり、Ｋは前記ＰＲＢ対のそれぞれの前記第２のリソース・グループの量であり、ｍｏｄはモジュロ演算を示し、前記第２のリソース・グループは同じＰＲＢ対に属するＭ個の第１のリソース・グループに対応し、Ｍは正の整数である、
請求項８または９に記載の装置。
【請求項１１】
前記同じ番号を有する前記第３のリソース・グループに関連する前記第２のリソース・グループについて、ＰＲＢ対の前記第２のリソース・グループと前記ＰＲＢ対の前記第２のリソース・グループに含まれる第１のリソース・グループとの間のマッピング関係は、前記ＰＲＢ対のその他のＰＲＢ対の前記第２のリソース・グループのうちの１つと、前記その他のＰＲＢ対のそれぞれの前記第２のリソース・グループのうちの前記１つに含まれる第１のリソース・グループとの間のマッピング関係の巡回シフトである、
請求項９に記載の装置。
【請求項１２】
前記ＰＲＢ対の前記第２のリソース・グループは、局在モードで前記物理ダウンリンク制御チャネルを送信するリソース・グループである、
請求項８ないし１１いずれか一項に記載の装置。
【請求項１３】
物理ダウンリンク制御チャネル送信方法であって、
基地局が、物理リソース・ブロック（ＰＲＢ）セットに含まれる少なくとも１つのＰＲＢ対の各々の第１のリソース・グループを別々に番号付けするステップであって、前記第１のリソース・グループはリソース要素グループである、ステップと、
前記基地局が、前記ＰＲＢセットの各ＰＲＢ対の前記第１のリソース・グループと第２のリソース・グループとの間の対応にしたがって、前記少なくとも１つのＰＲＢ対の各々の前記第２のリソース・グループを番号付けするステップであって、前記第２のリソース・グループは制御チャネル要素であり、各第２のリソース・グループは少なくとも１つの第１のリソース・グループを含む、ステップと、
前記基地局が、物理ダウンリンク制御チャネルを送信するため前記第２のリソース・グループの番号を決定するステップと、
前記基地局が、前記第２のリソース・グループの番号に従って、前記第２のリソース・グループに関連する前記第１のリソース・グループの前記物理ダウンリンク制御チャネルを送信するステップと
を含む方法。
【請求項１４】
各ＰＲＢ対において、前記第２のリソース・グループの番号は連続し、前記第２のリソース・グループの番号の順序は前記第２のリソース・グループに関連する前記第１のリソース・グループの最大番号の順序と同じである、
請求項１３に記載の方法。
【請求項１５】
前記ＰＲＢ対の各々はＮ個の第３のリソース・グループを含み、Ｎは正整数であり、前記第３のリソース・グループの各々はＭ個の第１のリソース・グループを含み、Ｍは正整数であり、前記ＰＲＢセットにおいて、ＰＲＢ対の各第３のリソース・グループに含まれる第１のリソース・グループの番号セットは、他のＰＲＢ対の各々の第３のリソース・グループに含まれる第１のリソース・グループの番号セットと同じであり、
前記第３のリソース・グループの各々は、前記第２のリソース・グループのうちの１つに関連し、各ＰＲＢ対の前記第２のリソース・グループは、前記ＰＲＢ対の番号の昇順で順番に番号を付けられる、
請求項１３または１４に記載の方法。
【請求項１６】
前記第２のリソース・グループの番号は
ｊ＝Ｋ＊ｍ＋（ｉ  ｍｏｄ  Ｋ）を満たし、
ｉは前記第１のリソース・グループの番号であり、ｉは０からＬ−１の整数であり、Ｌは前記ＰＲＢ対のうちの１つにおける前記第１のリソース・グループの量であり、ｊは前記第２のリソース・グループの番号であり、ｍは物理リソース・ブロック対の番号であり、Ｋは前記ＰＲＢ対のそれぞれの前記第２のリソース・グループの量であり、ｍｏｄはモジュロ演算を示し、前記第２のリソース・グループは同じＰＲＢ対に属するＭ個の第１のリソース・グループに関連し、Ｌ、ｊ、ｍ、ＫおよびＭは正の整数である、
請求項１３ないし１５いずれか一項に記載の方法。
【請求項１７】
前記第２のリソース・グループの番号は
ｊ＝（ｉ  ｍｏｄ  Ｋ）＊Ｋ＋ｍを満たし、
ｉは前記第１のリソース・グループの番号であり、ｉは０からＬ−１の整数であり、Ｌは前記ＰＲＢ対のうちの１つにおける前記第１のリソース・グループの量であり、ｊは前記第２のリソース・グループの番号であり、ｍは物理リソース・ブロック対の番号であり、Ｋは前記ＰＲＢ対のそれぞれの前記第２のリソース・グループの量であり、ｍｏｄはモジュロ演算を示し、前記第２のリソース・グループは同じＰＲＢ対に属するＭ個の第１のリソース・グループに関連し、Ｌ、ｊ、ｍ、ＫおよびＭは正の整数である、
請求項１３ないし１５いずれか一項に記載の方法。
【請求項１８】
前記第２のリソース・グループの番号は
ｊ＝（ｉ  ｍｏｄ  Ｋ）＊Ｋ＋ｍを満たし、
ｉは前記第１のリソース・グループの番号であり、ｉは０からＬ−１の整数であり、Ｌは前記物理リソース・ブロック対のうちの１つにおける前記第１のリソース・グループの量であり、ｊは前記第２のリソース・グループの番号であり、ｍはＰＲＢ対の番号であり、Ｋは前記ＰＲＢ対のそれぞれの前記第２のリソース・グループの量であり、ｍｏｄはモジュロ演算を示し、前記第２のリソース・グループは同じＰＲＢ対に属するＭ個の第１のリソース・グループに関連し、Ｌ、ｊ、ｍ、ＫおよびＭは正の整数である、
請求項１３ないし１５いずれか一項に記載の方法。
【請求項１９】
前記第２のリソース・グループの番号は
ｊ＝（ｉ‐Ｋ＊ｍ）ｍｏｄ１６を満たし、
ｉは第１のリソース・グループの番号であり、ｉは０からＬ−１までの整数であり、Ｌは前記ＰＲＢ対のうちの１つにおける前記第１のリソース・グループの量であり、ｊは前記第２のリソース・グループの番号であり、ｍはＰＲＢ対の番号であり、Ｋは前記ＰＲＢ対のそれぞれの前記第２のリソース・グループの量であり、ｍｏｄはモジュロ演算を示し、Ｌ、ｊ、ｍ、ＫおよびＭは正の整数である、
請求項１３ないし１５いずれか一項に記載の方法。
【請求項２０】
物理ダウンリンク制御チャネル送信装置であって、
物理リソース・ブロック（ＰＲＢ）セットに含まれる少なくとも１つのＰＲＢ対の各々の第１のリソース・グループを別々に番号付け、前記ＰＲＢセットの各ＰＲＢ対の前記第１のリソース・グループと第２のリソース・グループとの間の対応にしたがって、前記少なくとも１つのＰＲＢ対の各々の前記第２のリソース・グループを番号付けするように構成された番号付けユニットであって、前記第１のリソース・グループはリソース要素グループであり、前記第２のリソース・グループは制御チャネル要素であり、各第２のリソース・グループは少なくとも１つの第１のリソース・グループを含む、番号付けユニットと、
物理ダウンリンク制御チャネルを送信するため前記第２のリソース・グループの番号を決定するように構成された決定ユニットと、
前記第２のリソース・グループの番号に従って、前記第２のリソース・グループに関連する前記第１のリソース・グループの前記物理ダウンリンク制御チャネルを送信するように構成された送信ユニットと
を有する装置。
【請求項２１】
各ＰＲＢ対において、前記第２のリソース・グループの番号は連続し、前記第２のリソース・グループの番号の順序は前記第２のリソース・グループに関連する前記第１のリソース・グループの最大番号の順序と同じである、
請求項２０に記載の装置。
【請求項２２】
前記ＰＲＢ対の各々はＮ個の第３のリソース・グループを含み、Ｎは正整数であり、前記第３のリソース・グループの各々はＭ個の第１のリソース・グループを含み、Ｍは正整数であり、前記ＰＲＢセットにおいて、ＰＲＢ対の各第３のリソース・グループに含まれる第１のリソース・グループの番号セットは、他のＰＲＢ対の各々の第３のリソース・グループに含まれる第１のリソース・グループの番号セットと同じであり、
前記第３のリソース・グループの各々は、前記第２のリソース・グループのうちの１つに関連し、各ＰＲＢ対の前記第２のリソース・グループは、前記ＰＲＢ対の番号の昇順で順番に番号を付けられる、
請求項２０または２１に記載の装置。
【請求項２３】
前記第２のリソース・グループの番号は
ｊ＝Ｋ＊ｍ＋（ｉ  ｍｏｄ  Ｋ）を満たし、
ｉは前記第１のリソース・グループの番号であり、ｉは０からＬ−１の整数であり、Ｌは前記ＰＲＢ対のうちの１つにおける前記第１のリソース・グループの量であり、ｊは前記第２のリソース・グループの番号であり、ｍは物理リソース・ブロック対の番号であり、Ｋは前記ＰＲＢ対のそれぞれの前記第２のリソース・グループの量であり、ｍｏｄはモジュロ演算を示し、前記第２のリソース・グループは同じＰＲＢ対に属するＭ個の第１のリソース・グループに関連し、Ｌ、ｊ、ｍ、ＫおよびＭは正の整数である、
請求項２０ないし２２いずれか一項に記載の装置。
【請求項２４】
前記第２のリソース・グループの番号は
ｊ＝（ｉ  ｍｏｄ  Ｋ）＊Ｋ＋ｍを満たし、
ｉは前記第１のリソース・グループの番号であり、ｉは０からＬ−１の整数であり、Ｌは前記ＰＲＢ対のうちの１つにおける前記第１のリソース・グループの量であり、ｊは前記第２のリソース・グループの番号であり、ｍは物理リソース・ブロック対の番号であり、Ｋは前記ＰＲＢ対のそれぞれの前記第２のリソース・グループの量であり、ｍｏｄはモジュロ演算を示し、前記第２のリソース・グループは同じＰＲＢ対に属するＭ個の第１のリソース・グループに対応し、Ｌ、ｊ、ｍ、ＫおよびＭは正の整数である、
請求項２０ないし２２いずれか一項に記載の装置。
【請求項２５】
前記第２のリソース・グループの番号は
ｊ＝（ｉ  ｍｏｄ  Ｋ）＊Ｋ＋ｍを満たし、
ｉは前記第１のリソース・グループの番号であり、ｉは０からＬ−１の整数であり、Ｌは前記物理リソース・ブロック対のうちの１つにおける前記第１のリソース・グループの量であり、ｊは前記第２のリソース・グループの番号であり、ｍはＰＲＢ対の番号であり、Ｋは前記ＰＲＢ対のそれぞれの前記第２のリソース・グループの量であり、ｍｏｄはモジュロ演算を示し、前記第２のリソース・グループは同じＰＲＢ対に属するＭ個の第１のリソース・グループに関連し、Ｌ、ｊ、ｍ、ＫおよびＭは正の整数である、
請求項２０ないし２２いずれか一項に記載の装置。
【請求項２６】
前記第２のリソース・グループの番号は
ｊ＝（ｉ‐Ｋ＊ｍ）ｍｏｄ１６を満たし、
ｉは第１のリソース・グループの番号であり、ｉは０からＬ−１までの整数であり、Ｌは前記ＰＲＢ対のうちの１つにおける前記第１のリソース・グループの量であり、ｊは前記第２のリソース・グループの番号であり、ｍはＰＲＢ対の番号であり、Ｋは前記ＰＲＢ対のそれぞれの前記第２のリソース・グループの量であり、ｍｏｄはモジュロ演算を示し、Ｌ、ｊ、ｍ、ＫおよびＭは正の整数である、または、
前記第２のリソース・グループの番号は
ｉ＝（ｊ＋ｘ＊Ｋ）ｍｏｄ  Ｎ、
ｍ＝（ｆｌｏｏｒ（ｊ／（Ｍ＊Ｋ））＊Ｍ＋ｘ）ｍｏｄ  Ｃを満たし、
ｉはｊ番目の前記第２のリソース・グループに関連するｘ番目の第１のリソース・グループの番号であり、ｉは０からＬ−１の整数であり、Ｌは前記ＰＲＢ対のうちの１つにおける前記第１のリソース・グループの量であり、ｍはｊ番目の第２のリソース・グループに関連するｘ番目のリソース・グループが配置されたＰＲＢ対の番号であり、Ｋ＝ｆｌｏｏｒ（Ｐ／Ｏ）であり、ＰはＰＲＢ対の第１のリソース・グループの量であり、Ｏは第２のリソース・グループに含まれる第１のリソース・グループの量であり、Ｃは前記ＰＲＢセットのＰＲＢ対の量であり、ｍｏｄはモジュロ演算を示し、ｆｌｏｏｒは切り下げ演算を示し、Ｌ、Ｊ、ｍ、Ｋ，Ｍ、ｘ、Ｐ、ＯおよびＣは正の整数である、
請求項２０ないし２２いずれか一項に記載の装置。
【請求項２７】
コンピュータにより実行されたとき、前記コンピュータに、請求項１ないし６または１３ないし１９いずれか一項に記載のユーザ端末のステップを実行させるコンピュータプログラム。